(57)【特許請求の範囲】
【請求項１】
ケイ素原子に結合したＬ１で表されるシロキサンデンドロン構造を有する基、及び、前記ケイ素原子とは異なるケイ素原子に結合したＱで表される親水基とを有し、且つ、架橋部に炭素−ケイ素結合を含む架橋構造を有するオルガノポリシロキサンエラストマー。
｛ここで、Ｌ１はｉ＝１のときの下記一般式（２）：
【化１】
0006000640.tif 000064
（式中、
Ｒ１は、炭素原子数１〜３０の、置換若しくは非置換の、直鎖状若しくは分岐状の一価炭化水素基を表し、
Ｒ２は、それぞれ独立して、炭素原子数１〜６のアルキル基又はフェニル基を表し、
Ｚは二価有機基を表し、
ｉはＬｉで示されるシリルアルキル基の階層を示し、該シリルアルキル基の繰り返し数である階層数がｋのとき１〜ｋの整数であり、階層数ｋは１〜１０の整数であり、Ｌｉ＋１はｉがｋ未満のときは該シリルアルキル基であり、ｉ＝ｋのときはＲ２であり、ａｉは０である）で示される、シロキサンデンドロン構造を有するシリルアルキル基である｝
｛ここでＱは、二価以上の連結基を介してケイ素原子に結合し、かつ下記構造式（３―１）〜（３−４）
−ＣｒＨ２ｒ−Ｏ−    （３−１）
（式中、ｒは１〜６の範囲の数である）
【化２】
0006000640.tif 000065
（式中、Ｗは、水素原子又は炭素原子数１〜２０のアルキル基を表す）
【化３】
0006000640.tif 000066
（式中、Ｗは、前記と同様の基を表す）
【化４】
0006000640.tif 000067
で表される親水性単位から選択される少なくとも１種以上の親水性単位を含有してなる親水性基である｝
【請求項２】
一般式（２）において、Ｌ１が下記一般式（２−１）又は一般式（２−２）で表される官能基である、請求項１に記載のオルガノポリシロキサンエラストマー。
一般式（２−１）：
【化５】
0006000640.tif 000068
一般式（２−２）：
【化６】
0006000640.tif 000069
（式中、Ｒ１、Ｒ２及びＺは前記のとおりであり、ａ１及びａ２は０である。）
【請求項３】
前記Ｑが、
複数の前記親水性単位が直鎖状に結合してなる直鎖状親水性セグメント、又は、
複数の前記親水性単位が下記構造式（３−５）〜（３−７）：
【化７】
0006000640.tif 000070
【化８】
0006000640.tif 000071
【化９】
0006000640.tif 000072
で表される基から選択される少なくとも１種以上の分岐単位を介して分岐状に結合してなる分岐状親水性セグメントを有する、請求項１又は２に記載のオルガノポリシロキサンエラストマー。
【請求項４】
前記Ｑが下記一般式（４−１）：
−Ｒ３（−Ｏ−Ｘ１ｍ−Ｒ４）ｐ      （４−１）
｛式中、
Ｒ３は、（ｐ＋１）価の有機基であり、
ｐは、１〜３の範囲の数であり、
Ｘ１は、各々独立に、上記一般式（３−１）〜（３−４）で表される親水性単位から選択される少なくとも１種以上の親水性単位であり、
ｍは、１〜１００の範囲の数であり、
Ｒ４は、水素原子、炭素原子数１〜２０のアルキル基、アシル基及びグリシジル基からなる群から選択される基である｝
で表される親水性基である、請求項１乃至３のいずれかに記載のオルガノポリシロキサンエラストマー。
【請求項５】
（Ａ）オルガノハイドロジェンポリシロキサン、
（Ｂ）反応性不飽和基を１分子中に１つ有するシロキサンデンドロン、
（Ｃ）（Ｃ１）１分子中に平均で１より大きい数の反応性不飽和基を有する有機化合物、及び、（Ｃ２）１分子中に１以上の反応性不飽和基及び１以上のエポキシ基を有する有機化合物からなる群から選択される１種類以上の有機化合物｛但し、下記（Ｄ）が１分子中に平均で１より大きい数の反応性不飽和基を有する場合には（Ｃ）は任意である｝、並びに、
（Ｄ）反応性不飽和基及び上記構造式（３―１）〜（３−４）で表される親水性単位から選択される少なくとも１種以上の親水性単位を含有してなる親水性基を有する親水性誘導体
を少なくとも反応させることを特徴とする、請求項１乃至４のいずれかに記載のオルガノポリシロキサンエラストマーの製造方法。
【請求項６】
前記（Ｃ）成分及び／又は前記（Ｄ）成分の不飽和結合と反応する前記（Ａ）成分の１分子当たりのケイ素原子結合水素原子数の平均値が０．１以上である、請求項５に記載のオルガノポリシロキサンエラストマーの製造方法。
【請求項７】
前記（Ａ）成分が、平均組成式（１）：
Ｒ５ａＨｂＳｉＯ（４−ａ−ｂ）／２  （１）
（式中、
Ｒ５は、互いに独立して、一価有機基を表し、１．０≦ａ≦３．０、及び、０．００１≦ｂ≦１．５である）で表される、請求項５又は６に記載のオルガノポリシロキサンエラストマーの製造方法。
【請求項８】
前記（Ｂ）成分が、下記一般式（２’）で表される分子鎖末端に１個の炭素−炭素二重結合を有するシロキサンデンドロン構造を有する化合物である、請求項５乃至７のいずれかに記載のオルガノポリシロキサンエラストマーの製造方法。
一般式（２’）：
【化１０】
0006000640.tif 000073
{式中、
Ｌ´１は、炭素原子数１〜６のアルキル基若しくはフェニル基、又は、ｊ＝１のときの下記一般式（２”）；
【化１１】
0006000640.tif 000074
（式中、
Ｒ２は、炭素原子数１〜６のアルキル基又はフェニル基であり、
Ｚは、二価有機基であり、
ｊは、Ｌｊで示されるシリルアルキル基の階層を示し、該シリルアルキル基の繰り返し数である階層数がｋ’のとき１〜ｋ’の整数であり、階層数ｋ’は１〜１０の整数であり、Ｌｊ＋１はｊがｋ’未満のときは該シリルアルキル基であり、ｊ＝ｋ’のときはＲ２であり、
ａｊは、０である）で示されるシリルアルキル基であり、
Ｚ´は、二価有機基であり、
Ｒ６は、水素原子又はメチル基である｝
【請求項９】
前記（Ｃ）成分が下記（Ｃ１−１）〜（Ｃ１−５）及び（Ｃ２−１）〜（Ｃ２〜２）
（Ｃ１−１）  一般式（５−１）：
ＣＨ２＝ＣＨ（ＣＨ２）ｘＣＨ＝ＣＨ２  （５−１）
（式中、１≦ｘ≦２０である）で表されるα，ω−ジエン、
（Ｃ１−２）  一般式（５−２）：
ＣＨ≡Ｃ（ＣＨ２）ｘＣ≡ＣＨ  （５−２）
（式中、１≦ｘ≦２０である）で表されるα，ω−ジイン、
（Ｃ１−３）  一般式（５−３）：
ＣＨ２＝ＣＨ（ＣＨ２）ｘＣ≡ＣＨ  （５−３）
（式中、１≦ｘ≦２０である）で表されるα，ω−エン−イン、
（Ｃ１−４）  一般式（５−４）：
ＣｑＨ２ｑ−１Ｏ（ＣｎＨ２ｎＯ）ｙＣｑＨ２ｑ−１  （５−４）
（式中、２≦ｑ≦２０、２≦ｎ≦４、ｙはオキシエチレン単位、オキシプロピレン単位、オキシブチレン単位の繰返し数の合計値であり、１≦ｙ≦１８０である）で表されるビスアルケニルポリエーテル化合物、
（Ｃ１−５）  平均組成式（５−５）：
Ｒ７ｃＲ８ｄＳｉＯ（４−ｃ−ｄ）／２  （５−５）
（式中、Ｒ７は、互いに独立してもよいがＲ８とは異なる一価有機基を表し、
Ｒ８は、互いに独立して、炭素原子数２〜３０の一価の不飽和脂肪族炭化水素基を表し、１．０≦ｃ≦２．５、及び、０．００１≦ｄ≦１．５である）で表される不飽和基含有シリコーン化合物、
（Ｃ２−１）  一般式  （５−６）：
【化１２】
0006000640.tif 000075
（式中、Ｒ９は、１つの不飽和結合を有しており、置換若しくは非置換の、直鎖状若しくは分岐状の、炭素原子数２〜２０の一価炭化水素基を表す）で表される不飽和エポキシ化合物、
（Ｃ２−２）  一般式（５−７）：
【化１３】
0006000640.tif 000076
（式中、Ｒ１０は、１つの不飽和結合を有しており、置換若しくは非置換の、直鎖状若しくは分岐状の、炭素原子数２〜２０の一価炭化水素基を表し、
Ｒ１１は、水素原子又はメチル基を表し、
Ｒ１２は水素原子又はメチル基を表す）で表される、不飽和基含有脂環式エポキシ化合物
から選ばれる１種類以上の有機化合物である、請求項５乃至８のいずれかに記載のオルガノポリシロキサンエラストマーの製造方法。
【請求項１０】
平均組成式（１）において、Ｒ５である一価有機基が、以下の（Ｅ１）〜（Ｅ９）
（Ｅ１）炭素原子数１〜６０の、置換若しくは非置換の、直鎖状若しくは分岐状の一価炭化水素基、
（Ｅ２）−Ｒ１３Ｏ（ＡＯ）ｚＲ１４  （式中、ＡＯは、炭素原子数２〜４のオキシアルキレン基を表し、Ｒ１３は、炭素原子数３〜５の、置換若しくは非置換の、直鎖状若しくは分岐状の二価炭化水素基を表し、Ｒ１４は、水素原子、炭素原子数１〜２４の、置換若しくは非置換の、直鎖状若しくは分岐状の一価炭化水素基、又は、炭素原子数２〜２４の、置換若しくは非置換の、直鎖状若しくは分岐状のアシル基を表し、ｚ＝１〜１００である）で表されるポリオキシアルキレン基、
（Ｅ３）炭素原子数１〜３０の、置換若しくは非置換の、直鎖状若しくは分岐状のアルコキシ基、
（Ｅ４）水酸基、
（Ｅ５）−Ｒ１５−ＣＯＯＲ１６ （式中、Ｒ１５は、炭素原子数２〜２０の、置換若しくは非置換の、直鎖状若しくは分岐状の二価炭化水素基を表し、Ｒ１６は、炭素原子数１〜３０の、置換若しくは非置換の、直鎖状若しくは分岐状の一価炭化水素基を表す）で表されるエステル基、
（Ｅ６）−Ｒ１７−ＯＣＯＲ１８ （式中、Ｒ１７は、炭素原子数２〜２０の、置換若しくは非置換の、直鎖状若しくは分岐状の二価炭化水素基を表し、Ｒ１８は、炭素原子数１〜３０の、置換若しくは非置換の、直鎖状若しくは分岐状の一価炭化水素基を表す）で表されるエステル基
（Ｅ７）下記一般式（６）
【化１４】
0006000640.tif 000077
（式中、Ｒ１９は、それぞれ独立して、置換若しくは非置換の、直鎖状若しくは分岐状の、炭素原子数１〜３０の一価炭化水素基、水酸基又は水素原子であり、Ｒ１９のうち少なくとも一つは前記一価炭化水素基である。ｔは、２〜１０の範囲の数であり、ｒは１〜１００の範囲の数である）で表される、鎖状ポリシロキサン構造で置換されたアルキル基、
（Ｅ８）下記一般式（７）
【化１５】
0006000640.tif 000078
（式中、Ｒ２０は、置換若しくは非置換の、直鎖状若しくは分岐状の、炭素原子数２〜２０の二価炭化水素基を表す）で表される、エポキシ基、
（Ｅ９）下記一般式（８）
【化１６】
0006000640.tif 000079
（式中、Ｒ２１は、置換若しくは非置換の、直鎖状若しくは分岐状の、炭素原子数２〜２０の二価炭化水素基を表し、Ｒ１１及びＲ１２は前記の通りである）で表される、脂環式エポキシ基
から選ばれる、請求項７乃至９のいずれかに記載のオルガノポリシロキサンエラストマーの製造方法。
【請求項１１】
粒子の形態である、請求項１乃至４のいずれかに記載のオルガノポリシロキサンエラストマー。
【請求項１２】
体積平均粒子径が２０〜１０００μｍの範囲内にある粒子の形態である、請求項１１記載のオルガノポリシロキサンエラストマー。
【請求項１３】
自重以上の量の油剤を含んで膨潤しうる、請求項１乃至４、１１及び１２のいずれかに記載のオルガノポリシロキサンエラストマー。
【請求項１４】
請求項１乃至４及び１１乃至１３のいずれかに記載のオルガノポリシロキサンエラストマー、及び、少なくとも１種の油剤を含む組成物。
【請求項１５】
ペーストの形態である、請求項１４記載の組成物。
【請求項１６】
エマルジョン組成物である、請求項１４又は１５記載の組成物。
【請求項１７】
請求項１乃至４及び１１乃至１３のいずれかに記載のオルガノポリシロキサンエラストマーを、機械力を用いて粉砕した後に、少なくとも１種の油剤と混合するか、前記オルガノポリシロキサンエラストマーと少なくとも１種の油剤との混合物を、機械力を用いて粉砕することを特徴とする、請求項１４乃至１６のいずれかに記載の組成物の製造方法。
【請求項１８】
請求項１乃至４及び１１乃至１３のいずれかに記載のオルガノポリシロキサンエラストマーに、１種類以上の酸性物質を加えて処理した後、加熱又は減圧によって揮発成分を除去してなる、臭気が低減されたオルガノポリシロキサンエラストマーの製造方法。
【請求項１９】
請求項１４乃至１６のいずれかに記載の組成物に、１種類以上の酸性物質を加えて処理した後、加熱又は減圧によって揮発成分を除去してなる、臭気が低減されたオルガノポリシロキサンエラストマー含有組成物の製造方法。
【請求項２０】
請求項１乃至４及び１１乃至１３のいずれかに記載のオルガノポリシロキサンエラストマー又は請求項１４乃至１６のいずれかに記載の組成物を含有する外用剤用原料。
【請求項２１】
請求項１乃至４及び１１乃至１３のいずれかに記載のオルガノポリシロキサンエラストマー又は請求項１４乃至１６のいずれかに記載の組成物を含有する化粧料用原料。
【請求項２２】
請求項１乃至４及び１１乃至１３のいずれかに記載のオルガノポリシロキサンエラストマー又は請求項１４乃至１６のいずれかに記載の組成物を含有する外用剤。
【請求項２３】
請求項１乃至４及び１１乃至１３のいずれかに記載のオルガノポリシロキサンエラストマー又は請求項１４乃至１６のいずれかに記載の組成物を含有する化粧料。
【発明の詳細な説明】
【技術分野】
【０００１】
本発明は、架橋構造を有する新規オルガノポリシロキサンエラストマー及びその利用に関する。本発明に係る新規オルガノポリシロキサンエラストマーの用途および背景技術は、本出願と同日に出願された特願２０１１−１２１０９７号に基づく優先権を主張する他の特許出願（糖アルコール変性オルガノポリシロキサンエラストマー、及び、モノ―／ジ−グリセリン変性オルガノポリシロキサンエラストマーに関するもの）において対応する開示内容と共通する。
【背景技術】
【０００２】
親水性基を有するオルガノポリシロキサンエラストマーとして、シリコ−ン油に対し膨潤性であるシリコ−ン重合体及びこれを用いて製造した、水を安定にかつ均一に分散させることのできるペ−スト状シリコ−ン組成物が報告されている（例えば、特許文献１、２等）。しかしながら、これらのペースト状シリコーン組成物の乳化性能、特に非シリコーン油に対する乳化性能は十分満足できるものではなく、また、化粧品の感触改善効果も不十分であった。
【０００３】
一方、親水基を有しないオルガノポリシロキサンエラストマーに関する技術として、数多くの技術が報告されている（特許文献３〜６等）。しかしながら、シロキサンデンドロン構造を有するシリルアルキル基による分岐構造を持ったオルガノポリシロキサンエラストマーは、これまで報告されておらず、その効果や化粧料・外用剤への応用についても知られていなかった。
【先行技術文献】
【特許文献】
【０００４】
【特許文献１】特開平４−２７２９３２号公報
【特許文献２】特開平５−１０４３２０号公報
【特許文献３】特開平１−２０７３５４号公報
【特許文献４】特開平２−０４３２６３号公報
【特許文献５】国際公開第２００７／１０９２４０号
【特許文献６】国際公開第２００９／００６０９１号
【発明の概要】
【発明が解決しようとする課題】
【０００５】
したがって、美容用途において、親水基を有しないオルガノポリシロキサンエラストマー、特に、シロキサンデンドロン構造を有するシリルアルキル基による分岐構造を有するオルガノポリシロキサンエラストマーへのニーズが存在しうる。
【０００６】
ところで、近年、「ＰＥＧ−ＦＲＥＥ処方」への要請が高まっている。例えば、ドイツでは、ポリエチレングリコール（ＰＥＧ）を含有する商品に関して、消費者向けの情報提供雑誌社による検査によって安全性に否定的な認識が得られたことがきっかけとなり、ポリエーテル基を含有する原料を非ポリエーテル原料に置き換える需要が高まっている。また韓国では、ＰＥＧの酸化劣化によってホルマリンが生成し得ることから、これを含有する商品は皮膚刺激性を有する可能性があるとの懸念により、非ポリエーテル系のシリコーン界面活性剤への関心が高まっている。
【０００７】
このような背景により、化粧品等の最終消費者向け商品の構成を全体としてＰＥＧ−ＦＲＥＥ処方に改良するという世界的な潮流が想定され、それに呼応してシリコーン系界面活性剤の分野においても従来のポリエーテル変性シリコーン乃至ポリエーテル変性シリコーンエラストマーから、非ポリエーテル系親水性シリコーン乃至非ポリエーテル系親水性シリコーンエラストマーへと技術を進化させる市場ニーズが予想される。そして、グリセリン変性シリコーン乃至グリセリン変性シリコーンエラストマーは、ポリエーテル変性シリコーン乃至ポリエーテル変性シリコーンエラストマーに比べて酸化安定性に優れることから、そのような非ポリエーテル系親水性シリコーン乃至非ポリエーテル系親水性シリコーンエラストマーとして有望である。
【０００８】
しかしながら、従来のグリセリン変性シリコーン乃至グリセリン変性シリコーンエラストマーは、コストが高く、また、これ以外にも、大きな問題点を有している。すなわち、これらを乳化剤として使用する場合、単独では乳化能力が低いために化粧料の実処方での使用に耐えない。従って、より信頼のおける乳化剤であるポリエーテル変性シリコーン乃至ポリエーテル変性シリコーンエラストマーを当該グリセリン変性シリコーン乃至グリセリン変性シリコーンエラストマーと併用せざるを得ず、化粧料を全体としてＰＥＧ−ＦＲＥＥ処方に改めることは困難であった。
【０００９】
本発明は上記課題を解決すべくなされたものであり、様々な油剤との親和性を有しており、また、構造化特性、ゲル化特性に優れており、更に、優れた触感、特にベルベット調の厚みのある滑らかさが持続し、しかも塗布初期から乾燥後まで全くべとつきを生じない優れた触感を与え、更に、しわ隠し効果(マスキング効果)等の優れた美容効果をもたらす、新規なオルガノポリシロキサンエラストマー及びその製法を提供することを第１の目的とする。
【００１０】
本発明は、上記の特性を全て備えながら、更に、優れた保湿効果及び乳化特性をも有し、シリコーン系界面活性剤にとって安定な乳化という点で対処の容易なシリコーン油(低極性油)やエステル油(中〜高極性油)だけでなく、特に従来の非ポリエーテル型シリコーン系界面活性剤では対応困難であった炭化水素油(非極性油)に対しても、安定なエマルションを形成できるため、化粧料や外用剤等の目的に応じて処方の幅を広げることを可能にする、新規なグリセリン誘導体変性オルガノポリシロキサンエラストマー及びその製法を提供することを第２の目的とする。
【００１１】
本発明は、上記オルガノポリシロキサンエラストマー及び／又は上記グリセリン誘導体変性オルガノポリシロキサンエラストマーを含むゲル化剤、構造化剤、増粘剤、感触改良剤、保湿剤、マスキング剤、界面活性剤、乳化剤、粉体の分散安定剤等の外用剤又は化粧料用の原料、並びに、当該オルガノポリシロキサンエラストマー等を含む化粧料又は外用剤を提供することを第３の目的とする。
【００１２】
本発明は、上記オルガノポリシロキサンエラストマー及び／又は上記グリセリン誘導体変性オルガノポリシロキサンエラストマーを含有する外用剤又は化粧料用の原料を利用することにより、化粧品等の最終消費者向け商品の構成を全体としてＰＥＧ−ＦＲＥＥ処方に改良するという世界的な潮流に合致した、ポリオキシエチレン部位を含有する化合物を含まないことを特徴とする外用剤ないしは化粧料を提供することを第４の目的とする。
【００１３】
本発明は、臭気が低減されたオルガノポリシロキサンエラストマー及び／又はグリセリン誘導体変性オルガノポリシロキサンエラストマー、それらを含む外用剤又は化粧料用の原料、及び、それらを含む外用剤又は化粧料を提供することを第５の目的とする。
【課題を解決するための手段】
【００１４】
本発明者らは上記目的を達成するため鋭意検討した結果、本発明に到達した。すなわち、本発明の第１の目的は、ケイ素原子に結合した、Ｌ１で表される、シロキサンデンドロン構造を有する基を有し、且つ、架橋部に炭素−ケイ素結合を含む架橋構造を有するオルガノポリシロキサンエラストマーによって達成することができる。ここで、Ｌ１はｉ＝１のときの下記一般式（２）：
【化１】
0006000640.tif 000002
（式中、
Ｒ１は、炭素原子数１〜３０の、置換若しくは非置換の、直鎖状若しくは分岐状の一価炭化水素基を表し、
Ｒ２は、それぞれ独立して、炭素原子数１〜６のアルキル基又はフェニル基を表し、
Ｚは二価有機基を表し、
ｉはＬｉで示されるシリルアルキル基の階層を示し、該シリルアルキル基の繰り返し数である階層数がｋのとき１〜ｋの整数であり、階層数ｋは１〜１０の整数であり、Ｌｉ＋１はｉがｋ未満のときは該シリルアルキル基であり、ｉ＝ｋのときはＲ２であり、ａｉは０〜３の範囲の数である）
で示される、シロキサンデンドロン構造を有するシリルアルキル基である。
【００１５】
前記一般式（２）において、Ｌ１が下記一般式（２−１）又は一般式（２−２）で表される官能基であることが好ましい。
【００１６】
一般式（２−１）：
【化２】
0006000640.tif 000003
一般式（２−２）：
【化３】
0006000640.tif 000004
（式中、Ｒ１、Ｒ２及びＺは前記のとおりであり、ａ１及びａ２は各々独立に０〜３の範囲の数である）
【００１７】
本発明の第２の目的は、前記ケイ素原子に結合した、Ｌ１で表される、シロキサンデンドロン構造を有する基、及び、前記ケイ素原子とは異なるケイ素原子に結合した、Ｑで表される親水基（以下、場合によっては、便宜上、「グリセリン誘導体基」と称することがある）を有し、且つ、架橋部に炭素−ケイ素結合を含む架橋構造を有するオルガノポリシロキサンエラストマーによって達成することができる。ここで、Ｑは、二価以上の連結基を介してケイ素原子に結合し、かつ下記構造式（３―１）〜（３−４）
−ＣｒＨ２ｒ−Ｏ−    （３−１）
（式中、ｒは１〜６の範囲の数である）
【化４】
0006000640.tif 000005
（式中、Ｗは水素原子又は炭素原子数１〜２０のアルキル基を表す）
【化５】
0006000640.tif 000006
（式中、Ｗは前記と同様の基を表す）
【化６】
0006000640.tif 000007
で表される親水性単位から選択される少なくとも１種以上の親水性単位を含有してなる親水性基である。
【００１８】
また、Ｑは、複数の親水性単位が直鎖状に結合してなる直鎖状親水性セグメント、又は、複数の前記親水性単位が下記構造式（３−５）〜（３−７）
【化７】
0006000640.tif 000008
【化８】
0006000640.tif 000009
【化９】
0006000640.tif 000010
で表される基から選択される少なくとも１種以上の分岐単位を介して分岐状に結合してなる分岐状親水性セグメントを有することが好ましい。
【００１９】
Ｑは、下記一般式（４−１）〜（４−４）のいずれかで表される親水性基であることがより好ましい。
【００２０】
一般式（４−１）：
−Ｒ３（−Ｏ−Ｘ１ｍ−Ｒ４）ｐ      （４−１）
（式中、
Ｒ３は、（ｐ＋１）価の有機基であり、
ｐは、１〜３の範囲の数であり、
Ｘ１は、各々独立に、上記一般式（３−１）〜（３−４）で表される親水性単位から選択される少なくとも１種以上の親水性単位であり、
ｍは、１〜１００の範囲の数であり、
Ｒ４は、水素原子、炭素原子数１〜２０のアルキル基、アシル基及びグリシジル基からなる群から選択される基である）
一般式（４−２）：
−Ｒ３（−Ｏ−Ｘ２）ｐ      （４−２）
｛式中、
Ｒ３は、前記と同様の基であり、
ｐは、前記と同様の数であり、
Ｘ２は、下記構造式（４−２−１）；
【化１０】
0006000640.tif 000011
（式中、２つの酸素原子には、各々独立に、上記一般式（３−１）〜（３−４）で表される親水性単位から選択される少なくとも１種以上の親水性単位が結合する）で表される親水性基である｝
一般式（４−３）：
−Ｒ３（−Ｏ−Ｘ３）ｐ      （４−３）
｛式中、
Ｒ３は、前記と同様の基であり、
ｐは、前記と同様の数であり、
Ｘ３は、下記構造式（４−３−１）；
【化１１】
0006000640.tif 000012
（式中、２つの酸素原子には、各々独立に、上記一般式（３−１）〜（３−４）で表される親水性単位から選択される少なくとも１種以上の親水性単位が結合する）で表される親水性基である｝
一般式（４−４）：
−Ｒ３（−Ｏ−Ｘ４）ｐ      （４−４）
｛式中、
Ｒ３は、前記と同様の基であり、
ｐは、前記と同様の数であり、
Ｘ４は、下記構造式（４−４−１）； 
【化１２】
0006000640.tif 000013
（式中、２つの酸素原子には、各々独立に、上記一般式（３−１）〜（３−４）で表される親水性単位から選択される少なくとも１種以上の親水性単位が結合する）で表される親水性基である｝
【００２１】
本発明のオルガノポリシロキサンエラストマーは、
（Ａ）オルガノハイドロジェンポリシロキサン、
（Ｂ）反応性不飽和基を１分子中に１つ有するシロキサンデンドロン  並びに
（Ｃ）（Ｃ１）１分子中に平均で１より大きい数の反応性不飽和基を有する有機化合物、及び、（Ｃ２）１分子中に１以上の反応性不飽和基及び１以上のエポキシ基を有する有機化合物からなる群から選択される１種類以上の有機化合物
を少なくとも反応させることにより得ることができる。
【００２２】
また、本発明の好ましいオルガノポリシロキサンエラストマーは、
（Ａ）オルガノハイドロジェンポリシロキサン、
（Ｂ）反応性不飽和基を１分子中に１つ有するシロキサンデンドロン
（Ｃ）（Ｃ１）１分子中に平均で１より大きい数の反応性不飽和基を有する有機化合物、及び、（Ｃ２）１分子中に１以上の反応性不飽和基及び１以上のエポキシ基を有する有機化合物からなる群から選択される１種類以上の有機化合物｛但し、下記（Ｄ）が１分子中に平均で１より大きい数の反応性不飽和基を有する場合には（Ｃ）は任意である｝、並びに、
（Ｄ）反応性不飽和基及び上記構造式（３―１）〜（３−４）で表される親水性単位から選択される少なくとも１種以上の親水性単位を含有してなる親水性基を有する親水性誘導体
を少なくとも反応させることにより得ることができる。
【００２３】
前記架橋部を構成する前記（Ｃ）成分及び／又は前記（Ｄ）成分の不飽和基と反応する前記（Ａ）成分の１分子当たりのケイ素原子結合水素原子数の平均値は、０．１以上であることが好ましい。
【００２４】
前記（Ａ）成分は、平均組成式（１）：
Ｒ５ａＨｂＳｉＯ（４−ａ−ｂ）／２  （１）
（式中、
Ｒ５は、互いに独立して、一価有機基を表し、１．０≦ａ≦３．０、及び、０．００１≦ｂ≦１．５である）で表されるものが好ましい。
【００２５】
前記（Ｂ）成分は、下記一般式（２’）：
【化１３】
0006000640.tif 000014
{式中、
Ｌ´１は、炭素原子数１〜６のアルキル基若しくはフェニル基、又は、ｊ＝１のときの下記一般式（２”）；
【化１４】
0006000640.tif 000015
（式中、
Ｒ２は、炭素原子数１〜６のアルキル基又はフェニル基であり、
Ｚは、二価の有機基であり、
ｊは、Ｌｊで示されるシリルアルキル基の階層を示し、該シリルアルキル基の繰り返し数である階層数がｋ’のとき１〜ｋ’の整数であり、階層数ｋ’は１〜１０の整数であり、Ｌｊ＋１はｊがｋ’未満のときは該シリルアルキル基であり、ｊ＝ｋ’のときはＲ２であり、
ａｊは、０〜３の範囲の数である）で示されるシリルアルキル基であり、
Ｚ´は、二価有機基であり、
Ｒ６は、水素原子又はメチル基である｝で表される、分子鎖末端に１個の炭素−炭素二重結合を有するシロキサンデンドロン構造を有する化合物であることが好ましい。
【００２６】
前記（Ｃ）成分は、下記（Ｃ１−１）〜（Ｃ１−５）及び（Ｃ２−１）〜（Ｃ２〜２）
（Ｃ１−１）  一般式（５−１）：
ＣＨ２＝ＣＨ（ＣＨ２）ｘＣＨ＝ＣＨ２  （５−１）
（式中、１≦ｘ≦２０である）で表されるα，ω−ジエン、
（Ｃ１−２）  一般式（５−２）：
ＣＨ≡Ｃ（ＣＨ２）ｘＣ≡ＣＨ  （５−２）
（式中、１≦ｘ≦２０である）で表されるα，ω−ジイン、
（Ｃ１−３）  一般式（５−３）：
ＣＨ２＝ＣＨ（ＣＨ２）ｘＣ≡ＣＨ  （５−３）
（式中、１≦ｘ≦２０である）で表されるα，ω−エン−イン、
（Ｃ１−４）  一般式（５−４）：
ＣｑＨ２ｑ−１Ｏ（ＣｎＨ２ｎＯ）ｙＣｑＨ２ｑ−１  （５−４）
（式中、２≦ｑ≦２０、２≦ｎ≦４、ｙはオキシエチレン単位、オキシプロピレン単位、オキシブチレン単位の繰返し数の合計値であり、１≦ｙ≦１８０である）で表されるビスアルケニルポリエーテル化合物、
（Ｃ１−５）  平均組成式（５−５）：
Ｒ７ｃＲ８ｄＳｉＯ（４−ｃ−ｄ）／２  （５−５）
（式中、Ｒ７は、互いに独立してもよいがＲ８とは異なる一価有機基を表し、
Ｒ３は、互いに独立して、炭素原子数２〜３０の一価の不飽和脂肪族炭化水素基を表し、１．０≦ｃ≦２．５、及び、０．００１≦ｄ≦１．５である）で表される不飽和基含有シリコーン化合物、
（Ｃ２−１）  一般式  （５−６）：
【化１５】
0006000640.tif 000016
（式中、Ｒ９は、１つの不飽和結合を有しており、置換若しくは非置換の、直鎖状若しくは分岐状の、炭素原子数２〜２０の一価炭化水素基を表す）で表される不飽和エポキシ化合物、
（Ｃ２−２）  一般式（５−７）：
【化１６】
0006000640.tif 000017
（式中、Ｒ１０は、１つの不飽和結合を有しており、置換若しくは非置換の、直鎖状若しくは分岐状の、炭素原子数２〜２０の一価炭化水素基を表し、
Ｒ１１は、水素原子又はメチル基を表し、
Ｒ１２は水素原子又はメチル基を表す）で表される、不飽和基含有脂環式エポキシ化合物
から選ばれる１種類以上の有機化合物であることが好ましい。
【００２７】
前記平均組成式（１）において、Ｒ５である一価有機基は、以下の（Ｅ１）〜（Ｅ９）
（Ｅ１）炭素原子数１〜６０の、置換若しくは非置換の、直鎖状若しくは分岐状の一価炭化水素基、
（Ｅ２）−Ｒ１３Ｏ（ＡＯ）ｚＲ１４  （式中、ＡＯは、炭素原子数２〜４のオキシアルキレン基を表し、Ｒ１３は、炭素原子数３〜５の、置換若しくは非置換の、直鎖状若しくは分岐状の二価炭化水素基を表し、Ｒ１４は、水素原子、炭素原子数１〜２４の、置換若しくは非置換の、直鎖状若しくは分岐状の一価炭化水素基、又は、炭素原子数２〜２４の、置換若しくは非置換の、直鎖状若しくは分岐状のアシル基を表し、ｚ＝１〜１００である）で表されるポリオキシアルキレン基、
（Ｅ３）炭素原子数１〜３０の、置換若しくは非置換の、直鎖状若しくは分岐状のアルコキシ基、
（Ｅ４）水酸基、
（Ｅ５）−Ｒ１５−ＣＯＯＲ１６ （式中、Ｒ１５は、炭素原子数２〜２０の、置換若しくは非置換の、直鎖状若しくは分岐状の二価炭化水素基を表し、Ｒ１６は、炭素原子数１〜３０の、置換若しくは非置換の、直鎖状若しくは分岐状の一価炭化水素基を表す）で表されるエステル基、
（Ｅ６）−Ｒ１７−ＯＣＯＲ１８ （式中、Ｒ１７は、炭素原子数２〜２０の、置換若しくは非置換の、直鎖状若しくは分岐状の二価炭化水素基を表し、Ｒ１８は、炭素原子数１〜３０の、置換若しくは非置換の、直鎖状若しくは分岐状の一価炭化水素基を表す）で表されるエステル基
（Ｅ７）下記一般式（６）
【化１７】
0006000640.tif 000018
（式中、Ｒ１９は、それぞれ独立して、置換若しくは非置換の、直鎖状若しくは分岐状の、炭素原子数１〜３０の一価炭化水素基、水酸基又は水素原子であり、Ｒ１９のうち少なくとも一つは前記一価炭化水素基である。ｔは、２〜１０の範囲の数であり、ｒは、１〜１００の範囲の数である）で表される、鎖状ポリシロキサン構造で置換されたアルキル基、
（Ｅ８）下記一般式（７）
【化１８】
0006000640.tif 000019
（式中、Ｒ２０は、置換若しくは非置換の、直鎖状若しくは分岐状の、炭素原子数２〜２０の二価炭化水素基を表す）で表される、エポキシ基、
（Ｅ９）下記一般式（８）
【化１９】
0006000640.tif 000020
（式中、Ｒ２１は、置換若しくは非置換の、直鎖状若しくは分岐状の、炭素原子数２〜２０の二価炭化水素基を表し、Ｒ１１及びＲ１２は前記の通りである）で表される、脂環式エポキシ基
から選ばれるものが好ましい。
【００２８】
本発明のオルガノポリシロキサンエラストマーは、粒子の形態にあることが好ましく、体積平均粒子径が２０〜１０００μｍの範囲内にある粒子の形態であることがより好ましい。
【００２９】
本発明のオルガノポリシロキサンエラストマーは自重以上の量の油剤を含んで膨潤しうることが好ましい。
【００３０】
更に、本発明の第１の目的は、
（Ａ）オルガノハイドロジェンポリシロキサン、
（Ｂ）反応性不飽和基を１分子中に１つ有するシロキサンデンドロン、並びに、
（Ｃ）（Ｃ１）１分子中に平均で１より大きい数の反応性不飽和基を有する有機化合物、及び、（Ｃ２）１分子中に１以上の反応性不飽和基及び１以上のエポキシ基を有する有機化合物からなる群から選択される１種類以上の有機化合物
を少なくとも反応させる工程を含む、オルガノポリシロキサンエラストマーの製造方法によっても達成することができる。
【００３１】
上記オルガノポリシロキサンエラストマーの製造方法では、反応の一部又は全部が、以下の（Ｐ−１）〜（Ｐ−２）に示される群から選ばれる１以上の溶媒の存在下、又は、溶媒の不存在下で行われることが好ましい。
（Ｐ−１）：  有機化合物
（Ｐ−２）：  ケイ素原子を含有する化合物
【００３２】
前記オルガノポリシロキサンエラストマーの製造方法の一態様では、前記（Ａ）と（Ｂ）とを先に反応させ、しかる後に（Ｃ）を添加して架橋反応を行うことを特徴としているが、以下に示す任意成分（Ｑ）を、（Ａ）−（Ｂ）の反応前に（Ａ）と反応させるか、（Ａ）−（Ｂ）の反応後に更に反応させるか、（Ａ）−（Ｂ）の反応時に同時に反応させるか、又は（Ｃ）による架橋後に更に反応させることができる。
（Ｑ）：  １分子中に１の不飽和基を有する化合物（ただし、前記（Ｃ２）であるものを除く）
【００３３】
前記オルガノポリシロキサンエラストマーの製造方法の他の一態様では、架橋部を導く前記（Ａ）と（Ｃ）との反応を先に行い、しかる後に（Ｂ）を添加して反応させることを特徴としているが、以下に示す任意成分（Ｑ）を、（Ａ）−（Ｃ）の反応前に（Ａ）と反応させるか、（Ａ）−（Ｃ）の反応後に更に反応させるか、又は（Ｂ）の反応後に更に反応させることができる。
（Ｑ）：  １分子中に１の不飽和基を有する化合物（ただし、前記（Ｃ２）であるものを除く）
【００３４】
更に、本発明の本発明の第２の目的は、
（Ａ）オルガノハイドロジェンポリシロキサン、
（Ｂ）反応性不飽和基を１分子中に１つ有するシロキサンデンドロン、
（Ｃ）（Ｃ１）１分子中に平均で１より大きい数の反応性不飽和基を有する有機化合物、及び、（Ｃ２）１分子中に１以上の反応性不飽和基及び１以上のエポキシ基を有する有機化合物からなる群から選択される１種類以上の有機化合物｛但し、下記（Ｄ）が１分子中に平均で１より大きい数の反応性不飽和基を有する場合には（Ｃ）は任意である｝、並びに、
（Ｄ）反応性不飽和基及び上記構造式（３―１）〜（３−４）で表される親水性単位から選択される少なくとも１種以上の親水性単位を含有してなる親水性基を有する親水性誘導体
を少なくとも反応させる工程を含む、オルガノポリシロキサンエラストマーの製造方法によっても達成することができる。
【００３５】
上記オルガノポリシロキサンエラストマーの製造方法では、反応の一部又は全部が、以下の（Ｐ−１）〜（Ｐ−２）に示される群から選ばれる１以上の溶媒の存在下で行われることが好ましい。
（Ｐ−１）：  有機化合物
（Ｐ−２）：  ケイ素原子を含有する化合物
【００３６】
前記オルガノポリシロキサンエラストマーの製造方法の一態様では、前記（Ａ）に対して（Ｂ）及び（Ｄ）｛但し、ここでの（Ｄ）は１分子中に１の反応性不飽和基を有するものに限る｝を任意の順番で逐次的に反応させ、しかる後に（Ｃ）を添加して架橋反応を行うことを特徴としているが、以下に示す任意成分（Ｑ）を、（Ａ）−（Ｂ）の反応前又は（Ａ）−（Ｄ）の反応前に（Ａ）と反応させるか、（Ａ）−（Ｂ）の反応後又は（Ａ）−（Ｄ）の反応後に更に反応させるか、（Ａ）−（Ｂ）の反応時又は（Ａ）−（Ｄ）の反応時に同時に反応させるか、又は（Ｃ）による架橋後に更に反応させることができる。
（Ｑ）：  １分子中に１の不飽和基を有する化合物（ただし、前記（Ｃ２）であるものを除く）
【００３７】
前記オルガノポリシロキサンエラストマーの製造方法の他の一態様では、架橋部を導く前記（Ａ）と（Ｃ）との反応を先に行い、しかる後に、（Ｂ）及び（Ｄ）｛但し、ここでの（Ｄ）は１分子中に１の反応性不飽和基を有するものに限る｝を任意の順番で添加して逐次的に反応させることを特徴としているが、以下に示す任意成分（Ｑ）を、（Ａ）−（Ｃ）の反応前に（Ａ）と反応させるか、（Ａ）−（Ｃ）の反応後に更に反応させるか、又は（Ｂ）及び（Ｄ）の反応後に更に反応させることができる。
（Ｑ）：  １分子中に１の不飽和基を有する化合物（ただし、前記（Ｃ２）であるものを除く）
【００３８】
本発明の第３及び／又は第４の目的は、上記オルガノポリシロキサンエラストマーを含有する外用剤原料若しくは化粧料用原料又は外用剤若しくは化粧料、並びに、上記オルガノポリシロキサンエラストマーに加えて少なくとも１種の油剤を含む組成物、及び、当該組成物を含有する外用剤用原料若しくは化粧料用原料又は外用剤若しくは化粧料によって達成することができる。前記組成物はエマルション又はペーストの形態であってよい。
【００３９】
前記外用剤原料又は化粧料用原料は、ゲル化剤、構造化剤、増粘剤、感触改良剤、保湿剤、マスキング剤、界面活性剤、乳化剤、粉体の分散安定剤であることができる。
【００４０】
特に、本発明の第４の目的は、上記オルガノポリシロキサンエラストマーを含有する外用剤若しくは化粧料、好ましくは、上記オルガノポリシロキサンエラストマーを含有する一方で、親水性基として、オキシアルキレン単位の繰り返し数の平均値が２以上のオキシアルキレン構造を有する化合物、特に、ポリオキシエチレン基又はポリオキシエチレン部を含有する化合物を含まない外用剤若しくは化粧料によって好適に達成することができる。
【００４１】
本発明の第５の目的は、上記オルガノポリシロキサンエラストマーの製造方法において得られたオルガノポリシロキサンエラストマー、又は、上記オルガノポリシロキサンエラストマーに加えて少なくとも１種の油剤を含む組成物に、１種類以上の酸性物質を加えて処理した後、加熱又は減圧によって揮発成分を除去してなる当該オルガノポリシロキサンエラストマー又はその組成物、これらを含有する外用剤原料若しくは化粧料用原料又は外用剤若しくは化粧料によって達成することができる。
【発明の効果】
【００４２】
本発明によれば、様々な油剤との親和性を有しており、また、増粘特性、ゲル化特性に優れており、更に、特に、ベルベット調の厚みのある滑らかさ、及び、塗布初期から乾燥後までのべとつきの無さに特長づけられる優れた触感を与え、また、このような優れた触感を持続的にもたらす、新規な有機変性オルガノポリシロキサンエラストマーを提供することができる。
【００４３】
また、本発明の有機変性オルガノポリシロキサンエラストマーは、しわ隠し効果、保湿効果等の優れた美容効果をもたらすことができる。
【００４４】
そして、本発明の有機変性オルガノポリシロキサンエラストマーは、優れた乳化特性を有しており、低極性のシリコーン油、中〜高極性のエステル油だけでなく、非極性の炭化水素油に対しても優れた乳化性能を発揮することが可能である。したがって、本発明の有機変性オルガノポリシロキサンエラストマーを外用剤又は化粧料に配合することにより、様々な処方の外用剤又は化粧料を設計することが可能である。なお、本発明の外用剤又は化粧料はポリオキシエチレン基又はポリオキシエチレン部位を有する化合物、例えば、ポリエーテル変性シリコーンを含む必要がなく、化粧品等の最終消費者向け商品の構成を全体としてＰＥＧ−ＦＲＥＥ処方に改良するという世界的な潮流に合致した、ポリオキシエチレン部位を含有する化合物を含まないことを特徴とする外用剤乃至は化粧料とすることができる。本発明のオルガノポリシロキサンエラストマーは、他のＰＥＧ構造を有する親水性シリコーン乳化剤等の非イオン性の界面活性剤を併用しなくとも、十分な安定性を有する油中水型エマルション化粧料等を調製することができ、化粧料又は外用剤の処方を全体としてＰＥＧ−ＦＲＥＥ処方（＝親水性基として、ポリオキシエチレン（ＰＥＧ）構造を有する化合物を含有しない処方）に改めることができる。すなわち、本発明のオルガノポリシロキサンエラストマーの使用により、化粧品業界は最終消費者向け商品の構成を全体としてＰＥＧ−ＦＲＥＥ処方に改良するという世界的な潮流に合致した、環境適合性の高いビジネス戦略を実行することができる。
【００４５】
また、本発明の有機変性オルガノポリシロキサンエラストマーを配合した組成物は、安定性を担保できる高粘度の性状でありながら、その触感は非常に柔らかいという、相反する特性を併せ持つことができる。この効果は有機変性オルガノポリシロキサンエラストマーが粒子の形態にある場合に顕著である。
【００４６】
更に、本発明の有機変性オルガノポリシロキサンエラストマーは媒体中に分散された粉体の分散状態を保持する効果に優れており、粉体を含む組成物の保存安定性を特に向上することができる。
【００４７】
本発明の有機変性オルガノポリシロキサンエラストマーは、その機能のために、増粘剤、ゲル化剤、構造化剤、感触改良剤、保湿剤、マスキング剤、界面活性剤、乳化剤、粉体の分散安定剤等の外用剤又は化粧料用の原料として好適に使用することができ、また、化粧料又は外用剤に適宜配合することができる。特に、ドラッグデリバリーシステムとして利用できる安定性に優れた非水系のエマルション組成物を提供することもできるし、同様に安定性に優れた油中水型又は水中油型エマルション組成物を提供することもできる。
【００４８】
また、本発明の有機変性オルガノポリシロキサンエラストマーは幅広い種類の油剤と均一に混合可能なため、各種油剤との組成物として使用することができる。更に、油剤と共に本発明の有機変性オルガノポリシロキサンエラストマーを含む組成物は保存安定性にも優れている。
【００４９】
本発明では有機変性オルガノポリシロキサンエラストマーの臭気を低減することができる。臭気が低減された本発明の有機変性オルガノポリシロキサンエラストマーは外用剤又は化粧料用の原料として、外用剤又は化粧料の成分として特に好適である。特に、本発明では、実質的に無臭であり、また、高温下若しくは経時での臭気発生が抑制された、有機変性オルガノポリシロキサンエラストマー又はそれを含む組成物を酸処理という簡便な工程によって提供することができる。
【００５０】
本発明による有機変性オルガノポリシロキサンエラストマーの臭気低減効果は極めて高く、他の変性オルガノポリシロキサンエラストマーを本発明と同様に酸処理しても本発明において得られるような臭気低減効果を得ることはできない。本発明の特長は工業規模での実施に有利であり、しかも、簡便に、且つ、低コストで無臭化された有機変性オルガノポリシロキサンエラストマー又はそれを含む組成物を提供することができる点にある。
【００５１】
また、臭気が低減された本発明の有機変性オルガノポリシロキサンエラストマーは、外用剤又は化粧料に配合するにあたって、臭気をマスクする必要がなく、外用剤又は化粧料の処方の設計の自由度が高い。これは、臭気を含む官能性が重視される化粧料において特に有利である。
【発明を実施するための形態】
【００５２】
（オルガノポリシロキサンエラストマー及びその製造方法）
本発明の第１の態様は、Ｌ１で表される、ケイ素原子に結合したシロキサンデンドロン構造を有する基を有し、且つ、架橋部に炭素−ケイ素結合を含む架橋三次元網状構造を有するオルガノポリシロキサンエラストマーである。
【００５３】
Ｌ１で表される基は、シロキサンデンドロン構造を有する基であり、ｉ＝１のときの下記一般式（２）：
【化２０】
0006000640.tif 000021
（式中、
Ｒ１は、炭素原子数１〜３０の、置換若しくは非置換の、直鎖状若しくは分岐状の一価炭化水素基を表し、
Ｒ２は、それぞれ独立して、炭素原子数１〜６のアルキル基又はフェニル基を表し、
Ｚは二価有機基を表し、
ｉはＬｉで示されるシリルアルキル基の階層を示し、該シリルアルキル基の繰り返し数である階層数がｋのとき１〜ｋの整数であり、階層数ｋは１〜１０の整数であり、Ｌｉ＋１はｉがｋ未満のときは該シリルアルキル基であり、ｉ＝ｋのときはＲ２であり、ａｉは０〜３の範囲の数である）
で示されるシリルアルキル基として定義される。
【００５４】
前記シロキサンデンドロン構造を有するシリルアルキル基は、カルボシロキサン単位がデンドリマー状に広がった構造を包含し、高撥水性を呈する官能基であり、親水性基との組み合わせのバランスに優れている。また、前記シロキサンデンドロン構造を有するシリルアルキル基は、化学的に安定であるために幅広い化粧料配合成分と組み合わせて使用することができるという有利な特性を付与する官能基である。
【００５５】
一般式（２）のＲ１で表される、炭素原子数１〜３０の、置換若しくは非置換の、直鎖状若しくは分岐状の一価炭化水素基としては、例えば、メチル基、エチル基、プロピル基、ブチル基、ペンチル基、ヘキシル基、ヘプチル基、オクチル基等のアルキル基；シクロペンチル基、シクロヘキシル基等のシクロアルキル基；ビニル基、アリル基、ブテニル基等のアルケニル基；フェニル基、トリル基等のアリール基；ベンジル基等のアラルキル基；及び、これらの基の炭素原子に結合した水素原子が少なくとも部分的にフッ素等のハロゲン原子、又は、エポキシ基、グリシジル基、アシル基、カルボキシル基、アミノ基、メタクリル基、メルカプト基等を含む有機基で置換された基（但し、総炭素原子数は１〜３０）が挙げられる。
【００５６】
一般式（２）のＲ２で表される、炭素原子数１〜６のアルキル基又はフェニル基のうち、炭素原子数１〜６のアルキル基としては、メチル、エチル、ｎ−プロピル、ｉ−プロピル、ｎ−ブチル、ｉ−ブチル、ｓ−ブチル、ペンチル、ネオペンチル、シクロペンチル、ヘキシル等の直鎖状、分岐状或いは環状のアルキル基が挙げられる。
【００５７】
一般式（２）において、ｉ＝ｋのとき、Ｒ２はメチル基又はフェニル基であることが好ましい。特に、ｉ＝ｋのときはメチル基であることが好ましい。
【００５８】
階層数ｋは、工業的には１〜３の整数であることが好適であり、より好適には、１又は２である。各階層数において、Ｌ１で示される基は以下のように表される。式中、Ｒ１、Ｒ２及びＺは前記同様の基である。
【００５９】
階層数ｋ＝１である場合、Ｌ１は下記一般式（２−１）で表される。
一般式（２−１）：
【化２１】
0006000640.tif 000022
（式中、Ｒ１、Ｒ２及びＺは前記のとおりであり、ａ１は０〜３の範囲の数である）
【００６０】
階層数ｋ＝２である場合、Ｌ１は下記一般式（２−２）で表される。
一般式（２−２）：
【化２２】
0006000640.tif 000023
（式中、Ｒ１、Ｒ２及びＺは前記のとおりであり、ａ１及びａ２は各々独立に０〜３の範囲の数である）
【００６１】
階層数ｋ＝３である場合、Ｌ１は下記一般式（２−３）で表される。
一般式（２−３）：
【化２３】
0006000640.tif 000024
（式中、Ｒ１、Ｒ２及びＺは前記のとおりであり、ａ１、ａ２及びａ２は各々独立に０〜３の範囲の数である）
【００６２】
階層数が１〜３の場合における式（２−１）〜（２−３）で示される構造において、ａ１、ａ２及びａ３は各々独立に０〜３の範囲の数である。これらのａｉは特に０〜１の範囲の数であることが好ましく、ａｉが０であることが特に好ましい。
【００６３】
一般式（２）、（２−１）〜（２−３）において、Ｚは、各々独立に２価の有機基であり、具体的には、ケイ素結合水素原子と、アルケニル基、アクリロキシ基、メタクリロキシ基等の不飽和炭化水素基を末端に有する官能基を付加反応させることにより形成される２価の有機基が挙げられるが、シロキサンデンドロン構造を有するシリルアルキル基の導入法に応じて、これらの官能基に限らず、適宜選択することができる。より具体的には、Ｚは、各々独立に、一般式：−Ｒ２２−、−Ｒ２２−ＣＯ−、−Ｒ２２−ＣＯＯ−、−Ｒ２２−ＣＯＮＨ−、−Ｒ２２−ＣＯ−Ｒ２３−、−Ｒ２２−ＣＯＯ−Ｒ２３−、−Ｒ２２−ＣＯＮＨ−Ｒ２３−、−ＣＯ−Ｒ２２−、−ＣＯＯ−Ｒ２２−、−ＣＯＮＨ−Ｒ２２−、−Ｒ２３−ＣＯ−Ｒ２２−、−Ｒ２３−ＣＯＯ−Ｒ２２−、−Ｒ２３−ＣＯＮＨ−Ｒ２２−、及び、−Ｒ２２−Ｒ２３−で示される２価の有機基から選ばれる基であることが好ましい。特に、Ｌ１におけるＺは、好適には、ケイ素結合水素原子と、アルケニル基の反応により導入される−Ｒ２２−で示される２価の有機基である。同様に、Ｚはケイ素結合水素原子と、不飽和カルボン酸エステル基との反応により導入される−Ｒ２２−ＣＯＯ−Ｒ２３−で示される２価の有機基が好適である。一方、階層数ｋが２以上であり、Ｌ２〜ＬｋであるＬｉで示されるシリルアルキル基において、Ｚは炭素原子数２〜１０のアルキレン基であることが好ましく、エチレン基，プロピレン基，メチルエチレン基又はヘキシレン基から選択される基であることが特に好ましく、エチレン基であることが最も好ましい。
【００６４】
上記一般式中、Ｒ２２は、各々独立に、置換基を有していてもよい、炭素数２〜２２の直鎖状若しくは分岐鎖状のアルキレン基、アルケニレン基又は炭素数６〜２２のアリーレン基である。より具体的には、Ｒ２２はエチレン基，プロピレン基，ブチレン基，ヘキシレン基などの直鎖状アルキレン基；メチルメチレン基，メチルエチレン基，１−メチルペンチレン基，１,４−ジメチルブチレン基などの分岐状アルキレン基が例示され、Ｒ２２がエチレン基，プロピレン基，メチルエチレン基又はヘキシレン基から選択される基であることが好ましい。
【００６５】
上記一般式中、Ｒ２３は、下記式で示される二価の有機基から選択される基である。
【化２４】
0006000640.tif 000025
【００６６】
本発明のオルガノポリシロキサンエラストマーは、架橋密度が比較的高い弾性体であることが好ましく、溶剤等には不溶のゲル状又はゴム状又はパウダー状固体であることが好ましい。本発明のオルガノポリシロキサンエラストマーは２５℃で流動性を有しないこと（非液状）が好ましい。「２５℃において流動性を有しない」とは、所定の容器内にオルガノポリシロキサンエラストマーを導入してその表面をこて等の器具を用いて水平とした後、当該容器を傾斜させ、２４時間後に、当該表面が再度水平とならないことを意味する。ここで、「水平」とは、重力の作用方向に対して直角に交差する平面を形成することを意味する。
【００６７】
また、本発明のオルガノポリシロキサンエラストマーは炭素−ケイ素結合を含む架橋部を備えており、架橋三次元網状構造を有することが好ましい。前記架橋部は、ポリシロキサン鎖を含んでいてもよい。但し、本発明のオルガノポリシロキサンエラストマーはポリシロキサン鎖が比較的密に三次元網目状に架橋した高架橋分子構造を有することが好ましい。したがって、前記オルガノポリシロキサンは溶剤等には不溶のゲル状又はゴム状又はパウダー状固体であることが好ましい。
【００６８】
本発明のオルガノポリシロキサンエラストマーは自重（自らの質量）以上の量の油剤を含んで膨潤しうることが好ましい。油剤を包含した本発明のオルガノポリシロキサンエラストマーはペースト状で存在することができる。油剤の種類等は後述するとおりであるが、シリコーン油が好ましい。
【００６９】
本発明のオルガノポリシロキサンエラストマーは、Ｌ１で表されるシロキサンデンドロン構造を有する基が結合したケイ素原子とは異なるケイ素原子に結合したＱで表される親水基（特に、グリセリン誘導体基）を有することが好ましい。Ｑは、本発明のオルガノポリシロキサンエラストマーの親水性部位を構成する。Ｑの構造は、親水性部位、特にグリセリン誘導体部位を有する限り、限定されるものではないが、二価以上の有機基、好ましくは二価有機基、を介してグリセリン誘導体残基がケイ素原子に結合することが好ましい。
【００７０】
前記グリセリン誘導体残基は、（ポリ）グリセリン構造を有する親水基であり、モノグリセリン、ジグリセリン、トリグリセリン、テトラグリセリン及び５量体以上のポリグリセリン構造を有する親水基である。また、その末端水酸基の一部がアルキル基により封鎖されていてもよい。更に、（ポリ）グリセリン構造は、直鎖状でも分岐状でもよく、樹状に分岐した構造であってもよい。
【００７１】
Ｑは、二価以上の連結基を介してケイ素原子に結合し、かつ、下記構造式（３―１）〜（３−４）で表される親水性単位から選択される少なくとも１種以上の親水性単位を含有してなる親水性基であることが好ましい。
−ＣｒＨ２ｒ−Ｏ−    （３−１）
（式中、ｒは１〜６の範囲の数である）
【化２５】
0006000640.tif 000026
（式中、Ｗは、水素原子又は炭素原子数１〜２０のアルキル基を表す）
【化２６】
0006000640.tif 000027
（式中、Ｗは、前記と同様の基を表す）
【化２７】
0006000640.tif 000028
【００７２】
上記構造式（３―２）〜（３−４）中、Ｗは水素原子であることが好ましい。特に、Ｗが水素原子である場合、空気下で酸化され難く、保存中にホルムアルデヒド等のアルデヒド類、ギ酸エステル類等のアレルギー抗原性化合物を経時的に生成し難いので環境適合性が高いという利点がある。
【００７３】
上記構造式（３―２）〜（３−４）で示される親水性単位は、主としてグリセリンを含む多価アルコール類、ポリグリセリン類（ポリグリセロール類ともいう）、ポリグリシジルエーテル類又はこれらの末端水酸基を部分的に炭化水素基により封鎖した化合物から選択される親水性化合物から誘導される親水性基に含まれる親水性単位である。なお、化粧料又は外用剤の処方全体としてＰＥＧ−ＦＲＥＥ処方（＝ポリオキシエチレン（ＰＥＧ）構造を有する化合物を含有しない処方）を実現する場合には、本発明のオルガノポリシロキサンエラストマーは、上記構造式（３−１）で表される親水性単位が２個以上連結した基を１分子中に有しないことが好ましい。
【００７４】
上記構造式（３―２）〜（３−４）で示されるグリセリン誘導体基は、モノグリセリン変性基、ジグリセリン変性基等の分岐構造を有しない親水性基であってもよいが、ポリグリセロール基、ポリグリシジルエーテル基等の、当該官能基中の一部に分岐構造を有する親水性基であってもよい。
【００７５】
より詳細には、Ｑは、二価以上の連結基を介してケイ素原子に結合し、上記構造式（３―１）〜（３−４）で表される親水性単位から選択される少なくとも１種以上の親水性単位の複数が直鎖状に連結してなる親水性セグメントであってもよい。同様に、前記グリセリン誘導体基は二価以上の連結基を介してケイ素原子に結合し、かつ上記構造式（３―１）〜（３−４）で表される親水性単位から選択される少なくとも１種以上の親水性単位の複数が、下記構造式（３−５）〜（３−７）で表される基から選択される分岐単位を介して分岐状に結合してなる親水性セグメントでもよい。
【００７６】
【化２８】
0006000640.tif 000029
【化２９】
0006000640.tif 000030
【化３０】
0006000640.tif 000031
【００７７】
上記構造式（３−５）〜（３−７）中、２つの酸素原子には、各々独立に、上記一般式（３―１）〜（３−４）で表される親水性単位から選択される、少なくとも１種以上の親水性単位が結合する。当該親水性単位は、更に、構造式（３−５）〜（３−７）で表される基から選択される分岐単位に結合してもよく、親水性単位が多階層に分岐してなる樹状のポリエーテル構造、ポリグリセロール構造又はポリグリシジルエーテル構造を形成していてもよい。一例として、構造式（３−５）で示される一つの分岐単位及び構造式（３−７）で示される二つの分岐単位を有し、樹状に分岐してなるグリセリン誘導体基の構造を以下に示すが、樹状のポリグリセロール構造がこれに限定されるものではないことは言うまでもない。
【００７８】
【化３１】
0006000640.tif 000032
（式中、ｍ１は０〜５０の範囲の数であるが、全てのｍ１が０となることはない。）
【００７９】
二価以上の連結基は、グリセリン誘導体基に含まれる、ケイ素原子への結合部位であって、その構造は特に限定されるものではないが、エチレン基、プロピレン基、ブチレン基、ヘキシレン基等のアルキレン基；エチレンフェニレン基、プロピレンフェニレン基等のアルキレンフェニレン基、エチレンベンジレン基等のアルキレンアラルキレン基；エチレノキシフェニレン基、プロピレノキシフェニレン基等のアルキレノキシフェニレン基；メチレノキシベンジレン基、エチレノキシベンジレン基、プロピレノキシベンジレン基等のアルキレノキシベンジレン基、更には以下に示される基が例示される。なお、二価以上の連結基中のエーテル結合は、０〜３個までが好ましく、０又は１個がより好ましい。
【００８０】
【化３２】
0006000640.tif 000033
【００８１】
Ｑは、好適には、下記構造式（４−１）〜（４−４）で示される親水性基である。
【００８２】
一般式（４−１）：
−Ｒ３（−Ｏ−Ｘ１ｍ−Ｒ４）ｐ      （４−１）
｛式中、
Ｒ３は、（ｐ＋１）価の有機基であり、
ｐは、１〜３の範囲の数であり、
Ｘ１は、各々独立に、上記一般式（３−１）〜（３−４）で表される親水性単位から選択される少なくとも１種以上の親水性単位であり、
ｍは、１〜１００の範囲の数であり、
Ｒ４は、水素原子、炭素原子数１〜２０のアルキル基、アシル基及びグリシジル基からなる群から選択される基である｝
【００８３】
一般式（４−２）：
−Ｒ３（−Ｏ−Ｘ２）ｐ      （４−２）
｛式中、
Ｒ３は、前記と同様の基であり、
ｐは、前記と同様の数であり、
Ｘ２は、下記構造式（４−２−１）； 
【化３３】
0006000640.tif 000034
（式中、２つの酸素原子には、各々独立に、上記一般式（３−１）〜（３−４）で表される親水性単位から選択される少なくとも１種以上の親水性単位が結合する）で表される親水性基である｝
【００８４】
一般式（４−３）：
−Ｒ３（−Ｏ−Ｘ３）ｐ      （４−３）
｛式中、
Ｒ３は、前記と同様の基であり、
ｐは、前記と同様の数であり、
Ｘ３は、下記構造式（４−３−１）； 
【化３４】
0006000640.tif 000035
（式中、２つの酸素原子には、各々独立に、上記一般式（３−１）〜（３−４）で表される親水性単位から選択される少なくとも１種以上の親水性単位が結合する）で表される親水性基である｝
【００８５】
一般式（４−４）：
−Ｒ３（−Ｏ−Ｘ４）ｐ      （４−４）
｛式中、
Ｒ３は、前記と同様の基であり、
ｐは、前記と同様の数であり、
Ｘ４は、下記構造式（４−４−１）； 
【化３５】
0006000640.tif 000036
（式中、２つの酸素原子には、各々独立に、上記一般式（３−１）〜（３−４）で表される親水性単位から選択される少なくとも１種以上の親水性単位が結合する）で表される親水性基である｝
【００８６】
Ｒ３として、前記の二価以上の連結基と同一の基を例示することができる。
【００８７】
特に好適には、ｐ１は１であり、好適なＲ３としては、下記一般式で示される２価の有機基から選択される基が例示できる。
【化３６】
0006000640.tif 000037
（式中、Ｒ３０は、各々独立に、置換基を有していてもよい、炭素数２〜２２の直鎖状若しくは分岐鎖状のアルキレン基、アルケニレン基又は炭素数６〜２２のアリーレン基である。）
【００８８】
Ｑは、より好適には、下記構造式（６−１）〜（６−４）で示される親水性基であり、これらは一般に、ポリグリセリン系の化合物から誘導されてなるグリセリン誘導体基である。
【化３７】
0006000640.tif 000038
【００８９】
式（６−１）〜（６−４）において、Ｒ２８は（ｐ１＋１）価の有機基であり、ｐ１は１以上３以下の数である。かかるＲ２８として、前記の二価以上の連結基と同一の基を例示することができる。
【００９０】
特に好適には、ｐ１は１であり、好適なＲ２８として上記一般式で示される２価の有機基から選択される基が例示できる。
【００９１】
Ｘ１は、各々独立に、下記一般式（４−１−１）〜（４−３−１）で表される親水性単位から選択される少なくとも１種以上の親水性単位であり、ｍ２は１〜５の範囲の数であり、特に好適には１〜４である。
【化３８】
0006000640.tif 000039
【化３９】
0006000640.tif 000040
【化４０】
0006000640.tif 000041
【００９２】
Ｘ２は、グリセリン誘導体基を含有してもよい任意のオキシアルキレン単位であり、ｑ２は０〜５０の範囲の数である。ｑ２の数は０〜３０の範囲の数であることが好ましく、０であることが好ましい。
なお、Ｘ２がオキシエチレン単位又はオキシプロピレン単位であることが好ましい。また、Ｘ２が連続して結合しているしている場合には、−（Ｃ２Ｈ４Ｏ）t1（Ｃ３Ｈ６Ｏ）t2−  で示されるポリオキシアルキレン単位（式中、t1及びt2は各々０以上の数であり、(t1+t2)は０〜５０の範囲の数であり、好ましくは０〜３０の範囲の数である。）としてグリセリン誘導体基に１種以上含まれることもできる。ただし、化粧料又は外用剤の処方全体としてＰＥＧ−ＦＲＥＥ処方を実現する場合には、オキシアルキレン単位の繰り返し数の平均値が２以上のオキシアルキレン構造を分子中に有しないことが好ましい。
【００９３】
ここで、Ｘ１及びＸ２の結合の形式は、ブロック状であってもランダム状であってもよい。すなわち、グリセリン誘導体基は、上記一般式（４−１−１）〜（４−３−１）で表される親水性単位がブロック状に結合してなる親水性セグメントと、ポリオキシアルキレン単位からなる親水性セグメントが結合してなる親水性基であってもよく、これらを構成する単位がランダムに結合してなる親水性基であってもよい。例えば、−（Ｘ２）m1−Ｘ１−（Ｘ２）m2−Ｘ１−のような結合形式が例示できる。
【００９４】
Ｒ２９は水素原子、炭素原子数１〜２０のアルキル基、アシル基及びグリシジル基からなる群から選択される基である。
【００９５】
本発明のオルガノポリシロキサンエラストマーの油剤に対する親和性及び乳化特性の点から、特に好適なグリセリン誘導体基は、下記構造式（６−１−１）で表される（ポリ）グリセリンから誘導されてなる親水性基である。
【化４１】
0006000640.tif 000042
（式中、Ｒ２８’は２価の有機基であり、前記と同様の基が例示でき、
Ｘ１及びＲ２９は前記と同様の基であり、
ｍ２は１〜５の範囲の数である）
【００９６】
本発明のオルガノポリシロキサンエラストマーにおいて、油剤に対する親和性及び乳化特性、各種処理剤（界面活性剤又は表面処理剤）としての使用、特に粉体処理剤としての使用及び化粧料原料としての使用の観点から、グリセリン誘導体基は、（ポリ）グリセリン系化合物から誘導されてなる親水性基であり、（ポリ）グリセリンから誘導されてなる親水性基であることが最も好ましい。具体的には、（ポリ）グリセリンモノアリルエーテル，（ポリ）グリセリルオイゲノールであって、モノグリセリン、ジグリセリン、トリグリセリン又はテトラグリセリン構造を有するグリセリン系化合物から誘導されてなる親水性基が好適である。
【００９７】
本発明に係るオルガノポリシロキサンエラストマーにおいて、油剤に対する親和性及びＰＥＧ−ＦＲＥＥ処方を実現可能な乳化特性の見地から、グリセリン誘導体基は、ジグリセリン誘導体基であることが特に好ましい。
【００９８】
グリセリン誘導体基は、上記構造式（４−１―１）〜（４−３−１）で表される親水性単位の繰り返し数の平均値が１．１〜２．９の範囲にあり、好適には繰り返し数の平均値が１．５〜２．４の範囲であり、より好適には、１．８〜２．２の範囲であり、最も好適には平均２である。親水性単位の繰り返し数の平均値が前期範囲にあると、長期間に亘って安定なエマルション組成物を得ることができる利点がある。
【００９９】
グリセリン単位の繰り返し数は、平均値であってよく、グリセリン単位の繰り返し数が２であるジグリセリン誘導体基が、他のグリセリン誘導体基に対して、全体の３０質量％を超える量であることが好ましく、５０質量％以上であることがより好ましく、８０質量％以上であることが特に好ましい。最も好ましいものは、ジグリセリン誘導体基の純度が９８質量％を超える純品である。また、ＰＥＧ−ＦＲＥＥ処方を目的とする場合、同官能基中にオキシアルキレン単位の繰り返し数の平均値が２以上のオキシアルキレン構造を有しないことが必要である。
【０１００】
グリセリン誘導体基は、より好適には、下記構造式（９）：
−Ｒ−Ｏ−Ｘｍ３−Ｈ          （９）
で表わされるグリセリン誘導体基である。式中、Ｒは二価有機基であり、上記の２価の連結基と同様の基が例示される。好適には、Ｒはオキシアルキレン単位の繰り返し数の平均値が２以上のオキシアルキレン構造を含有しない２価の連結基である。Ｘは上記構造式（４―１−１）〜（４−３−１）で表される親水性単位から選択される少なくとも１種以上のグリセリン単位である。ｍ３はグリセリン単位の繰り返し数であり、平均して１．５〜２．４の範囲の数である。なお、各グリセリン単位の繰り返し数の好適範囲は、前記と同様である。
【０１０１】
最も好適には、グリセリン誘導体基は、下記一般式（９−１）：
【化４２】
0006000640.tif 000043
（式中、Ｒは二価有機基を表す）、又は、下記一般式（９−２）：
【化４３】
0006000640.tif 000044
（式中、Ｒは上記のとおりである）で表わされるジグリセリン誘導体基である。
【０１０２】
本発明のオルガノポリシロキサンエラストマーにおいて、ジグリセリン誘導体基含有有機基は、ジグリセリンモノアリルエーテル、ジグリセリルオイゲノール等から誘導されてなる親水性基が好適である。
【０１０３】
本発明のオルガノポリシロキサンエラストマーは、
（Ａ）オルガノハイドロジェンポリシロキサン、
（Ｂ）反応性不飽和基を１分子中に１つ有するシロキサンデンドロン、並びに、
（Ｃ）（Ｃ１）１分子中に平均で１より大きい数の反応性不飽和基を有する有機化合物、及び、（Ｃ２）１分子中に１以上の反応性不飽和基及び１以上のエポキシ基を有する有機化合物からなる群から選択される１種類以上の有機化合物
を少なくとも反応させることにより製造することができる。
【０１０４】
特に、親水性基、好ましくはグリセリン誘導体基、を有する本発明のオルガノポリシロキサンエラストマーは、
（Ａ）オルガノハイドロジェンポリシロキサン、
（Ｂ）反応性不飽和基を１分子中に１つ有するシロキサンデンドロン、
（Ｃ）（Ｃ１）１分子中に平均で１より大きい数の反応性不飽和基を有する有機化合物、及び、（Ｃ２）１分子中に１以上の反応性不飽和基及び１以上のエポキシ基を有する有機化合物からなる群から選択される１種類以上の有機化合物｛但し、下記（Ｄ）が１分子中に平均で１より大きい数の反応性不飽和基を有する場合には（Ｃ）は任意である｝、並びに、
（Ｄ）反応性不飽和基及び上記構造式（３―１）〜（３−４）で表される親水性単位から選択される少なくとも１種以上の親水性単位を含有してなる親水性基を有する親水性誘導体
を少なくとも反応させることにより製造することができる。
【０１０５】
（Ａ）オルガノハイドロジェンポリシロキサンは、ケイ素原子水素原子を有する限り、特に限定されるものではないが、１分子中に平均で１個より多くの、好ましくは１．０１〜１００、より好ましくは１．１〜５０、更により好ましくは１．２〜２５の、特に好ましくは１．３〜１０のケイ素原子結合水素原子を有するものが好ましく、直鎖状、分岐状又は網状のオルガノポリシロキサンを使用することができる。オルガノハイドロジェンポリシロキサン上のケイ素原子結合水素原子の位置についても制限はなく、主鎖上、又は、末端のいずれに位置してもかまわない。（Ａ）成分としては１種類のオルガノハイドロジェンポリシロキサンを使用してもよく、２種類以上のオルガノハイドロジェンポリシロキサンを使用してもよい。
【０１０６】
(Ａ)成分としては、例えば、１,１,３,３−テトラメチルジシロキサン、１,３,５,７−テトラメチルシクロテトラシロキサン、両末端トリメチルシロキシ基封鎖メチルハイドロジェンポリシロキサン、両末端トリメチルシロキシ基封鎖ジメチルシロキサン・メチルハイドロジェンシロキサン共重合体、両末端ジメチルハイドロジェンシロキシ基封鎖ジメチルシロキサン、両末端ジメチルハイドロジェンシロキシ基封鎖ジメチルポリシロキサン、両末端ジメチルハイドロジェンシロキシ基封鎖ジメチルシロキサン・メチルハイドロジェンシロキサン共重合体、両末端トリメチルシロキシ基封鎖メチルハイドロジェンシロキサン・ジフェニルシロキサン共重合体、両末端トリメチルシロキシ基封鎖メチルハイドロジェンシロキサン・ジフェニルシロキサン・ジメチルシロキサン共重合体、(ＣＨ3)2ＨＳiＯ1/2単位とＳiＯ4/2単位とからなる共重合体、(ＣＨ3)2ＨＳiＯ1/2単位とＳiＯ4/2単位と(Ｃ6Ｈ5)ＳiＯ3/2単位とからなる共重合体が例示される。
【０１０７】
（Ａ）成分は、平均組成式（１）： 
Ｒ５ａＨｂＳｉＯ（４−ａ−ｂ）／２  （１）
（式中、
Ｒ５は、互いに独立して、一価有機基を表し、１．０≦ａ≦３．０、及び、０．００１≦ｂ≦１．５である）で表されるものが好ましい。
【０１０８】
（Ａ）オルガノハイドロジェンポリシロキサンの分子構造は限定されず、直鎖状、一部分岐状を有する直鎖状、分岐鎖状、環状、樹枝状が例示され、好ましくは直鎖状である。またその分子量は特に限定されず、低分子量体から高分子量体まで使用できる。具体的には、数平均分子量が１００〜１００万の範囲であることが好ましく、３００〜５０万の範囲がより好ましい。
【０１０９】
このようなオルガノハイドロジェンポリシロキサンとしては、下記構造式
（ｉ）Ｒ１３ＳｉＯ（Ｒ１２ＳｉＯ）ｖ（Ｒ１ＳｉＨＯ）ｗＳｉＲ１３
（ｉｉ）ＨＲ１２ＳｉＯ（Ｒ１２ＳｉＯ）ｖ（Ｒ１ＳｉＨＯ）ｚ１ＳｉＲ１３
（ｉｉｉ）ＨＲ１２ＳｉＯ（Ｒ１２ＳｉＯ）ｖ（Ｒ１ＳｉＨＯ）ｚ１ＳｉＲ１２Ｈ
（式中、Ｒ１は上記のとおりであり、ｖは０又は正の整数であり、ｗは正の整数であり、ｚ１は０又は正の整数である）で表されるオルガノハイドロジェンポリシロキサンが例示される。これらのオルガノハイドロジェンポリシロキサンは、（ｉ）側鎖のみ、（ｉｉ）側鎖又は分子鎖の片末端、（ｉｉｉ）側鎖又は分子鎖の両末端にケイ素原子結合水素原子を有する直鎖状オルガノハイドロジェンポリシロキサンである。
【０１１０】
一価有機基は、特に限定されるものではないが、以下の（Ｅ１）〜（Ｅ９）
（Ｅ１）炭素原子数１〜６０の、置換若しくは非置換の、直鎖状若しくは分岐状の一価炭化水素基、
（Ｅ２）−Ｒ１３Ｏ（ＡＯ）ｚＲ１４  （式中、ＡＯは、炭素原子数２〜４のオキシアルキレン基を表し、Ｒ１３は、炭素原子数３〜５の、置換若しくは非置換の、直鎖状若しくは分岐状の二価炭化水素基を表し、Ｒ１４は、水素原子、炭素原子数１〜２４の、置換若しくは非置換の、直鎖状若しくは分岐状の一価炭化水素基、又は、炭素原子数２〜２４の、置換若しくは非置換の、直鎖状若しくは分岐状のアシル基を表し、ｚ＝１〜１００である）で表されるポリオキシアルキレン基、
（Ｅ３）炭素原子数１〜３０の、置換若しくは非置換の、直鎖状若しくは分岐状のアルコキシ基、
（Ｅ４）水酸基、
（Ｅ５）−Ｒ１５−ＣＯＯＲ１６ （式中、Ｒ１５は、炭素原子数２〜２０の、置換若しくは非置換の、直鎖状若しくは分岐状の二価炭化水素基を表し、Ｒ１６は、炭素原子数１〜３０の、置換若しくは非置換の、直鎖状若しくは分岐状の一価炭化水素基を表す）で表されるエステル基、
（Ｅ６）−Ｒ１７−ＯＣＯＲ１８ （式中、Ｒ１７は、炭素原子数２〜２０の、置換若しくは非置換の、直鎖状若しくは分岐状の二価炭化水素基を表し、Ｒ１８は、炭素原子数１〜３０の、置換若しくは非置換の、直鎖状若しくは分岐状の一価炭化水素基を表す）で表されるエステル基
（Ｅ７）下記一般式（６）
【化４４】
0006000640.tif 000045
（式中、Ｒ１９は、それぞれ独立して、置換若しくは非置換の、直鎖状若しくは分岐状の、炭素原子数１〜３０の一価炭化水素基、水酸基又は水素原子であり、Ｒ１９のうち少なくとも一つは前記一価炭化水素基である。ｔは、２〜１０の範囲の数であり、ｒは１〜１００の範囲の数である）で表される、鎖状ポリシロキサン構造で置換されたアルキル基、
（Ｅ８）下記一般式（７）
【化４５】
0006000640.tif 000046
（式中、Ｒ２０は、置換若しくは非置換の、直鎖状若しくは分岐状の、炭素原子数２〜２０の二価炭化水素基を表す）で表される、エポキシ基、
（Ｅ９）下記一般式（８）
【化４６】
0006000640.tif 000047
（式中、Ｒ２１は、置換若しくは非置換の、直鎖状若しくは分岐状の、炭素原子数２〜２０の二価炭化水素基を表し、Ｒ１１及びＲ１２は前記の通りである）で表される、脂環式エポキシ基
から選ばれることが好ましい。
【０１１１】
本発明に係るオルガノポリシロキサンエラストマーにおいて、油剤に対する親和性及びＰＥＧ−ＦＲＥＥ処方を実現可能な乳化特性の見地から、分子中に、
（Ｅ１−１）炭素原子数９〜６０の、置換若しくは非置換の、直鎖状若しくは分岐状の一価炭化水素基、及び
（Ｅ８）上記一般式（６）で表される、鎖状ポリシロキサン構造で置換されたアルキル基、
から選ばれる少なくとも１つの一価有機基を更に有することが好ましく、これらは、対応する（Ｃ）成分を（Ａ）成分と反応させることにより、本発明に係るオルガノポリシロキサンエラストマーの分子中に導入される。これらの官能基は、疎水性が高く、油剤との親和性に優れるため、前記のグリセリン誘導体基と共に用いることで、本発明に係るオルガノポリシロキサンエラストマーの乳化特性（幅広い油剤種への対応力）を更に改善できる利点がある。これらの官能基は、２種以上を分子内に導入することができ、かつ好ましい。
【０１１２】
（Ｅ１）、（Ｅ２）及び（Ｅ５）〜（Ｅ７）における、置換若しくは非置換の、直鎖状若しくは分岐状の一価炭化水素基としては、例えば、メチル基、エチル基、プロピル基、ブチル基、ペンチル基、ヘキシル基、ヘプチル基、オクチル基等のアルキル基；シクロペンチル基、シクロヘキシル基等のシクロアルキル基；ビニル基、アリル基、ブテニル基等のアルケニル基；フェニル基、トリル基等のアリール基；ベンジル基等のアラルキル基；及び、これらの基の炭素原子に結合した水素原子が少なくとも部分的にフッ素等のハロゲン原子、又は、エポキシ基、グリシジル基、アシル基、カルボキシル基、アミノ基、メタクリル基、メルカプト基等を含む有機基で置換された基が挙げられる。一価炭化水素基は、アルケニル基以外の基であることが好ましく、メチル基、エチル基、又は、フェニル基が特に好ましい。
【０１１３】
（Ｅ２）、（Ｅ５）、（Ｅ６）、（Ｅ８）及び（Ｅ９）における、置換若しくは非置換の、直鎖状若しくは分岐状の二価炭化水素基は既述のとおりである。
【０１１４】
（Ｅ３）における、置換若しくは非置換の、直鎖状若しくは分岐状のアルコキシ基としては、メトキシ基、エトキシ基、イソプロポキシ基、ブトキシ基等低級アルコキシ基や、ラウリルアルコキシ基、ミリスチルアルコキシ基、パルミチルアルコキシ基、オレイルアルコキシ基、ステアリルアルコキシ基、ベへニルアルコキシ基等高級アルコキシ基等が例示される。
【０１１５】
（Ｂ）成分としては、１以上の不飽和結合及びシロキサンデンドロン構造を有する限り特に限定されるものではないが、下記一般式（２’）で表される、分子鎖末端に１個の炭素−炭素二重結合を有するシロキサンデンドロン構造を有する化合物が好ましい。
一般式（２’）：
【化４７】
0006000640.tif 000048
{式中、
Ｌ´１は、炭素原子数１〜６のアルキル基若しくはフェニル基、又は、ｊ＝１のときの下記一般式（２”）；
【化４８】
0006000640.tif 000049
（式中、
Ｒ２は、炭素原子数１〜６のアルキル基又はフェニル基であり、
Ｚは、二価有機基であり、
ｊは、Ｌｊで示されるシリルアルキル基の階層を示し、該シリルアルキル基の繰り返し数である階層数がｋ’のとき１〜ｋ’の整数であり、階層数ｋ’は１〜１０の整数であり、Ｌｊ＋１はｊがｋ’未満のときは該シリルアルキル基であり、ｊ＝ｋ’のときはＲ２であり、
ａｊは、０〜３の範囲の数である）で示されるシリルアルキル基であり、
Ｚ´は、二価有機基であり、
Ｒ６は、水素原子又はメチル基である｝
【０１１６】
Ｒ２及びＺの具体例は上記のとおりであり、Ｚ´の二価有機基としては、Ｚの二価有機基と同様のものが挙げられる。
【０１１７】
前記（Ｃ）成分としては、１分子中に平均で１個より多くの、好ましくは１．０１〜１０、より好ましくは１．２〜８、更により好ましくは１．５〜６の、特に好ましくは２．０〜４．５の不飽和結合、好ましくは炭素−炭素二重結合、を有する限り構造上の制限はなく、直鎖状、分岐状又は網状の、有機化合物を使用することができる。有機化合物としては、オルガノポリシロキサン又は不飽和脂肪族炭化水素が好ましい。有機化合物、好ましくはオルガノポリシロキサン又は不飽和脂肪族炭化水素、上の不飽和結合の位置についても制限はなく、主鎖上、又は、末端のいずれに位置してもかまわない。但し、架橋密度コントロールの容易さの点からは、一分子中に２つの不飽和基を有し、たとえばそれらが両末端に位置する高純度の化合物を用いることが好ましい。
【０１１８】
反応性不飽和基は不飽和脂肪族炭化水素基中に存在することが好ましい。不飽和脂肪族炭化水素基としては、炭素原子数２〜３０のものが好ましく、２〜２０のものがより好ましい。炭素原子数２〜３０の一価の不飽和脂肪族炭化水素基としては、例えば、ビニル基、１−プロペニル基、アリル基、イソプロペニル基、１−ブテニル、２−ブテニル基、ペンテニル基、ヘキセニル基等の直鎖又は分岐状のアルケニル基；シクロペンテニル基、シクロヘキセニル基等のシクロアルケニル基；シクロペンテニルエチル基、シクロヘキセニルエチル基、シクロヘキセニルプロピル基等のシクロアルケニルアルキル基；及び、エチニル基、プロパルギル基等のアルキニル基が挙げられる。アルケニル基が好ましく、ビニル基及びヘキセニル基が特に好ましい。
【０１１９】
（Ｃ１）成分がオルガノポリシロキサンである場合は、反応性不飽和基を含む不飽和脂肪族炭化水素基はケイ素原子に結合することが好ましい。また、（Ｃ１）成分がオルガノポリシロキサンである場合は、不飽和脂肪族炭化水素以外のケイ素原子に結合する基は、置換若しくは非置換の一価炭化水素基、又は、反応性官能基を有する一価有機基とすることができる。
【０１２０】
置換若しくは非置換の一価炭化水素基は、典型的には、置換若しくは非置換の、直鎖状若しくは分岐状の、炭素原子数１〜３０、好ましくは炭素原子数１〜１０、より好ましくは炭素原子数１〜４の一価の飽和炭化水素基、炭素原子数６〜３０、より好ましくは炭素原子数６〜１２の一価の芳香族炭化水素基である。なお、（Ｃ１）成分は、一価有機基として水酸基やメトキシ基、エトキシ基、プロポキシ基、ブトキシ基等の炭素原子数１〜１２のアルコキシ基を有していてもよい。
【０１２１】
炭素原子数１〜３０の一価の飽和炭化水素基としては、例えば、メチル基、エチル基、ｎ−プロピル基、イソプロピル基、ｎ−ブチル基、イソブチル基、sec−ブチル基、tert−ブチル基、ペンチル基、ヘキシル基、ヘプチル基、オクチル基、ノニル基、デシル基等の直鎖又は分岐状のアルキル基、並びに、シクロペンチル基、シクロヘキシル基、シクロヘプチル基、シクロオクチル基等のシクロアルキル基が挙げられる。
【０１２２】
炭素原子数６〜３０の一価の芳香族炭化水素基としては、例えば、フェニル基、トリル基、キシリル基、メシチル基等のアリール基が挙げられる。フェニル基が好ましい。なお、本明細書において芳香族炭化水素基とは、芳香族炭化水素のみからなる基以外に、芳香族炭化水素と脂肪族飽和炭化水素が複合した基をも含む。芳香族炭化水素と飽和炭化水素が複合した基の例としては、例えば、ベンジル基、フェネチル基等のアラルキル基が挙げられる。
【０１２３】
上記の一価炭化水素基上の水素原子は、１以上の置換基によって置換されていてもよく、当該置換基は、例えば、ハロゲン原子（フッ素原子、塩素原子、臭素原子及びヨウ素原子）、水酸基、アミド基、エステル基、カルボキシル基、及び、イソシアネート基からなる群から選択される。上記置換基を少なくとも１つ有する一価飽和若しくは芳香族炭化水素基が好ましい。具体的には、３，３，３−トリフロロプロピル基、３―クロロプロピル基、３−ヒドロキシプロピル基、３−（２−ヒドロキシエトキシ）プロピル基、３−カルボキシプロピル基、１０−カルボキシデシル基、３−イソシアネートプロピル基等を挙げることができる。
【０１２４】
反応性官能基を有する一価有機基としては、例えば、水酸基、メルカプト基、エポキシ基、アミノ基、アミド基、エステル基、カルボキシル基、及び、イソシアネート基からなる群から選択される反応性官能基を有する一価飽和若しくは芳香族炭化水素基が挙げられる。一価有機基に存在する反応性官能基は１つであっても、複数であってもよい。好ましいＲ１は、上記の反応性官能性基を少なくとも１つ有する一価飽和若しくは芳香族炭化水素基である。反応性官能基としては、具体的には、３−ヒドロキシプロピル基、３−（２−ヒドロキシエトキシ）プロピル基、３−メルカプトプロピル基、２，３−エポキシプロピル基、３，４−エポキシブチル基、４，５−エポキシペンチル基、２−グリシドキシエチル基、３−グリシドキシプロピル基、４−グリシドキシブチル基、２−（３，４−エポキシシクロヘキシル）エチル基、３−（３，４−エポキシシクロヘキシル）プロピル基、アミノプロピル基、Ｎ−メチルアミノプロピル基、Ｎ−ブチルアミノプロピル基、Ｎ，Ｎ−ジブチルアミノプロピル基、３−（２−アミノエトキシ）プロピル基、３−（２−アミノエチルアミノ）プロピル基、３−カルボキシプロピル基、１０−カルボキシデシル基、３−イソシアネートプロピル基等を挙げることができる。
【０１２５】
（Ｃ１）成分としては、直鎖状若しくは分岐状のポリシロキサンが好ましい。直鎖状の（Ｃ１）成分としては、ジオルガノシロキサン単位及びトリオルガノシロキシ単位を含む重合体であることが好ましく、例えば、分子鎖両末端ジメチルビニルシロキシ基封鎖ジメチルポリシロキサン、分子鎖両末端ジメチルビニルシロキシ基封鎖ジメチルシロキサン・メチルフェニルシロキサン共重合体、分子鎖両末端ジメチルビニルシロキシ基封鎖ジメチルシロキサン・メチルビニルシロキサン共重合体、分子鎖両末端トリメチルシロキシ基封鎖ジメチルシロキサン・メチルビニルシロキサン共重合体、分子鎖両末端トリメチルシロキシ基封鎖ジメチルシロキサン・メチルビニルシロキサン・メチルフェニルシロキサン共重合体、分子鎖両末端シラノール基封鎖ジメチルシロキサン・メチルビニルシロキサン共重合体、これらの重合体のメチル基の一部がエチル基、プロピル基等のメチル基以外のアルキル基や３，３，３−トリフロロプロピル基等のハロゲン化アルキル基で置換された重合体、及び、これらの重合体の２種以上の混合物が例示され、特に、分子鎖両末端のみに不飽和脂肪族炭化水素基、特にアルケニル基を有する直鎖状のジオルガノポリシロキサンであることが好ましい。
【０１２６】
分枝鎖状の（Ｃ１）成分としては、特に、ジオルガノシロキサン単位、オルガノシルセスキオキサン単位、及びトリオルガノシロキシ単位を含む重合体であることが好ましい。これらの単位中のケイ素原子結合有機基としては、メチル基、エチル基、プロピル基等のアルキル基；ビニル基、アリル基、ブテニル基、ヘキセニル基等のアルケニル基；フェニル基、トリル基等のアリール基；３，３，３−トリフロロプロピル基等のハロゲン化アルキル基等の一価炭化水素基が好ましく、極少量の水酸基、更にはメトキシ基等のアルコキシ基を有していてもよいが、この重合体中の少なくとも２個のケイ素原子結合有機基は不飽和脂肪族炭化水素基、特にアルケニル基であることが必要である。また、これらの単位の比率は限定されないが、この重合体において、ジオルガノシロキサン単位が８０．００〜９９．６５モル％の範囲内の量であり、オルガノシルセスキオキサン単位が０．１０〜１０．００モル％の範囲内の量であり、及び残りのモル％がトリオルガノシロキシ単位であることが好ましい。
【０１２７】
（Ｃ１）成分としては、例えば、平均組成式（５−５）：
Ｒ７ｃＲ８ｄＳｉＯ（４−ｃ−ｄ）／２  （５−５）
（式中、
Ｒ７は、互いに独立してもよいがＲ８とは異なる一価有機基を表し、
Ｒ８は、互いに独立して、炭素原子数２〜３０の一価の不飽和脂肪族炭化水素基を表し、１．０≦ｃ≦２．５、及び、０．００１≦ｄ≦１．５である）で表される（Ｃ１−５）不飽和基含有シリコーン化合物が挙げられる。炭素原子数２〜３０の一価の不飽和脂肪族炭化水素基は既述のとおりである。
【０１２８】
平均組成式（５−５）において、Ｒ７である一価有機基は特に限定されるものではないが、以下の（Ｆ１）〜（Ｆ６）：
（Ｆ１）炭素原子数１〜６０の、置換若しくは非置換の、直鎖状若しくは分岐状の一価炭化水素基（但し、脂肪族不飽和基を有する炭素原子数２〜２０の一価炭化水素基を除く）
（Ｆ２）水酸基
（Ｆ３）−Ｒ１５−ＣＯＯＲ１６ （式中、Ｒ１５及びＲ１６は上記の通りである）で表されるエステル基
（Ｆ４）−Ｒ１７−ＯＣＯＲ１８ （式中、Ｒ１７及びＲ１８は上記の通りである）で表されるエステル基
（Ｆ５）−Ｒ２４−ＮＲ２５ＣＯＲ２６ （式中、Ｒ２４は炭素原子数２〜２０の、置換若しくは非置換の、直鎖状若しくは分岐状の二価炭化水素基を表し、Ｒ２５は水素原子又は炭素原子数１〜２０の置換若しくは非置換の、直鎖状若しくは分岐状の一価炭化水素基を表し、Ｒ２６は炭素原子数１〜３０の置換若しくは非置換の、直鎖状若しくは分岐状の一価炭化水素基を表す）で表されるアミド基
（Ｆ６）−Ｒ２４−ＣＯＮＲ２５Ｒ２７ （式中、Ｒ２４は炭素原子数２〜２０の、置換若しくは非置換の、直鎖状若しくは分岐状の二価炭化水素基を表し、Ｒ２５及びＲ２７は、各々独立に、水素原子又は炭素原子数１〜２０の置換若しくは非置換の、直鎖状若しくは分岐状の一価炭化水素基を表す）で表されるアミド基
から選ばれるものが好ましい。置換若しくは非置換の、直鎖状若しくは分岐状の一価炭化水素基又は二価炭化水素基の定義、種類等は既述のとおりである。
【０１２９】
一方、（Ｃ１）成分は、不飽和脂肪族炭化水素であってもよい。不飽和脂肪族炭化水素としては、例えば、各種の、ジエン、ジイン、エンイン等の２以上の不飽和結合を有するが挙げられる。架橋の点ではジエン、ジイン、及び  エンインが好ましい。ジエン、ジイン、及び、エンインは、少なくとも２つの不飽和結合が分子内で１以上、好ましくは２以上、の単結合によって隔てられた構造を有する化合物群である。これらの不飽和脂肪族炭化水素基は分子鎖末端に存在してもよく、分子鎖途中にペンダント基として存在してもよい。
【０１３０】
（Ｃ１）成分としての不飽和脂肪族炭化水素としては、例えば、炭素原子数２〜３０のα，ω−不飽和アルケン及びアルキンが挙げられる。（Ｃ１）成分としては、例えば、一般式（５−１）：
ＣＨ２＝ＣＨ（ＣＨ２）ｘＣＨ＝ＣＨ２  （５−１）
（式中、１≦ｘ≦２０である）で表される（Ｃ１−１）α，ω−ジエン、一般式（５−２）：
ＣＨ≡Ｃ（ＣＨ２）ｘＣ≡ＣＨ  （５−２）
（式中、１≦ｘ≦２０である）で表されるα，ω−ジイン（Ｃ１−２）、一般式（５−３）：
ＣＨ２＝ＣＨ（ＣＨ２）ｘＣ≡ＣＨ  （５−３）
（式中、１≦ｘ≦２０である）で表される（Ｃ１−３）  α，ω−エン−イン、一般式（５−４）：
ＣｑＨ２ｑ−１Ｏ（ＣｎＨ２ｎＯ）ｙＣｑＨ２ｑ−１  （５−４）
（式中、２≦ｑ≦２０、２≦ｎ≦４、ｙはオキシエチレン単位、オキシプロピレン単位、オキシブチレン単位の繰返し数の合計値であり、１≦ｙ≦１８０である）で表される（Ｃ１−４）ビスアルケニルポリエーテル化合物が挙げられる。
【０１３１】
（Ｃ１）成分としての不飽和脂肪族炭化水素としては、具体的には、１，４−ペンタジエン、１，５−ヘキサジエン、１，６−ヘプタジエン、１，７−オクタジエン、１，８−ノナジエン、１，９−デカジエン、１，１１−ドデカジエン、１，１３−テトラデカジエン、１，１９−エイコサジエン、１，３−ブタジエン、１，５−ヘキサジイン、１−ヘキセン−５−イン等が挙げられる。
【０１３２】
（Ｃ１）成分は単独で使用することもできるし、構造の異なる２種以上の成分を併用することも可能である。すなわち、（Ｃ１）成分は、１種類以上のオルガノポリシロキサン及び１種類以上の不飽和脂肪族炭化水素の混合物であってもよい。したがって、ここでの「平均で１より大きい数の不飽和結合を有する」とは、２種以上のオルガノポリシロキサン及び／又は不飽和脂肪族炭化水素を使用した場合には、平均して、１分子当たり１個より多くの不飽和結合を有するという意味である。
【０１３３】
（Ｃ）成分としての（Ｃ２）１分子中に１以上の不飽和結合及び１以上のエポキシ基を有する有機化合物としては、１分子中に合計で２以上の、好ましくは２〜１０、より好ましくは２〜７、更により好ましくは２〜５の、特に好ましくは２〜４の不飽和結合及びエポキシ基を有する限り構造上の制限はなく、直鎖状、分岐状又は網状の、有機化合物を使用することができる。有機化合物としては、オルガノポリシロキサン又は不飽和脂肪族炭化水素が好ましい。有機化合物、好ましくはオルガノポリシロキサン又は不飽和脂肪族炭化水素、上の不飽和結合の位置についても制限はなく、主鎖上、又は、末端のいずれに位置してもかまわない。但し、架橋密度コントロールの容易さの点からは、一分子中の不飽和基とエポキシ基の合計が２である、高純度の化合物を用いることが好ましい。
【０１３４】
不飽和結合は不飽和脂肪族炭化水素基中に存在することが好ましい。不飽和脂肪族炭化水素基としては既述したものを挙げることができる。
【０１３５】
（Ｃ２）成分がオルガノポリシロキサンである場合は、不飽和結合を含む不飽和脂肪族炭化水素基及び／又はエポキシ基はケイ素原子に結合することが好ましい。また、（Ｃ２）成分がオルガノポリシロキサンである場合は、不飽和脂肪族炭化水素又はエポキシ基以外のケイ素原子に結合する基は、既述の、置換若しくは非置換の一価炭化水素基、又は、反応性官能基を有する一価有機基とすることができる。
【０１３６】
（Ｃ２）成分としては、少なくとも１つのエポキシ基を有するエポキシ基含有不飽和脂肪族炭化水素が好ましい。不飽和脂肪族炭化水素としては、例えば、既述した、不飽和脂肪族炭化水素基を有する化合物が挙げられる。一価不飽和脂肪族炭化水素基を有する化合物が好ましい。
【０１３７】
（Ｃ２）成分としては、例えば、一般式  （５−６）：
【化４９】
0006000640.tif 000050
（式中、Ｒ９は、１つの不飽和結合を有しており、置換若しくは非置換の、直鎖状若しくは分岐状の、炭素原子数２〜２０の一価炭化水素基を表す）で表される（Ｃ２−１）不飽和エポキシ化合物、
一般式（５−７）：
【化５０】
0006000640.tif 000051
（式中、Ｒ１０は、１つの不飽和結合を有しており、置換若しくは非置換の、直鎖状若しくは分岐状の、炭素原子数２〜２０の一価炭化水素基を表し、
Ｒ１１は、水素原子又はメチル基を表し、
Ｒ１２は水素原子又はメチル基を表す）で表される、（Ｃ２−２）不飽和基含有脂環式エポキシ化合物が挙げられる。上記一般式における不飽和結合、及び、置換若しくは非置換の、直鎖状若しくは分岐状の一価炭化水素基の定義、種類等は既述のとおりである。
【０１３８】
（Ｃ２）成分としてのエポキシ基含有不飽和脂肪族炭化水素としては、具体的には、アリルグリシジルエーテル、メタリルグリシジルエーテル、１−メチル−４−イソプロペニルシクロヘキセンオキシド、１，４−ジメチルシクロヘキセンオキシド、４−ビニルシクロヘキセンオキシド、ビニルノルボルネンモノオキシド、ジシクロペンタジエンモノオキシド、ブタジエンモノオキシド、１，２−エポキシ−５−ヘキセン、１，２−エポキシ−９−デセン、２，６−ジメチル−２，３−エポキシ−７−オクテンが例示される。これらの中でも、４−ビニルシクロヘキセンオキシドが好ましい。
【０１３９】
（Ｃ２）成分は単独で使用することもできるし、構造の異なる２種以上の成分を併用することも可能である。
【０１４０】
（Ｄ）反応性不飽和基及び上記構造式（３―１）〜（３−４）で表される親水性単位から選択される少なくとも１種以上の親水性単位を含有してなる親水性基を有する親水性誘導体としては、１以上の不飽和結合及び親水性基を有する限り特に限定されるものではないが、好適には、分子鎖の末端に炭素−炭素二重結合を有するグリセリン誘導体である。これらは、アリル（ポリ）グリセロール、アリルポリグリシジルエーテル、（ポリ）グリセリンモノアリルエーテル等の分子鎖末端にアルケニル基等の反応性官能基を有する（ポリ）グリセリン誘導体であり、公知の方法により合成することができる。
【０１４１】
本発明に係るオルガノポリシロキサンエラストマーにおいて、油剤に対する親和性及び乳化特性、各種処理剤（界面活性剤又は表面処理剤）としての使用、特に粉体処理剤としての使用及び化粧料原料としての使用の観点から、（Ｂ）成分は、具体的には、（ポリ）グリセリンモノアリルエーテル，（ポリ）グリセリルオイゲノールであって、モノグリセリン、ジグリセリン、トリグリセリン又はテトラグリセリン構造を有する（ポリ）グリセリン系化合物である。グリセリン誘導体基のグリセリン残基部分の好適な構造及び、好適な誘導体基を与える化合物の構造等は、前記の通りである。
【０１４２】
本発明のオルガノポリシロキサンエラストマーを製造するための反応は、反応溶媒の存在下又は不存在下、公知の方法に従って行うことができる。本発明における不飽和基とＳi-H基との反応はヒドロシリル化反応である。また、（Ｃ２）１分子中に１以上の不飽和結合及び１以上のエポキシ基を有する有機化合物エポキシドを利用して架橋を行う場合には、不飽和基とＳi-H基との反応による結合と、エポキシ基同士の自己開環重合（ＳｉＨ基と白金触媒の存在下で生じるカチオン性の重合反応）によるエーテル結合生成の両方が起こり、架橋が形成される。この反応を促進するため、紫外線等高エネルギー線の照射や一般的なカチオン重合用触媒を更に追加することもできる。
【０１４３】
反応溶媒としては、非反応性であれば特に限定されるものではないが、エタノール、イソプロピルアルコール等のアルコール系溶剤；トルエン、キシレン等の芳香族炭化水素系溶剤；ジオキサン、ＴＨＦ等のエーテル系溶剤；n−ヘキサン、シクロヘキサン、ｎ−ヘプタン、シクロヘプタン、メチルシクロヘキサン等の脂肪族炭化水素系溶剤；四塩化炭素等の塩素化炭化水素系の有機溶剤を挙げることができる。後述する油剤を反応溶媒として使用してもよい。反応溶媒として油剤を用いた場合、ヒドロシリル化反応（架橋）後に、オルガノポリシロキサン及び油剤からなる組成物を直接得ることができ、また、これを機械力を用いて粉砕することにより、粒子状のオルガノポリシロキサンエラストマー及び油剤からなる組成物、好適にはペースト状組成物を容易に得ることができる。
【０１４４】
ヒドロシリル化反応は、触媒の不存在下で行ってもよいが、触媒の存在下に行うことにより低温で、短時間に反応が進行するので好ましい。ヒドロシリル化反応触媒としては、例えば、白金、ルテニウム、ロジウム、パラジウム、オスミウム、イリジウム等の化合物を挙げることができ、その触媒活性が高いことから白金化合物が特に有効である。白金化合物の例としては、塩化白金酸；金属白金；アルミナ、シリカ、カーボンブラック等の坦体に金属白金を坦持させたもの；白金−ビニルシロキサン錯体、白金−ホスフイン錯体、白金−ホスファイト錯体、白金アルコラート触媒等の白金錯体を挙げることができる。触媒の使用量は、白金触媒を使用する場合、金属白金として０．５〜１０００ｐｐｍ程度である。
【０１４５】
ヒドロシリル化反応の反応温度としては、通常３０〜１２０℃であり、反応時間は、通常１０分間〜２４時間、好ましくは１〜１０時間である。
【０１４６】
ヒドロシリル化反応又はエポキシ基のカチオン性重合反応により、（Ａ）成分は（Ｃ）成分によって架橋され、（Ａ）成分由来のポリシロキサン鎖が（Ｃ）成分由来の炭素−ケイ素結合を含む架橋部によって連結される。また、（Ａ）成分は（Ｂ）成分由来のシロキサンデンドロン構造を備える。そして、（Ｄ）成分を使用する場合は、（Ｄ）成分由来のグリセリン誘導体基をも備える。このようにして、本発明のオルガノポリシロキサンエラストマーを得ることができる。但し、（Ｄ）成分が１分子中に１を超える反応性不飽和基を有していてもよく、この場合には（Ｄ）成分が架橋成分として（Ｃ）成分の働きを兼ねることもできるので、（Ｃ）成分は必ずしも必要ではない。
【０１４７】
なお、本発明のオルガノポリシロキサンエラストマーは、典型的には（Ｃ）成分由来の炭素−ケイ素結合を含む架橋部により連結されてなる構造を有するものであるが、一部にSi-O-C結合による架橋部を有していてもよい。当該構造は、（Ａ）〜（Ｃ）成分がシラノール基、アルコキシ基等の縮合反応可能な官能基を有する場合に、ポリシロキサン鎖間に形成されうる他、架橋条件がシビアである場合に、（Ｄ）成分由来のグリセリン誘導体基中の水酸基が（Ａ）成分のSi-H基と一部反応して、副次的に形成されうるためである。
【０１４８】
本発明のオルガノポリシロキサンエラストマーの製造にあたっては、（Ａ）成分と（Ｂ）成分の反応後に、（Ｃ）成分及び／又は（Ｄ）成分を（Ａ）成分と更に反応させてもよいし、（Ａ）成分と（Ｃ）成分及び／又は（Ｄ）成分の反応後に（Ｂ）成分を（Ａ）成分と更に反応させてもよい。
【０１４９】
（Ａ）成分と（Ｂ）成分の反応後に、（Ｃ）成分及び／又は（Ｄ）成分を（Ａ）成分と更に反応させる場合、（Ｃ）成分及び／又は（Ｄ）成分の不飽和結合と反応する（Ａ）成分の１分子当たりのケイ素原子結合水素原子数の平均値は０．１以上２未満が好ましい。すなわち、架橋部を構成し、（Ｃ）成分及び／又は（Ｄ）成分中の不飽和結合と反応する、（Ａ）成分中の１分子あたりのケイ素原子結合水素原子の数は、平均して、１．０以上であり、０．２〜１．５の範囲であることが好ましく、０．６〜１．３の範囲が特に好ましい。
【０１５０】
更に、前記オルガノポリシロキサンエラストマーは、不飽和化合物の残存による反応後の臭気改善を目的として、水素添加処理を行ってもよい。水素添加処理には、加圧水素ガスを使用する方法と金属水素化物等の水素添加剤による方法とがあり、更に、該水素添加処理には均一反応と不均一反応がある。これらの一方を単独で行うこともできるが、これらを組合せて行うことも可能である。しかし、使用した触媒が製品に残存しないという利点を考慮すると、固体触媒を用いた不均一接触水素添加反応が最も好ましい。
【０１５１】
固体触媒（水素化触媒）としては、一般的な白金系触媒及びパラジウム系触媒等の貴金属系触媒、並びにニッケル系触媒を用いることができる。より具体的には、ニッケル、バラジウム、白金、ロジウム、コバルト等の単体並びに白金−パラジウム、ニッケル−銅−クロム、ニッケル−銅−亜鉛、ニッケル−夕ングステン及びニッケル−モリブデン等の複数の金属を組み合わせた触媒を例示することができる。任意に使用される触媒担体としては、活性炭、シリカ、シリカアルミナ、アルミナ、ゼオライト等を挙げることができる。また、Cu-Cr 、Cu-Zn 、Cu-Si 、Cu-Fe-Al、Cu-Zn-Ti等の銅含有水素化触媒等があげられる。前記水素化触媒の形態は、反応器の種類によって異なるので一概には決定することができないが、通常、粉末、顆粒、錠剤等の形態から適宜選択することができる。また、合成工程（ヒドロシリル化反応）で使用した白金触媒をそのまま使用することもできる。これらの水素化触媒は、単独で又は２種以上を組み合わせて使用することができる。
【０１５２】
水素添加処理は、上記したヒドロシリル化反応により得られたオルガノポリシロキサンエラストマーの粗製品を精製するためにも使用することができる。具体的には、水素化触媒の存在下、溶媒中若しくは無溶媒中で水素添加処理による無臭化を行って精製することができ、臭気の低減及び他の成分との相溶性が求められる外用剤又は化粧料用途ではかかる精製品が好ましく用いられる。また、前記無臭化の前工程又は後工程として、オルガノポリシロキサンエラストマーの粗製品又は水素添加物に対して、減圧下に窒素ガスを接触させて軽質物を留去するストリッピング処理を行うことが好ましい。
【０１５３】
本発明のオルガノポリシロキサンエラストマーの製造にあたっては、（Ａ）成分、（Ｂ）成分並びに（Ｃ）成分及び／又は（Ｄ）成分に加えて、（Ｑ）１分子中に１つの不飽和結合を有する有機化合物（但し、成分（Ｃ２）を除く）を更に反応させてもよい。１種類の（Ｑ）成分を使用してもよく、２種類以上の（Ｑ）成分を使用してもよい。前記反応は、好ましくはヒドロシリル化反応触媒の存在下に、逐次的に実施することができる。なお、（Ｑ）成分における不飽和結合の定義、種類等は既述のとおりである。
【０１５４】
例えば、（Ａ）成分と（Ｂ）成分との反応後に（Ｃ）成分及び／又は（Ｄ）成分を（Ａ）成分と更に反応させる場合は、（Ａ）成分と（Ｂ）成分との反応前に（Ｑ）成分を（Ａ）成分と反応させるか、（Ａ）成分と（Ｂ）成分との反応後に（Ｑ）成分を（Ａ）成分と反応させるか、又は、（Ｃ）成分及び／又は（Ｄ）成分の反応後に更に（Ｑ）成分を（Ａ）成分と反応させてもよい。
【０１５５】
また、（Ａ）成分と（Ｃ）成分及び／又は（Ｄ）成分との反応後に（Ｂ）成分を（Ａ）成分と更に反応させる場合は、（Ａ）成分と（Ｃ）成分及び／又は（Ｄ）成分との反応前に（Ｑ）成分を（Ａ）成分と反応させるか、（Ａ）成分と（Ｃ）成分及び／又は（Ｄ）成分との反応後に（Ｑ）成分を（Ａ）成分と反応させるか、又は、（Ｂ）の反応後に更に（Ｑ）成分を（Ａ）成分と反応させてもよい。
【０１５６】
（Ｑ）成分としては、例えば、反応性不飽和基を１分子中に１つ有する炭化水素化合物又は反応性不飽和基を１分子中に１つ有する鎖状オルガノポリシロキサン等が挙げられる。
【０１５７】
反応性不飽和基を１分子中に１つ有する炭化水素化合物としては、炭素原子数９〜３０のモノ不飽和炭化水素が好ましく、１−アルケンがより好ましい。１−アルケンとしては、１−ノネン、１−デセン、１−ウンデセン、１−ドデセン、１−トリデセン、１−テトラデセン等が例示される。反応性不飽和基を１分子中に１つ有する鎖状オルガノポリシロキサンとしては、片末端ビニル基封鎖ジメチルポリシロキサン、片末端ビニル基封鎖メチルフェニルポリシロキサン等が例示される。
【０１５８】
本発明のオルガノポリシロキサンエラストマーの製造にあたっては、（Ａ）成分、（Ｂ）成分、（Ｃ）成分及び／又は（Ｄ）成分、並びに、任意に（Ｑ）成分、のヒドロシリル化反応によって得られた本発明のオルガノポリシロキサンエラストマーを少なくとも１種の酸性物質で処理する酸処理行程を更に実施することが好ましい。これにより、前記オルガノポリシロキサンエラストマーの低臭化を図ることができる。
【０１５９】
酸性物質は特に限定されるものではなく、ルイス酸、ブレンステッド酸、又は、アレニウス酸のいずれの定義に合致するものであってよい。本発明で使用される酸性物質は水溶性酸であることが好ましい。したがって、本発明で使用される酸性物質は水溶液中でプロトンを放出するアレニウス酸であることが好ましい。酸性物質は１種類を単独で使用してもよく、また、２種類以上を使用してもよい。本発明では、そのような酸性物質を用いることにより、炭素−酸素結合やケイ素−酸素結合の切断を生じることなく、オルガノポリシロキサンエラストマーを実質的に無臭化し、経時での臭気生成をほぼ完全に抑制することができる。
【０１６０】
前記酸性物質は、無機酸、有機酸、酸性無機塩、及び、酸性白金触媒からなる群から選択されることができる。
【０１６１】
無機酸は特に限定されるものではないが、例えば、塩酸、硫酸、硝酸、リン酸、炭酸、ホウ酸、スルホン酸、スルフィン酸等が挙げられる。なお、ベンゼンスルホン酸等の有機基を含むものは無機酸としては好ましくない。
【０１６２】
有機酸も特に限定されるものではないが、モノカルボン酸（モノヒドロキシモノカルボン酸、ジヒドロキシモノカルボン酸を含む）、ジカルボン酸（モノヒドロキシジカルボン酸、ジヒドロキシジカルボン酸を含む）、ポリカルボン酸等を使用することが可能であり、例えば、
蟻酸、酢酸、トリフルオロ酢酸、プロピオン酸、酪酸、吉草酸、カプロン酸、エナント酸、カプリル酸、ペラルゴン酸、カプリン酸、ウンデカン酸等の直鎖飽和脂肪族モノカルボン酸（アルカン酸）；
２−メチルプロパン酸、２−メチルブタン酸、トリメチルプロパン酸、２−メチルペンタン酸、トリメチル酢酸等の分岐飽和脂肪族モノカルボン酸（アルカン酸）；
アクリル酸、メタクリル酸、クロトン酸、イソクロトン酸、アセトビニル酸、アセトアリル酸、ヘキセン酸、ヘプテン酸、オクテン酸等の不飽和脂肪族モノカルボン酸（アルケン酸）；
プロピオール酸、テトロル酸、アリル酢酸、ヘキシン酸、オクチン酸等の不飽和脂肪族モノカルボン酸（アルキン酸）；
ペンタジエン酸、ソルビン酸等の多価不飽和脂肪族モノカルボン酸；
クエン酸、乳酸、グリコール酸、α−オキシ酪酸等のα−ヒドロキシモノカルボン酸；
２−ヒドロキシ吉草酸、２−ヒドロキシカプロン酸、β−オキシ酪酸等のβ−ヒドロキシモノカルボン酸；
γ−オキシ酪酸等のγ−ヒドロキシモノカルボン酸；
グリセリン酸等のジヒドロキシモノカルボン酸；
ヒドロキシ（メタ）アクリル酸等のその他のヒドロキシモノカルボン酸；
シュウ酸、マロン酸、琥珀酸、グルタル酸、アジピン酸等の飽和脂肪族ジカルボン酸；
タルトロン酸、リンゴ酸等のモノヒドロキシ飽和脂肪族ジカルボン酸
酒石酸等のジヒドロキシ飽和脂肪族ジカルボン酸；
マレイン酸、フマル酸等の不飽和脂肪族ジカルボン酸；
安息香酸等の芳香族モノカルボン酸；
フタル酸等の芳香族ジカルボン酸；
グリシン、アラニン、バリン、ロイシン、グルタミン酸、アスパラギン酸、PL−ピロリドンカルボン酸等のアミノ酸；
没食子酸等のポリカルボン酸が挙げられる。
【０１６３】
また、有機酸として、アルキル硫酸、アルキルリン酸、フェノール等も使用可能である。なお、高級脂肪酸又はその塩は有機酸としては好ましくない。
【０１６４】
酸性無機塩も限定されるものではないが、水溶性のものが好ましく、特に、２５℃で固体であり、かつ、５０ｇをイオン交換水１Ｌに溶解させたときの水溶液の２５℃におけるｐＨが４以下、好ましくは３．５以下、より好ましくは２．０以下である水溶性の酸性無機塩が好ましい。酸性無機塩が室温（２５℃）で固体である場合には、必要に応じて、ろ過により容易に除去することができる。また、酸性無機塩が水溶性の場合には、必要に応じて、水で容易に洗い流すことができる。なお、本発明におけるｐＨの値は、室温（２５℃）下、試料水溶液を、ガラス電極を備えたｐＨ計を用いて測定した値である。
【０１６５】
酸性無機塩として、例えば、二価以上の無機酸の少なくとも一価の水素原子が塩基により中和された酸性無機塩を用いることができる。二価以上の無機酸としては例えば、硫酸、亜硫酸等が挙げられる。塩基としては、アルカリ金属、アンモニア等が挙げられる。
【０１６６】
酸性無機塩は、より具体的には、硫酸水素イオン（ＨＳＯ４−）又は亜硫酸水素イオン（ＨＳＯ３−）及び１価の陽イオン（Ｍ＋）からなる１種以上の酸性無機塩であることが好適であり、１価の陽イオン（Ｍ＋）として、アルカリ金属イオン又はアンモニウムイオンが例示される。特に好適には、ナトリウムイオン、カリウムイオン及びアンモニウムイオンからなる群から選択される１種類以上の１価の陽イオンが好ましい。
【０１６７】
酸性無機塩としては、例えば、硫酸水素リチウム、硫酸水素ナトリウム、硫酸水素カリウム、硫酸水素ルビジウム、硫酸水素セシウム、硫酸水素アンモニウム、亜硫酸水素ナトリウム、又は、これらの水和物、並びに、ＡｌＣｌ３、ＦｅＣｌ３、ＴｉＣｌ４、ＢＦ３・Ｅｔ２Ｏ等のルイス酸が具体的に例示される。幾つかの酸性無機塩５０ｇをイオン交換水１Ｌに溶解させたときの水溶液のｐＨは下表に例示する通りである。低臭化という技術的効果から、ｐＨが２．０以下の水溶性の酸性無機塩として、硫酸水素ナトリウム、硫酸水素カリウム及び硫酸水素アンモニウムからなる群から選択される１種以上の酸性無機塩の使用がもっとも好適である。
【表１】
0006000640.tif 000052
【０１６８】
酸性白金触媒としては、例えば、塩化白金酸、アルコール変性塩化白金酸、塩化白金酸のオレフィン錯体、塩化白金酸のケトン錯体、塩化白金酸のビニルシロキサン錯体、四塩化白金等を使用することができる。塩化白金酸が好ましい。
【０１６９】
前記酸処理工程は、前記オルガノポリシロキサンエラストマーを前記酸性物質と任意の態様で接触させることによって実施することができる。
【０１７０】
具体的には、前記酸処理工程は、例えば、前記オルガノポリシロキサンエラストマーを含む反応系（例えば、フラスコ等の反応容器や混練粉砕容器、乳化機等でもよい）中に、少なくとも１種の前記酸性物質、並びに、任意に水、アルコール等の有機溶媒を添加して加熱撹拌、混練、粉砕する等の操作又はこれらを繰り返すことによって実施することができる。或いは、前記オルガノポリシロキサンエラストマー又はこれと油剤とを含む組成物を予め粉砕処理した後に、少なくとも１種の前記酸性物質、並びに、任意に水、アルコール等の有機溶媒を添加して、加熱撹拌等の操作を行うことによって、より好適に実施することができる。
【０１７１】
酸処理工程は任意の温度、処理時間を選択して行うことができ、０〜２００℃、より好ましくは５０〜１００℃の温度条件で、０．５〜２４時間、より好ましくは１〜１０時間程度の反応時間で行うことが可能である。また、低級一価アルコール等の溶媒の共存化でこの処理を行うことが好ましい。酸性物質の使用量は、酸強度、処理装置及び処理時間、処理温度に応じて適宜選択することができるが、例えば硫酸水素ナトリウムや硫酸水素カリウム、硫酸水素アンモニウム、クエン酸、グリコール酸、リン酸等中程度の酸強度を持つ酸性物質の場合には、本発明に係るオルガノポリシロキサンエラストマーに対して１００〜１０００ｐｐｍの範囲が好ましく、１５０〜５００ｐｐｍの範囲がより好ましい。また、塩酸や硫酸等酸強度のより大きな酸性物質の場合には、当該オルガノポリシロキサンエラストマーに対して１〜１００ｐｐｍの範囲が好ましく、酸強度の小さい弱酸性物質の場合には、当該オルガノポリシロキサンエラストマーに対して１０００〜１００００ｐｐｍの範囲が好ましい。
【０１７２】
本発明のオルガノポリシロキサンエラストマーの製造方法では、前記酸処理工程後に、加熱及び／又は減圧する工程（ストリッピング工程）を含むことが好ましい。前記加熱及び／又は減圧によって、臭気原因物質である低沸点成分を除去（ストリッピング）することができる。また、ストリッピング後に、再び酸処理工程を行うことでより多くの臭気原因物質を除去することができる。このとき、反応系に酸性物質が残存している場合には、新たに酸性物質を追加する必要はなく、水のみを添加すればよいという利点がある。すなわち、上記の酸処理工程及びストリッピング工程は、低臭化の程度を高める目的等でそれぞれ２回以上繰り返し行うことができる。
【０１７３】
ストリッピング工程によって留去される「低沸点成分」には、臭気原因物質と考えられるプロピオンアルデヒド等のカルボニル化合物の他、前記オルガノポリシロキサンエラストマーの合成等に使用した反応溶媒等の揮発成分が含まれる。
【０１７４】
なお、ストリッピング工程は、前記酸処理工程の前に実施してもよい。
【０１７５】
ストリッピング方法としては、公知の反応条件を採用することが可能であるが、常圧下又は減圧下でのストリッピングが好ましく、１２０℃以下で行うことが好ましい。効率よくストリッピングするためには、減圧下で行うか、例えば窒素ガスのような不活性ガス注入下で行うことが好ましい。低沸点成分の留去操作の一例を具体的に示せば、低沸点成分が含まれているオルガノポリシロキサンエラストマー若しくはその組成物、又は、その水素添加物を、還流冷却管、窒素挿入口等を備えたフラスコに仕込み、窒素ガスを供給しながら内部を減圧して昇温し、圧力と温度を一定に保持することにより軽質物を留去させる。ここに減圧条件としては、０．１〜１０．０ＫＰａとされ、加熱温度としては５０〜１２０℃とされ、処理時間としては１０分間〜２４時間とすることが一般的である。
【０１７６】
本発明では、前記酸処理工程後に、塩基性物質によってオルガノポリシロキサンエラストマーを中和処理してもよい。塩基性物質は１種類を単独で使用してもよく、また、２種類以上を使用してもよい。塩基性物質としては、水酸化ナトリウム、水酸化カリウム、水酸化カルシウム、水酸化バリウム、アンモニア水、炭酸水素ナトリウム等の無機塩基、リン酸３ナトリウム、リン酸３カリウム、クエン酸３ナトリウム、酢酸ナトリウム等の塩基性緩衝剤、塩基性アミノ酸、アミン、ピリジン等の有機塩基等を挙げることができる。塩基性物質の量はオルガノポリシロキサンエラストマーを含む反応系を中和する量が好ましいが、必要に応じて、弱酸性又は弱アルカリ性となるよう添加量を加減することもできる。
【０１７７】
本発明のオルガノポリシロキサンエラストマーは粒子状であることが好ましく、固体粒子の形態にあることがより好ましい。
【０１７８】
かかる粒子状オルガノポリシロキサンは、簡便には、硬化後のオルガノポリシロキサンエラストマーを、機械力を用いて粉砕することにより得ることができ、粉砕条件を公知の方法を用いて調整することにより、所望とする粒子径のオルガノポリシロキサンエラストマーの固体粒子を得ることができる。なお、粉砕は、一次粉砕前或いは一次粉砕後のオルガノポリシロキサンエラストマーを油剤と混合した後に、該油剤に分散或いは膨潤した状態のオルガノポリシロキサンエラストマーを、機械力を用いて一次粉砕或いは更に細かく二次粉砕しても良い。
【０１７９】
オルガノポリシロキサンエラストマー乃至は組成物を粉砕する機械的手段は特に限定されるものではないが、せん断、混練、圧力下でオリフィスを通過させる手段、から選ばれる少なくとも１つの方法により粉砕されることが好ましい。
【０１８０】
一方、硬化前のオルガノポリシロキサンエラストマーの原料組成物を水中に乳化分散し、しかる後に架橋反応させてオルガノポリシロキサンエラストマー粒子の水系ディスパージョンを得ること、及び該水系ディスパージョンから水を除去して、乾燥したオルガノポリシロキサンエラストマー粒子を得ることもできる。
【０１８１】
オルガノポリシロキサンエラストマー粒子の粒子径は、用途・感触に応じて選択することができ、特に限定されるものではないが、後述する油剤との組成物の調製の見地から、顕微鏡観察或いは粒度分布測定装置を用いて測定される体積平均粒子径が２０〜１０００μｍの範囲内であることが好ましく、２５〜３００μｍの範囲内であることがより好ましい。
【０１８２】
（オルガノポリシロキサンエラストマーを含む組成物）
本発明は、上記オルガノポリシロキサンエラストマーを含む組成物にも関する。前記組成物中のオルガノポリシロキサンエラストマーの配合量は特に限定されるものではないが、例えば、組成物の全重量（質量）を基準にして５〜８０重量（質量）％、好ましくは１０〜６０重量（質量）％、より好ましくは１５〜５０重量（質量）％、更により好ましくは２０〜４０重量（質量）％、更により好ましくは２５〜３５重量（質量）％の範囲とすることができる。
【０１８３】
本発明の組成物は、前記オルガノポリシロキサンエラストマーに加えて少なくとも１種の油剤を含むことができる。油剤としては、特に限定されるものではなく、固体、半固体、液状のいずれのものも使用することができる。具体的には、シリコーンオイル、炭化水素油、エステル油、植物性油脂類、動物性油脂類、脂肪酸、高級アルコール、トリグリセライド、人工皮脂、フッ素系油剤から選択される１種類又は２種類以上が例示できる。これらの具体例は、特願２０１１−１２１０９７に基づく優先権を主張する他の特許出願（糖アルコール変性シリコーンエラストマーに関するもの）に記載のとおりであり、本発明のオルガノポリシロキサンエラストマーは、これらのシリコーンオイル等を含む油相中に分散した各種粉体を安定に維持することができ、また水相をこれらのシリコーンオイル等を含む油相中に安定に乳化分散できる。また、化粧料又は外用剤の構成を全体としてＰＥＧ−ＦＲＥＥ処方に改良し環境適合性を高めるという観点からは、非ＰＯＥ(ポリオキシエチレン)構造の油剤を選択することが好ましい。
【０１８４】
本発明の組成物中の油剤の配合量は特に限定されるものではないが、例えば、組成物の全重量（質量）を基準にして２０〜９５重量（質量）％、好ましくは４０〜９０重量（質量）％、より好ましくは５０〜８５重量（質量）％、更により好ましくは６０〜８０重量（質量）％、更により好ましくは６５〜７５重量（質量）％の範囲とすることができる。
【０１８５】
本発明のオルガノポリシロキサンエラストマーは疎水性のシリコーン鎖とグリセリン誘導体基に代表される親水性基を備えているために、界面活性剤又は乳化剤として機能する。したがって、本発明のオルガノポリシロキサンエラストマー、及び、少なくとも１種の油剤を含む組成物は、エマルションの形態であることができる。エマルション形態は特に限定されるものではないが、水中油型エマルション、油中水型エマルション等の水系−油系エマルション組成物；アルコール中油型エマルション、油中アルコール（例えばポリオール）型エマルション等の任意の形態でありうる。
【０１８６】
本発明のオルガノポリシロキサンエラストマーにより乳化されてなるエマルション粒子の平均粒子径は、レーザー回折・散乱法等を用いた公知の測定装置により測定することができる。本発明に係るエマルション組成物は、油中極性溶媒型エマルションであることが好ましいが、極性溶媒中型エマルションの形態であっても良い。また、測定される平均粒子径が０．１μｍ以下の透明なマイクロエマルジョンであってもよく、平均粒子径が１０．０μｍを超える大粒子径の白濁エマルジョンのいずれであっても良い。更に、エマルジョンの安定性や外観の透明性を改善する目的で、エマルジョン粒子を微細化することができる。特に、毛髪や皮膚への付着特性や使用感を改善する目的で、粒子径が０．５〜２０μｍのエマルジョンを選択することもできる。
【０１８７】
上記のエマルション等は、本発明のオルガノポリシロキサンエラストマー又はそれを含有してなる組成物を、ホモミキサー、パドルミキサー、ヘンシェルミキサー、ホモディスパー、コロイドミル、プロペラ攪拌機、ホモジナイザー、インライン式連続乳化機、超音波乳化機、真空式練合機等の装置により、機械力を用いて水と混合することにより製造しても良い。また、エマルション組成物の製造方法において、水の使用量・配合比は前記の通りであり、エマルションの形態及びその用途に応じて、エマルション組成物全体の１〜９９重量（質量）％の範囲で適宜選択することが好ましい。
【０１８８】
前記オルガノポリシロキサンエラストマーに加えて少なくとも１種の油剤を含む本発明の組成物はペーストの形態であることができる。
【０１８９】
本発明の組成物に配合されるオルガノポリシロキサンエラストマーは、粒子状であることが好ましい。油剤との混合比（重量（質量）比）は任意であるが、異物感の無い均質で細かい粒子からなるペースト状組成物を得る見地からは、５／９５〜５０／５０の範囲が好ましく、１０／９０〜４０／６０であることが特に好ましく、１５／８５〜３０／７０が最も好適である。特に、前記オルガノポリシロキサンエラストマーが、自己の質量と同量以上の油剤により膨潤しうる場合は、自重以上の油剤を用いて膨潤させた好ましくはペースト状の組成物を容易に調製できる。
【０１９０】
粒子状の前記オルガノポリシロキサンエラストマーと油剤を含む組成物は、前記オルガノポリシロキサンエラストマーを、機械力を用いて粉砕した後に油剤と混合するか、前記オルガノポリシロキサンエラストマーと油剤の混合物を、機械力を用いて粉砕することにより得ることができる。
【０１９１】
本発明の組成物は水を含むことができる。本発明の組成物中の水の配合量は特に限定されるものではないが、例えば、組成物の全重量（質量）を基準にして１〜９０重量（質量）％、好ましくは５〜８０重量（質量）％、より好ましくは１０〜７０重量（質量）％、更により好ましくは２０〜６０重量（質量）％、更により好ましくは３０〜５０重量（質量）％の範囲とすることができる。
【０１９２】
本発明の組成物は、少なくとも１種のアルコールを含むことができる。アルコールとしては、水混和性のものが好ましく、低級アルコール、及び、多価アルコールがより好ましい。これらの具体例および使用量は、特願２０１１−１２１０９７に基づく優先権を主張する他の特許出願（糖アルコール変性シリコーンエラストマーに関するもの）に記載のとおりであり、化粧料又は外用剤の構成を全体としてＰＥＧ−ＦＲＥＥ処方に改良し環境適合性を高めるという観点からは、非ポリエーテル構造の多価アルコール及び／又は低級一価アルコールを選択することが好ましい。
【０１９３】
本発明の組成物中のアルコールの配合量は特に限定されるものではないが、例えば、組成物の全重量（質量）を基準にして０．１〜５０重量（質量）％、好ましくは１〜４０重量（質量）％、より好ましくは２〜３０重量（質量）％、更により好ましくは３〜２０重量（質量）％、更により好ましくは４〜１０重量（質量）％の範囲とすることができる。
【０１９４】
本発明のオルガノポリシロキサンエラストマー又はそれを含む組成物は、空気中の酸素により酸化されて変質する傾向が本質的に少ない。従って、酸化劣化を防止するためフェノール類、ヒドロキノン類、ベンゾキノン類、芳香族アミン類、又はビタミン類等の酸化防止剤を入れ、酸化安定性を増加させる操作は必須ではない。しかしながら、このような酸化防止剤、例えば、ＢＨＴ（２，６−ジ−ｔ−ブチル−ｐ−クレゾール）、ビタミンＣ、ビタミンＥ等を添加すると更に安定性が向上する。このとき、使用する酸化防止剤の添加量は、その重量（質量）においてオルガノポリシロキサンエラストマーに対し１０〜１０００ｐｐｍ、好ましくは５０〜５００ｐｐｍとなる範囲である。
【０１９５】
（外用剤用原料又は化粧料用原料）
本発明のオルガノポリシロキサンエラストマー又はそれを含む組成物は、人体に使用される外用剤用の原料及び化粧料用の原料として好適に利用することができる。特に、本発明に係る粒子状のオルガノポリシロキサンエラストマーと油剤とを含むペースト状の組成物は、このまま外用剤用の原料及び化粧料用の原料として用いることができる。
【０１９６】
外用剤用の原料及び化粧料用の原料中に占めるオルガノポリシロキサンエラストマー又はそれを含む組成物の割合は、原料の全重量（質量）を基準にして、１０〜５０重量（質量）％が好ましく、１５〜４０重量（質量）％がより好ましく、２０〜３０重量（質量）％が更により好ましい。外用剤又は化粧料に配合される原料の割合は特に限定されるものではないが、例えば、外用剤又は化粧料の全重量（質量）を基準にして、０．１〜９０重量（質量）％、好ましくは１〜８０重量（質量）％、より好ましくは２〜７０重量（質量）％、更により好ましくは５〜５０重量（質量）％の範囲で使用することができる。
【０１９７】
本発明の外用剤用の原料及び化粧料用の原料としては、例えば、油相のゲル化剤、油相の構造化剤、油相の増粘剤、感触改良剤、保湿剤、しわ隠し剤等のマスキング剤、界面活性剤、乳化剤又は粉体の分散安定剤が挙げられる。
【０１９８】
（外用剤・化粧料）
本発明のオルガノポリシロキサンエラストマー若しくはそれを含む組成物、又は、前記オルガノポリシロキサンエラストマー若しくはそれを含む組成物を含む外用剤及び化粧料用の原料は、外用剤又は化粧料に好適に配合することができ、本発明の外用剤又は化粧料を構成することができる。そして、本発明の外用剤又は化粧料は熱可塑性物質から作成されている容器又は非熱可塑性物質から作成されている容器に収容されることが好ましい。また、その容器は少なくとも1の区画部を定めていることができ、該容器と本発明に係る化粧料又は外用剤とからなる化粧品用ユニットないしは外用剤用ユニットを構成することができる。そして、本発明の外用剤又は化粧料は、主として化粧（メイクアップ）又はケア（例えば、乾燥皮膚の手入れ）を行うための非治療的な美容方法として、皮膚や毛髪等のケラチン性物質に適用して使用することができる。
【０１９９】
外用剤は人体の皮膚、爪、毛髪等に適用されるものであり、例えば、医薬有効成分を配合して各種疾患の治療に使用することができる。化粧料も人体の皮膚、爪、毛髪等に適用されるものであるが、美容目的で使用されるものである。外用剤又は化粧料としては、例えば、皮膚外用剤若しくは皮膚化粧料、スキンケア化粧料、サンケア化粧料、制汗剤、ファンデーション、カラーコスメティックス又は、毛髪外用剤又は毛髪化粧料が好ましい。
【０２００】
本発明に係る皮膚外用剤又は皮膚化粧料は、本発明のオルガノポリシロキサンエラストマー若しくはそれを含む組成物を含有しており、その形態は特に限定されないが、溶液状、クリーム状、固形状、半固形状、ペースト状、ゲル状、粉末状、多層状、ムース状、スプレー状のいずれであってもよい。具体的には、本発明に係る皮膚外用剤又は皮膚化粧料として、化粧水、乳液、クリーム、日焼止め乳液、日焼け止めクリーム、ハンドクリーム、クレンジング、マッサージ料、洗浄剤、制汗剤、脱臭剤等の基礎化粧品；ファンデーション、メークアップ下地、頬紅、口紅、アイシャドー、アイライナー、マスカラ、ネールエナメル等のメーキャップ化粧品等が例示される。
【０２０１】
同様に、本発明に係る毛髪外用剤又は毛髪化粧料は、本発明のオルガノポリシロキサンエラストマー若しくはそれを含む組成物を含有しており、様々な形態で使用できる。例えば、それらをアルコール類、炭化水素類、揮発性環状シリコーン類等に溶解又は分散させて用いてもよいし、更には乳化剤を用いて水に分散させてエマルションの形態で用いることもできる。また、プロパン、ブタン、トリクロルモノフルオロメタン、ジクロルジフルオロメタン、ジクロルテトラフルオロエタン、炭酸ガス、窒素ガス等の噴射剤を併用してスプレーとして用いることもできる。この他の形態としては、乳液状、クリーム状、固形状、半固形状、ペースト状、ゲル状、粉末状、多層状、ムース状等が例示される。これらの様々な形態で、シャンプー剤、リンス剤、コンディショニング剤、セットローション剤、ヘアスプレー剤、パーマネントウエーブ剤、ムース剤、染毛剤等として使用できる。
【０２０２】
本発明の外用剤又は化粧料は、本発明の効果を妨げない範囲で通常の外用剤又は化粧料に使用される成分、水、粉体又は着色剤、アルコール類、水溶性高分子、皮膜形成剤、油剤、油溶性ゲル化剤、有機変性粘土鉱物、界面活性剤、樹脂、化粧品的に許容可能な媒体、脂肪相、皮膜形成ポリマー、繊維、ＵＶ線を遮蔽可能な光保護システム、紫外線吸収剤、保湿剤、防腐剤、抗菌剤、香料、塩類、酸化防止剤、ｐＨ調整剤、キレート剤、清涼剤、抗炎症剤、美肌用成分（美白剤、細胞賦活剤、肌荒れ改善剤、血行促進剤、皮膚収斂剤、抗脂漏剤等）、ビタミン類、アミノ酸類、核酸、ホルモン、包接化合物等、生理活性物質、医薬有効成分、香料を添加することができ、これらは特に限定されるものではない。これらの化粧料成分の具体例、使用方法、配合目的および使用量は、特願２０１１−１２１０９７に基づく優先権を主張する他の特許出願（糖アルコール変性シリコーンエラストマーに関するもの）に記載のとおりである。また、化粧料又は外用剤の構成を全体としてＰＥＧ−ＦＲＥＥ処方に改良し環境適合性を高めるという観点からは、非ポリエーテル構造の水溶性高分子や界面活性剤、乳化剤、皮膜形成剤、保湿剤等の化粧料原料を選択する処方が好ましい。
【０２０３】
特に、本発明のオルガノポリシロキサンエラストマー若しくはそれを含む組成物は、有機系紫外線吸収剤と併用することが好ましい。有機系紫外線吸収剤は一般に高極性であり、難溶性である事から、従来は希望する配合量を油中水型（Ｗ／Ｏ）乳化化粧料に安定に高配合する事は難しかった。しかし、本発明のオルガノポリシロキサンエラストマーを乳化剤として使用し、かつエステル油等中極性油をつなぎ剤として併用すれば、油相がシリコーン油や炭化水素油等の低極性油を含んでいる場合であっても安定な、紫外線吸収剤配合Ｗ／Ｏ乳化化粧料を得ることができ、紫外線吸収剤を安定に処方中に微分散させることができるため、サンケア効果もより効率的で優れたものとなる。このとき、シロキサンデンドロン構造と長鎖アルキル基とを有するキシリトール変性シリコーン又はシロキサンデンドロン構造と長鎖アルキル基とを有するジグリセリン変性シリコーンを第２の乳化剤として、本発明のモノグリセリン及び／又はジグリセリン誘導体変性オルガノポリシロキサンエラストマー併用することも好ましい。この場合の配合量の目安としては、有機系紫外線吸収剤０．１〜１０質量％、つなぎ剤を０．００５〜５質量％とすることが好ましい。
【０２０４】
[その他のシリコーン系化粧料原料との組み合わせ]
本発明に係る外用剤又は化粧料には、更に、その剤形及び処方に応じて、固形状シリコーン樹脂、架橋性オルガノポリシロキサン(本発明のオルガノポリシロキサンエラストマーを除く)、アクリルシリコーンデンドリマーコポリマー、シリコーン生ゴム（シリコーンガム）、ポリアミド変性シリコーン、アルキル変性シリコーンワックス、アルキル変性シリコーンレジンワックスを配合することができる。本発明のオルガノポリシロキサンエラストマーは、主鎖がポリシロキサン鎖等から構成され、変性基としてシロキサンデンドロン構造を有する基を有し、更に、主としてグリセリン誘導体からなる親水性基や長鎖アルキル基等を有してもよいため、これらのシリコーン系の化合物との配合安定性に優れ、これらのシリコーン系化粧料原料の特徴的な感触を活かした化粧料を設計できる利点がある。
【０２０５】
これらのシリコーン系化粧料原料の具体例、使用方法、配合目的および使用量は、特願２０１１−１２１０９７に基づく優先権を主張する他の特許出願（糖アルコール変性シリコーンエラストマーに関するもの）に記載のとおりである。同様に、本発明のオルガノポリシロキサンエラストマーと、これらのシリコーン系化粧料原料を組み合わせた場合に得られる有利な効果も、特願２０１１−１２１０９７に基づく優先権を主張する他の特許出願（糖アルコール変性シリコーンエラストマーに関するもの）に記載のとおりである。また、化粧料又は外用剤の構成を全体としてＰＥＧ−ＦＲＥＥ処方に改良し環境適合性を高めるという観点からは、ポリエーテル構造を含まないシリコーン系化粧料原料との組み合わせを選択する処方が好ましい。
【０２０６】
また、本発明に係る外用剤又は化粧料が制汗剤である場合、或いは、その目的に応じて、制汗活性成分、デオドラント剤を配合することができる。デオドラント剤は、消臭剤、香料、汗による臭いを防止又は除去する物質を挙げることができる。このようなデオドラント剤は、抗菌剤（殺菌剤又は防かび剤）、静菌剤、臭い吸着物質、消臭剤、香料等であり、腋臭、汗臭、足臭のような体臭防止の目的で配合される。なお、これらのデオドラント剤は、制汗剤以外の化粧料や外用剤においても有用であり、本発明の外用剤又は化粧料に好適に配合しうることは言うまでもない。
【０２０７】
これらの制汗活性成分、デオドラント剤等の具体例、使用方法、配合目的および使用量は、特願２０１１−１２１０９７に基づく優先権を主張する他の特許出願（糖アルコール変性シリコーンエラストマーに関するもの）に記載のとおりである。
【０２０８】
（カルボニル価測定方法）
本発明のオルガノポリシロキサンエラストマー若しくはそれを含む組成物の臭気の程度は、オルガノポリシロキサンエラストマー若しくはそれを含む組成物及び、２，４−ジニトロフェニルヒドラジン（２，４−ＤＮＰＨ）を少なくとも１種の炭素原子数１〜４の一価低級アルコールを含む反応媒体中で反応させて得られる反応液の吸光度から測定されるカルボニル価によって決定することができる。なお、「カルボニル化合物」には、アルデヒド類やケトン類のようにカルボニル基を有する化合物のほか、アセタールやプロペニルエーテル等、カルボニル基を有していないが、ある条件で分解してカルボニル基を生じるような潜在的なカルボニル化合物も含まれる。
【０２０９】
したがって、本発明のオルガノポリシロキサンエラストマー若しくはそれを含む組成物の臭気の程度を定量するために、カルボニル化合物を含むオルガノポリシロキサンエラストマー又は該オルガノポリシロキサンエラストマーを含む組成物及び２，４−ジニトロフェニルヒドラジンを少なくとも１種の炭素原子数１〜４の一価低級アルコールを含む反応媒体中で反応させて得られる反応液の吸光度から該オルガノポリシロキサンエラストマー又はそれを含む組成物のカルボニル価を測定することができる。その詳細かつ具体的な測定方法は、特願２０１１−１２１０９７に基づく優先権を主張する他の特許出願（糖アルコール変性シリコーンエラストマーに関するもの）に記載のとおりである。なお、ここでいう「カルボニル価」とは、カルボニル含有量の指標値であって、２，４−ＤＮＰＨを試料に反応させてなる反応液の吸光度（４３０ｎｍ又は４６０ｎｍの吸光度）を試料１ｇあたりに換算することにより求められる値を意味する。なお、上記カルボニル価の測定は、カルボニル化合物を正確に、また、簡便に定量することができるので、外用剤又は化粧料の製品の臭気評価に好適に使用することができる利点がある。
【０２１０】
本発明のオルガノポリシロキサンエラストマー又はそれを含む組成物は、上記方法により測定されたカルボニル価が、２．５Ａｂｓ／ｇ以下であることが好ましく、１．６Ａｂｓ／ｇ以下であることがより好ましく、１．２Ａｂｓ／ｇ以下であることが更により好ましい。
【産業上の利用可能性】
【０２１１】
本発明のオルガノポリシロキサンエラストマー又はそれを含む組成物は外用剤用の原料又は化粧料用の原料として好適に使用することができる。特に、酸処理工程を経て製造された本発明のオルガノポリシロキサンエラストマー、並びに、当該オルガノポリシロキサンエラストマーを含む本発明の組成物は臭気が低減されているので、外用剤又は化粧料に好適に配合することができる。
【実施例】
【０２１２】
以下に、本発明に関して実施例を挙げて説明するが、本発明は、これらによって限定されるものではない。なお、下記組成式において、Ｍｅ３ＳｉＯ基（又は、Ｍｅ３Ｓｉ基）を「Ｍ」、Ｍｅ２ＳｉＯ基を「Ｄ」、Ｍｅ２ＨＳｉＯ基（又は、Ｍｅ２ＨＳｉ基）を「ＭＨ」、ＭｅＨＳｉＯ基を「ＤＨ」と表記し、Ｍ及びＤ中のメチル基をいずれかの置換基によって変性した単位をＭＲ及びＤＲと表記する。
【０２１３】
なお、以下の実施例、比較例においては「シリコーン化合物Ｎｏ．Ｘの製造」等と便宜的に記述しているが、得られた生成物は、主成分の他に少量の未反応原料や希釈剤等をも含有する混合物の形態となっている。
【０２１４】
［実施例１］  ＜シリコーン化合物Ｎｏ．１の製造＞
反応器に平均組成式：ＭＤ４３．２ＤＨ８．２Ｍで表されるメチルハイドロジェンポリシロキサン  １７０．１ｇ、下記平均組成式：
【化５１】
0006000640.tif 000053
で表される３−メタクリロキシプロピル（トリス(トリメチルシロキシ)シリルエチルジメチルシロキシ）シラン  ６．０ｇ、ヘキサデセン(αオレフィン純度９１．７％) ３０．７ｇ を仕込み、窒素流通下で攪拌しながら３０℃まで加温した。白金−１，３−ジビニル−１，１，３，３−テトラメチルジシロキサン錯体のヘキサメチルジシロキサン溶液（Ｐｔ濃度０．４５ｗｔ％）  ０．１０ｍｌを添加し、５５℃に加温して１時間の反応を行なった。反応液を少量採取し、アルカリ分解ガス発生法（残存したＳｉ−Ｈ基をＫＯＨのエタノール／水溶液によって分解し、発生した水素ガスの体積から反応率を計算する）により反応率を計算したところ、ＭＤ４３．２ＤＲ＊３１０．１ＤＲ＊１１３．１ＤＨ４．７ＤＯＲ０．３Ｍで表される変性シリコーン中間体が生成していることが分かった。次いで、反応混合物にジグリセリンモノアリルエーテル  １９．７ｇ、天然ビタミンＥ ０．０２ｇ、イソプロピルアルコール（ＩＰＡ）  １３８ｇ からなる溶液を添加し、更に上記白金触媒 ０．２０ｍｌを添加し、５０〜６０℃で５．５時間反応を行った後、同様の方法で反応率を確認したところ、平均組成式 ＭＤ４３．２ＤＲ＊３１０．１ＤＲ＊２１１．８４ＤＲ＊１１３．１ＤＨ２．８６ＤＯＲ０．３Ｍで表される変性シリコーン中間体が生成していることが分かった。ここで、Ｒ＊１１、Ｒ＊２１及びＲ＊３１は下記のとおりである。また、ＤＯＲはＤＨ とアルコール性水酸基又は水分との脱水素反応により生成した構造単位であり、Ｓｉ−Ｏ−Ｃ 結合又はＳｉ−Ｏ−Ｈ結合を含むＭｅ（ＯＲ）ＳｉＯ基である。
Ｒ＊１１＝  −Ｃ１６Ｈ３３
Ｒ＊２１＝  −Ｃ３Ｈ６Ｏ−Ｘ  （Ｘ＝ジグリセリン部分）
【化５２】
0006000640.tif 000054
【０２１５】
ここで、希釈剤兼架橋反応溶媒でもあるカプリリルメチコン ２３０ｇを投入して反応液と混合した後、減圧してＩＰＡを溜去した。このときの反応混合物の温度は４０〜５５℃であった。
【０２１６】
一旦、５０℃まで冷却し、ここに １，５−ヘキサジエン  ５．９３ｇ、上記白金触媒  ０．２５ｍｌを添加して、５０℃で７０分間の撹拌を行ったところ、半透明均一な反応液の粘性がやや上昇した。なお、架橋反応のＶｉ／Ｈモル比は１．２０であった。
【０２１７】
更に、５０〜６０℃に加温して、撹拌なしで更に２時間熟成反応を継続し、本発明に係るオルガノポリシロキサンエラストマーの製造（本発明に係るオルガノポリシロキサンエラストマーとカプリリルメチコンとを含む組成物４５０ｇ、エラストマー濃度＝５０％、の製造）を終了した。
【０２１８】
次いで、上記組成物を反応器から取り出して３分割し、当該組成物１５０ｇに対してカプリリルメチコン３２６ｇの割合でハイシェアミキサーに仕込み、せん断及び粉砕処理を３０分間実施したところ、触って異物感の全くない均質なペースト状組成物が得られた。この操作を、残っている未粉砕組成物（１５０ｇ×２バッチ分）に対しても同様に行い、同様の均質なペースト状組成物を得た。
【０２１９】
上記の均質なペースト状組成物１４１８ｇを別の反応器に仕込み、これに硫酸水素ナトリウム一水和物を０．０３ｇ、精製水  ３．６ｇ、ＩＰＡ ９２ｇを添加して、７０〜８０℃で１時間の撹拌混合処理を行ったのち減圧して低沸分を溜去した（酸処理１回目）。再度、精製水  ３．６ｇとＩＰＡ ９２ｇを添加して同様の処理を行った後、減圧して低沸分を溜去した（酸処理２回目）。これと同じ操作をもう一度繰り返した（酸処理３回目）のち、０．１％重曹水を２３ｇ添加して混合し、中和を行った。引き続き、７０〜１０５℃、減圧下で加熱して低沸分を溜去することによって、シロキサンデンドロン構造及び親水性基及び長鎖アルキル基で変性された新規なオルガノポリシロキサンエラストマーを含有する均質なペースト状組成物を得た。 (エラストマー濃度１６％)。
【０２２０】
実施例１で得られたオルガノポリシロキサンエラストマーの平均的構造式（模式図）を以下に示す。
【化５３】
0006000640.tif 000055
（式中、Ｍｅ＝メチル基、［］ｎ中のＺ＝−ＣＨ２ＣＨ２−、［］ｎ外のＺ＝−Ｃ３Ｈ６−ＣＯＯ−Ｃ３Ｈ６−、Ｒ＝−Ｃ１６Ｈ３３、Ｙ＝−Ｃ６Ｈ１２−、Ｘ＝（Ｃ３Ｈ６Ｏ２）２Ｈ、ａ＝４３．２、ｂ＝１．８４、 ｃ＝２．８６、ｄ＝０．１、ｅ＝３．１、ｍ＝３、ｎ＝３である）
【０２２１】
［実施例２］  ＜シリコーン化合物Ｎｏ．２の製造＞
反応器に平均組成式：ＭＤ４３．４ＤＨ７．４Ｍで表されるメチルハイドロジェンポリシロキサン  ７４．３ｇ、下記平均組成式：
【化５４】
0006000640.tif 000056
で表される３−メタクリロキシプロピル（トリス(トリメチルシロキシ)シリルエチルジメチルシロキシ）シラン  ２．６ｇ、ヘキサデセン(αオレフィン純度９１．７％) ２０．６ｇ を仕込み、窒素流通下で攪拌しながら２０℃まで加温した。白金−１，３−ジビニル−１，１，３，３−テトラメチルジシロキサン錯体のヘキサメチルジシロキサン溶液（Ｐｔ濃度０．４５ｗｔ％）  ０．１０ｍｌを添加したところ、発熱が生じて４８℃まで温度上昇した。その後５０〜６０℃に加温して１時間の反応を行なった。反応液を少量採取し、アルカリ分解ガス発生法により反応率を計算したところ、ＭＤ４３．４ＤＲ＊３１０．１ＤＲ＊１１４．７ＤＨ２．６Ｍで表される変性シリコーン中間体が生成していることが分かった。ここで、Ｒ＊１１及びＲ＊３１は下記のとおりである。
Ｒ＊１１＝  −Ｃ１６Ｈ３３
【化５５】
0006000640.tif 000057
【０２２２】
ここで、希釈剤兼架橋反応溶媒でもあるカプリリルメチコン １００ｇを投入して反応液と混合した後、４０〜５０℃の温度で１，５−ヘキサジエン  ２．４４ｇ、上記白金触媒  ０．１５ｍｌを添加して、４０〜５０℃で撹拌を継続したところ、２時間後にエラストマー化が起こり、反応混合物は透明感のある柔らかいグリース塊状に変化した。ここで、架橋時のＶｉ／Ｈモル比は１．２であった。架橋を進めるため、この状態で更に２時間反応を継続したのち、引き続き４０〜７０℃、減圧下で加熱して低沸分を溜去した。
【０２２３】
次いで、上記組成物を反応器から取り出して、当該組成物１９９ｇに対してカプリリルメチコン１９９ｇの割合でハイシェアミキサーに仕込み、せん断及び粉砕処理を３０分間実施することにより、触って異物感の全くない、シロキサンデンドロン構造及び長鎖アルキル基で変性された新規なオルガノポリシロキサンエラストマーを含有する均質なペースト状組成物３８５ｇを得た。 (エラストマー濃度２５％)。
【０２２４】
［実施例３］  ＜シリコーン化合物Ｎｏ．３の製造＞
反応器に平均組成式：ＭＤ４６．１ＤＨ３．１５Ｍで表されるメチルハイドロジェンポリシロキサン  ９１．９ｇ、平均組成式ＣＨ２＝ＣＨ−Ｓｉ（ＯＳｉＭｅ３）３で表されるビニルトリストリメチルシロキシシラン  ５．１ｇ を仕込み、窒素流通下で攪拌しながら７０℃まで加温した。白金−１，３−ジビニル−１，１，３，３−テトラメチルジシロキサン錯体のヘキサメチルジシロキサン溶液（Ｐｔ濃度０．４５ｗｔ％）  ０．７０ｍｌを添加して７０〜８０℃で５時間の反応を行なった。反応液を少量採取し、アルカリ分解ガス発生法により反応率を計算したところ、ＭＤ４６．１ＤＲ＊３２０．３８ＤＨ２．７７Ｍで表される変性シリコーン中間体が生成していることが分かった。ここで、Ｒ＊３２は下記のとおりである。
Ｒ＊３２ ＝−Ｃ２Ｈ４−Ｓｉ（ＯＳｉＭｅ３）３
【０２２５】
ここで、希釈剤兼架橋反応溶媒でもあるカプリリルメチコン ９９ｇを投入して反応液と混合した後、４０〜５０℃の温度で１，５−ヘキサジエン  ３．５０ｇを添加して撹拌を継続したところ、５０分後にエラストマー化が起こり、反応混合物は透明感のある柔らかいグリース塊状に変化した。ここで、架橋時のＶｉ／Ｈモル比は１．２７であった。架橋を進めるため、この状態で更に５．５時間反応を継続した結果、硬度が増してドライ感ある崩壊性のグリース〜粉塊状となった。引き続き、４０〜７０℃、減圧下で加熱して低沸分を溜去した。
【０２２６】
次いで、上記組成物を反応器から取り出して、当該組成物１９８ｇに対してカプリリルメチコン１９８ｇの割合でハイシェアミキサーに仕込み、せん断及び粉砕処理を３０分間実施することにより、触って異物感の全くない、シロキサンデンドロン構造で変性された新規なオルガノポリシロキサンエラストマーを含有する均質なペースト状組成物３８６ｇを得た。 (エラストマー濃度２５％)。
【０２２７】
［比較例１］  ＜シリコーン化合物Ｎｏ．ＲＥ−１の製造＞
反応器に平均組成式：ＭＤ４０ＤＨ１５Ｍで表されるメチルハイドロジェンポリシロキサン  １１０．１ｇ、１−ドデセン  １２．１ｇ(１−ドデセンの総仕込み量の１／４相当)を仕込み、窒素流通下で攪拌しながら５０℃まで昇温し、塩化白金酸のエタノール溶液（Ｐｔ濃度３ｗｔ％）  ０．１０ｇを添加した。反応熱により８０℃まで温度上昇が起こり、その後自然に温度が降下したのを確認後、２回目の１−ドデセン  １２．１ｇを添加して反応させた。更に同様の方法で、３回目、４回目の１−ドデセンを添加して反応させた。この後、９０〜１００℃で１時間反応を行なった後、反応液を少量採取し、アルカリ分解ガス発生法により反応率が目標に達したことを確認した。次いで、減圧下で加熱して未反応のドデセン等低沸分を取り除いた。
【０２２８】
次いで、反応混合物に平均組成式：ＶｉＭＤ６Ｍで表されるビニルメチルポリシロキサン  ２５．４ｇ、上記の白金触媒  ０．１０ｇを添加し、９０−１００℃で２時間反応を行った後、同様の方法で反応率が目標に達したことを確認した。反応率を計算した結果、平均組成式：ＭＤ４０ＤＲ＊４１１．５ＤＲ＊１２１０ＤＨ３．５Ｍで表される変性シリコーン中間体が生成していることが分かった。ここで、Ｒ＊１２及びＲ＊４１は下記のとおりである。
Ｒ＊１２＝  ―Ｃ１２Ｈ２５
Ｒ＊４１＝ −Ｃ２Ｈ４ＳｉＭｅ２（ＯＳｉＭｅ２）６ＯＳｉＭｅ３
【０２２９】
ここに、平均組成式：ＣＨ２＝ＣＨ−ＣＨ２−（ＯＣＨ２ＣＨ２）１５−Ｏ−ＣＨ２−ＣＨ＝ＣＨ２で表されるビスアリルポリエーテル  ４６．４ｇ、天然ビタミンＥ  ０．０２５ｇ、トルエン  １３８ｇ、上記の白金触媒  ０．１０ｇを添加して９０℃で２時間反応を行ったところエラストマー化が起こり、反応混合物は半透明感のある柔らかい餅状乃至はジャム状に変化した。ここで、架橋時のＶｉ／Ｈモル比は１．２であった。架橋を進めるため、この状態で更に２時間反応を継続した結果、硬度が増してドライ感ある崩壊性のグリース状となった。次いで、減圧下で加熱してトルエンを取り除いた。
【０２３０】
次いで、２％クエン酸水溶液  ２５．３ｇを添加して８０℃で２時間の処理を行った後、２％重曹水を添加して１時間の中和処理を行なった。減圧下で加熱して低沸分を溜去することによって、ポリエーテル基／Ｃ１２アルキル基／リニアポリシロキサン構造を有する基で変性されたオルガノポリシロキサンエラストマーを得た。この後、上記エラストマーをホバートミキサーに移し、３時間の混練粉砕処理を実施して、均質化された白色のグリース状組成物を得た。その後、希釈剤であるイソドデカン  ６８０ｇを３時間かけてゆっくり投入しながら混練を行い、半透明〜白色の柔らかいペースト状組成物を得た(エラストマー濃度２５％)。
【０２３１】
［比較例２］  ＜シリコーン化合物Ｎｏ．ＲＥ−２の製造＞
反応器に平均組成式：ＭＤ４０ＤＨ１５Ｍで表されるメチルハイドロジェンポリシロキサン  １２５．３ｇ、１−ドデセン  １３．７ｇ(１−ドデセンの総仕込み量の１／４相当)仕込み、窒素流通下で攪拌しながら５０℃まで昇温し、塩化白金酸のエタノール溶液（Ｐｔ濃度３ｗｔ％）  ０．１０ｇを添加した。反応熱により８５℃まで温度上昇が起こり、その後自然に温度が降下したのを確認後、２回目の１−ドデセン  １３．７ｇを添加して反応させた。更に同様の方法で、３回目、４回目の１−ドデセンを添加して反応させた。この後、９０〜１００℃で１時間反応を行なった後、反応液を少量採取し、アルカリ分解ガス発生法により反応率が目標に達したことを確認した。次いで、減圧下で加熱して未反応のドデセン等低沸分を取り除いた。
【０２３２】
次いで、反応混合物に平均組成式：ＶｉＭＤ６Ｍで表されるビニルメチルポリシロキサン  ２８．９ｇ、上記の白金触媒  ０．１０ｇを添加し、９０−１００℃で２時間反応を行った後、同様の方法で反応率が目標に達したことを確認した。反応率を計算した結果、平均組成式：ＭＤ４０ＤＲ＊４１１．５ＤＲ＊１２１０ＤＨ３．５Ｍで表される変性シリコーン中間体が生成していることが分かった。ここで、Ｒ＊１２及びＲ＊４１は前記と同様である。
【０２３３】
ここに、平均組成式：ＣＨ２＝ＣＨ−ＣＨ２O−（Ｃ３Ｈ６O２）３−ＣＨ２−ＣＨ＝ＣＨ２で表されるビスアリルトリグリセリン(又はトリグリセリンジアリルエーテル)  ２０．９ｇ、天然ビタミンＥ  ０．０２５ｇ、トルエン  １３８ｇ、上記の白金触媒  ０．１０ｇを添加して８０℃で２時間反応を行ったところエラストマー化が起こり、反応混合物は半透明感のある柔らかい餅状乃至はジャム状に変化した。ここで、架橋時のＶｉ／Ｈモル比は１．２であった。架橋を進めるため、この状態で更に２時間反応を継続した結果、硬度が増してドライ感ある崩壊性のグリース状となった。次いで、減圧下で加熱してトルエンを取り除いた。
【０２３４】
次いで、２％クエン酸水溶液  ２５．３ｇを添加して８０℃で２時間の処理を行った後、２％重曹水を添加して１時間の中和処理を行なった。減圧下で加熱して低沸分を溜去することによって、トリグリセリン基／Ｃ１２アルキル基／リニアポリシロキサン構造を有する基で変性されたオルガノポリシロキサンエラストマーを得た。この後、上記エラストマーをホバートミキサーに移し、３時間の混練粉砕処理を実施して、均質化された白色のグリース状組成物を得た。その後、希釈剤であるイソドデカン  ６８０ｇを３時間かけてゆっくり投入しながら混練を行い、半透明〜白色の柔らかいペースト状組成物を得た(エラストマー濃度２５％)。
【０２３５】
［実施例４、比較例３〜４］
以下の手順及び評価基準に従って、実施例１及び比較例１〜２で得られたペースト状組成物とイソドデカンとの混合物（分散体）の使用感（非水系での使用感）を評価した。結果を表２に併せて示す。なお、表中、部は重量（質量）部を示す。
【０２３６】
［官能性評価（使用感）の方法］
１．混合物を０．１０ｇ スポイトで取り、手の甲に載せて指で塗り広げた。
２．この時、塗布初期〜後半の触感、肌の印象及び乾燥後(塗布１５分後)の後肌感を評価した。
３．エラストマー特有の優れた感触の持続性について、上記の結果を元に判定した。
【０２３７】
［官能性評価の基準：油剤＝イソドデカン］
「触感：  塗布初期〜後期」
◎：  エラストマー的なベルベット調の厚みのあるなめかさが特長的であり、滑らかに伸び広がる。○：  すべりや伸び広がり性に優れているが、少しヌルっとした感触があり、エラストマー特有の厚み感も少ない。
△：  すべりや伸び広がり性は良好であるが、エラストマーに特有の厚み感はほとんど感じない。
×：  すべり感が不足し、伸び広がりが重く油っぽい感触である。また、エラストマーに特有の厚み感も無い。
【０２３８】
「肌の印象：  塗布後期」
○：  肌なじみが良く、油性感が抑えられマット感のある自然な印象を肌に与える。
△：  良くも悪くもない。テカリ光沢は少ない。
×：  油っぽいテカリ(光沢)が強く、長く続く。
【０２３９】
「後肌感：  乾燥後」
◎：  エラストマー特有のなめらかさが依然良好に持続しており、しかも全くべとつき感がない。
○：  エラストマー特有の厚みのある滑らかさがあるが、若干の抵抗感が感じられる。
△：  すべりは持続しているがエラストマー特有の厚み感は無く、少しべとつき感が出てきた。
×：  べたつき感が強く、しかも全くすべり感が無い。
【０２４０】
「感触の持続性」
○：  塗布初期から塗布後半、更には乾燥後まで、エラストマー特有の厚みのあるなめかさがほとんど変わらずに持続している。
△：  塗布初期から塗布後半、更に乾燥後までの間に感触の変化はあるが、不快な感触は少ない。又は不快なレベルまでは至っていない。
×：  塗布初期から塗布後半、更に乾燥後までの間に大きく感触が劣化する。
【０２４１】
【表２】
0006000640.tif 000058
【０２４２】
［実施例５、比較例５〜６］
以下の手順及び評価基準に従って、実施例１及び比較例１〜２で得られたペースト状組成物とミネラルオイルとの混合物（分散体）の使用感（非水系での使用感）を評価した。結果を表３に併せて示す。なお、表中、部は重量（質量）部を示す。
【０２４３】
［官能性評価（使用感）の方法］
１．混合物を０．１０ｇ スポイトで取り、手の甲に載せて指で塗り広げた。
２．この時、塗布初期〜後半の触感、肌の印象及び乾燥後(塗布１５分後)の後肌感を評価した。
３．エラストマー特有の優れた感触の持続性について、上記の結果を元に判定した。
【０２４４】
［官能性評価の基準：油剤＝ミネラルオイル］
「触感：  塗布初期〜後期」
◎：  エラストマーパウダー特有の面白いすべり感があり、軽くて伸びも良好である。しかもこれらの感触が持続する。
○：  エラストマー特有の厚みのあるすべり感はあるが、少しヌルっとした感触がある。
×：  すべりは普通で、エラストマーに特有の感触はほとんどなく、感触も油っぽい。
【０２４５】
「肌の印象：  塗布後期」
○：  肌なじみが良く、油性感が抑えられている。テカリ光沢は少ない。
△：  良くも悪くもない。テカリ光沢は中程度である。
×：  油っぽいテカリ(光沢)が強く、長く続く。
【０２４６】
「後肌感：  乾燥後」
◎：  エラストマーパウダー特有の面白いすべり感が変わらず良好に持続しており、しかも全くべとつき感が生じていない。
○：  エラストマー特有の厚みのあるすべり感が持続しているが、少し抵抗感を感じる。
△：  べとつき感が生じてきたうえ、すべり性も低下して抵抗感がはっきり認められる。
×：  べたつき感が強く、しかも全くすべり感が無い。
【０２４７】
「感触の持続性」
◎：  塗布初期から塗布後半、更には乾燥後まで、エラストマーパウダー特有の面白いすべり感が全く変わらずに持続している。
△：  塗布初期から塗布後半、更に乾燥後までの間に感触の変化はあるが、不快な感触は少ない。又は不快なレベルまでは至っていない。
×：  塗布初期から塗布後半、更に乾燥後までの間に大きく感触が劣化する。
【０２４８】
【表３】
0006000640.tif 000059
【０２４９】
実施例４〜５、比較例３〜６の試験目的は、シリコーン油に比べ感触面で劣る有機油に本発明のオルガノポリシロキサンエラストマーを添加することによって、比較品の場合と比べてどの程度劇的に有機油主体の非水系の触感が改善されるのか、また塗布後の肌の質感等がどの様に改善されるのか、効果の持続性はどうなのかを知ることにあった。すなわち、本発明品も比較品もシリコーンを主骨格としたエラストマーであるため、シリコーン油との親和性は当然ながら良好であり、元々感触のよいシリコーン油との併用系で試験をしても効果の差が出にくい可能性があった。そのため、エラストマーによる感触の差が出やすいと考えられる非シリコーン油との混合系に対して、効果の差を確認したものである。
【０２５０】
以上より、本発明のオルガノポリシロキサンエラストマー(親水基を含有したタイプ)は、シリコーン油のみならず様々な有機油との親和性にも優れていると共に、なめらかで厚みのあるややパウダリーなエラストマー特有の初期使用感を、塗布初期のみならず驚くべきことに塗布後半まで、更には乾燥後までもほとんど変わらずに持続させることが明らかとなった。この様な性能は、従来の親水性シリコーンエラストマーでは達成されたことのない本発明品の特長であり、それは比較例３〜６の結果を見ても明らかである。また、本発明品と油剤との混合物は、塗布初期から乾燥後まで一貫してテカリの少ない自然な肌の質感を与えた。この点についても、比較例のシリコーンエラストマー（エラストマーにもかかわらず、テカリ光沢が大きく、肌が油っぽくぎらついた印象となる）とは対照的であった。イソドデカンは代表的な揮発性油剤であるが、こうした油剤の揮発性によって配合処方の使用感がほとんど影響されない（負の影響を受けない）ということは珍しく、本発明品の利用により化粧料や外用剤の処方の自由度や処方設計時の利便性が劇的に増大する可能性を示す結果である。
【０２５１】
［実施例６〜９、比較例７〜１４］
実施例１、比較例１〜２で得られたペースト状組成物を用いて、以下の手順により表４〜表５に示す組成の油中水型エマルション組成物を調製し、粘度の測定を行った。更に、以下の評価基準により官能性（感触・使用感）、静置安定性（外観と形態）、応力に対する安定性、乳化粒子径の安定性、経時着臭を評価した。結果を表４〜表５に併せて示す。なお、表中、部は重量（質量）部を示す。
【０２５２】
［油中水型エマルション組成物の調製方法］
１．２００ｍｌ容器に、油剤及び界面活性剤（乳化剤）としてのペースト状組成物を仕込んだ。
２．撹拌を行い、ペースト状組成物を油剤中に均一分散させた（油相乃至は油中粉体分散相Ａ）。
３．別の容器に食塩とイオン交換水とを仕込み、スパチュラで混合して溶解させた。更に、１，３−ブチレングリコールを混合して溶解させた（水相Ｂ）。
４．ホモディスパーの鋸歯を油相Ａに浸し、容器を固定したのち１０００ｒｐｍで攪拌しながら、水相Ｂをほぼ定速で約４５秒かけて油相Ａ中に注ぎ込んだ。
５．ホモディスパーの回転数を３５００ｒｐｍまで上げ、全体が均質になるよう攪拌を２分間継続した。
６．撹拌を止め、容器の内壁に付着した油分等をへらで掻き落とし、生成しているエマルションと混合した。
７．ホモディスパーの回転数３５００ｒｐｍで全体が均質になるよう３分間の攪拌を行った。
【０２５３】
［エマルションの粘度及び性状］
１．上記の方法により得られた油中水型エマルション組成物の性状を記録する。
２．２５℃の条件下で、当該エマルション組成物の粘度測定をＥ型粘度計により行った。このとき、粘度計のコーンローターの回転数は０．５ｒｐｍとして測定を実施した。
【０２５４】
［官能性評価（感触及び使用感）］
各油中水型エマルション組成物を化粧料として使用した場合の塗布初期〜塗布中、塗布後半の使用感触及び乾燥後の後肌感を評価した。実施例と比較例のペースト状組成物全てが乳化できた油剤は２ｃｓとミネラルオイルのみであったため、官能性評価はこれらの処方でのみ実施した。ここで、全サンプルとも伸び広がり性と単純なすべりの良さ、柔らかい触感、しわ隠し効果に関しては優れたレベルにあったため、以下の点に着目して評価を行った。具体的には、
１．油中水型エマルション組成物を０．１０ｇ 指に取り、手の甲に載せて塗り広げた。
２．この時、塗布初期〜塗布中、塗布後半、乾燥後について、水の感触とエラストマー特有の厚みある滑らかさやパウダリー感、並びに、塗布後の保湿感の付与、乾き際のべとつき感の少なさ等について、以下の基準により評価した。
【０２５５】
「触感：  塗布初期〜塗布中」
◎：  水の感触が得られ、特有の厚みのある滑らかさとともに持続する。油分のバランスも良好。
○：  初期に非常に水々しい感触が得られるが、やや厚みとヌルツキのあるすべり感である。
△：  水の感触が得られるが、滑らかさに厚みがあまり感じられない。
×：  若干、厚みのある滑らかさを感じるが、それ以外は普通のクリームの塗布感であり水の感触はあまり感じられない。
【０２５６】
「保湿感と肌の質感：  塗布後半」
◎：  肌なじみが良く、良好な保湿感が得られる上に肌上での油分と水分のバランスがちょうど良い。テカリが目立たず、外観上も感覚的にも自然な肌の質感が得られる。
○：  保湿感は良好であるが、やや油っぽいテカリが見られる。
△：  保湿感はあまり感じないが、マットで自然な肌の質感には優れる。
×：  保湿感がなく、油っぽいヌルツキ及びテカリが強い。
【０２５７】
「後肌感：  乾燥後」
◎：  パウダリー感がありしかもベルベット調の特有の厚みのあるすべり感が変わらず良好に持続しており、しかも全くべとつき感が生じていない。
△：  若干ベルベット調の厚みある滑らかさが残っているが、すべり性が低下して抵抗感が増した。
×：  べたつき感が強く、しかも全くすべり感が無い。又は油っぽいヌルツキが強い。
【０２５８】
「感触の持続性」
◎：  塗布初期から塗布後半、更には乾燥後まで、エラストマー特有の優れた感触がほとんど変わらずに持続している。
△：  塗布初期から塗布後半、更に乾燥後までの間に感触の変化はあるが、不快な感触は少ない。又は不快なレベルまでは至っていない。
×：  塗布初期から塗布後半、更に乾燥後までの間に大きく感触が劣化する。
【０２５９】
［エマルションの静置安定性：外観と形態］
各油中水型エマルション組成物を調製した当日、及びこのエマルション組成物（２８ｇを３５ｍｌガラス瓶に秤取して密栓したもの）を５０℃で1ヶ月静置後に、外観と形態を観察し、以下の基準により評価した。
◎：  経時後も全体が均一でマット感のあるクリーム〜ゲル状の形態を有している。
○：  経時後もほぼ大部分が均一で、マット感のあるクリーム〜ゲル状の形態を有している。僅かな析出物があるかもしれない。
△：  経時後は、乳化物の表面粗さが容易に見え、不均一さ、析出物の量が若干多い。
×：  初期から乳化自体ができておらず相分離が起こっている。
【０２６０】
［エマルションの応力に対する安定性］
◎：  指にとって手の甲に塗布したとき、クリームをやや強く皮膚に押し付けて指で伸ばしても、全く水滴が発生することがない。
△：  クリームを指にとって手の甲に置いただけでは水滴は発生しないが、クリームを指で伸ばしているうちに少しずつ水滴が発生してくる。
×：  クリームを指に取っただけでクリームが壊れて水滴が発生する。手の甲に塗ろうと、指でごく軽く伸ばしただけで、あっという間に大きな水滴が現れる（即座にエマルションが壊れてしまう）。
【０２６１】
［乳化粒子径の測定と安定性評価］
各油中水型エマルション組成物を調製した翌日、及びこのエマルション組成物（前述した、２８ｇを３５ｍｌガラス瓶に秤取して密栓したもの）を５０℃で1ヶ月静置した後に、光学顕微鏡で観察（１０００倍）及び写真撮影を行い、粒子径の分布範囲を目視により求めた。これにより、初期と経時での乳化粒子径の安定性を評価した。
なお、粒子合一が認められた場合には、その旨を表中に記載した。
◎：  乳化粒子径の変化が少なく、合一の兆侯も認められない。
○：  乳化粒子径が若干増大している可能性があるが、はっきりした合一は認められない。又は、乳化粒子径の増大があっても全体的に粒子サイズが小さく、乳化系は保持されている。
△：  一部で粒子合一があったと考えられ、乳化粒子径が明確に増大している。
×：  多くの粒子で合一が生じており、乳化が壊れつつある。又は、最初からひどい合一がある。
【０２６２】
［乳化物の経時着臭の評価］
各油中水型エマルション組成物（前述した、２８ｇを３５ｍｌガラス瓶に秤取して密栓したもの）を５０℃で1ヶ月静置したのち、取り出して室温に戻した。その翌日に開封して、発生した臭気を以下の基準により評価した。但し、油剤が共通のグループ内で、相対比較を行った。
◎：ほとんど着臭が知覚できないレベル。
○：少しの着臭（甘い溶剤様の特異臭）が感じられる。
△：中程度の着臭（甘い溶剤様の特異臭）が認められる。
×：強い着臭（甘い溶剤様の特異臭）がある
【０２６３】
【表４】
0006000640.tif 000060
【０２６４】
【表５】
0006000640.tif 000061
【０２６５】
以上より、本発明のオルガノポリシロキサンエラストマー(親水基を含有したタイプ)は、ポリエーテル基を全く含有しないシリコーンエラストマーであるにもかかわらず、水を含む油中水型エマルションの剤型においてシリコーン油のみならず様々な有機油との親和性を発揮し、幅広い油剤種に対して安定性に優れた乳化物を与えることが明らかとなった。これは、従来技術によるポリグリセリン変性シリコーンエラストマー（比較例２の組成物）によっては全くなし得なかった達成であることは、比較例９〜１０及び１３〜１４の結果を見れば明らかである。
【０２６６】
更に、本発明のオルガノポリシロキサンエラストマー(親水基を含有したタイプ)を含む油中水型エマルションは、皮膚に塗布したときに水の感触が生き、それが持続するために保湿性にも優れ、同時に適度な油分をも保持し、塗布初期から乾燥後まで一貫してテカリの少ない自然な肌の質感を与えることができた。これは、本発明のオルガノポリシロキサンエラストマーの性能上の特長が、配合処方中で好適に持続されることができるという利点を実証したものである。加えて、本発明のオルガノポリシロキサンエラストマー(親水基を含有したタイプ)を含む油中水型エマルションにおいては、なめらかで厚みのあるややパウダリーなエラストマー特有の初期使用感が、塗布初期のみならず驚くべきことに塗布後半まで、更には乾燥後までもほとんど変わらずに持続することも確認された。この様な性能は、従来の親水性シリコーンエラストマーでは達成されたことのない本発明品のもう一つの特長であり、それは実施例６〜７と比較例７〜８を対比すれば明らかである。更に、本発明の油中水型エマルション組成物が優れた保湿効果の持続性を有することも確認された。従って、これを外用剤ないしは化粧料として用いれば、経表皮水分喪失が有効に抑制され、それにより皮膚保護や皮膚への栄養付与の効果も期待できる。
【０２６７】
しかしながら、本発明の最大の発見かつ達成は、親水性高分子であり界面活性剤であり乳化剤でもある本発明のオルガノポリシロキサンエラストマー(親水基を含有したタイプ)が、上記した全ての優れた効果を発揮しながらも、乳化物を塗布した後乾燥するまでの間及び乾燥後においてすら、一切のべとつき感を生じさせないという信じ難い性能を発揮したという事実である。何故こうしたいくつものトレードオフの関係が本発明により一括して解消されたのかは定かではないが、本発明による油中水型エマルション組成物が性状としては動きのないクリーム〜ゲル状であるにもかかわらず、柔らかい感触であり、その実測粘度は同じ性状を呈している比較品により得られた油中水型エマルション組成物と比較して格段に低い数値を示したという事実が、本発明品の特長である一切のべとつきの無さを反映しているものと考えられる。それに加えての本発明品によるエマルションの優れた安定性、これらは従来の常識を覆す発明であり、本発明品の利用により化粧料や外用剤の処方の自由度や処方設計時の利便性が劇的に増大するのみならず、化粧料や外用剤の実質的な性能・効果の向上を成し遂げることができる。よって、本発明の社会発展への貢献は極めて大である。
【０２６８】
［実施例１０、比較例１５〜１６］
以下の手順に従って、実施例１、比較例１〜２で得られたペースト状組成物及び油剤との混合物を、表５（エラストマー濃度１６％）の組成のとおり調製した。また、得られた組成物の粘度を測定し、本発明のオルガノポリシロキサンエラストマーによる、油剤の増粘・ゲル化・構造化効果を確認した。結果を表５に併せて示す。なお、表中、部は重量（質量）部を示す。
【０２６９】
［油剤との混合液の調製方法］
１．ペースト状組成物をホバートミキサーに仕込み、混合しながら油剤を５分かけて滴下投入し、均一な組成物（油中粉体分散体）とした。
２．２５℃の条件下で、混合物の粘度測定をＥ型粘度計により行った。また、性状を記録した。このとき、粘度計のコーンローターの回転数を１０ｒｐｍ、０．５ｒｐｍの２通りに変えて粘度測定を行った。
３．以下の数式により、分散体のチクソトロピー指数ＴＩを計算した。
ＴＩ  ＝  ０．５ｒｐｍにおける粘度測定値／１０ｒｐｍにおける粘度測定値
【０２７０】
【表６】
0006000640.tif 000062
【０２７１】
以上より、本発明のオルガノポリシロキサンエラストマー(親水基を含有したタイプ)と従来技術による親水性シリコーンエラストマーを同じ濃度で比較した場合、油剤の増粘化能力、ゲル化能力、乃至は構造化能力において前者のほうが明らかに優れていることが分かった。加えて、本発明品は油剤に対してより大きなチクソトロピー性を付与する効果があることも確認された。これに対して、後者の比較品２点は、油の構造化剤として明確な効果を発揮するためには多量のエラストマーの配合が必要であり、増粘・ゲル化・構造化の効率性の点で課題を有するものであった。
【０２７２】
次に、本発明のオルガノポリシロキサンエラストマー（親水基を含まないタイプ）について説明する。当該オルガノポリシロキサンエラストマーは、典型的には親油基乃至は疎水基のみから構成されるため、界面活性能や乳化能は有せず、非乳化性シリコーンエラストマーの一種である。しかしながら、本発明のオルガノポリシロキサンエラストマー（親水基を含まないタイプ）は、その特徴としてシロキサンデンドロン構造を含有するため、エラストマー特有の触感は持ちながら、従来技術による非乳化性シリコーンエラストマーよりもすべり性に優れ、べとつきのより少ない〜べとつきの無い使用感を化粧料や外用剤に対して付与することができる。従って、本発明のオルガノポリシロキサンエラストマー（親水基を含まないタイプ）は、従来の非乳化型架橋性オルガノポリシロキサンと同様の用途に使用することができ、より優れた使用感をもたらすことができる。
【０２７３】
本発明のオルガノポリシロキサンエラストマー（親水基を含まないタイプ）は、本発明者らが国際公開第２０１１／０４９２４８号公報において報告したシロキサンデンドロン構造を有する共変性オルガノポリシロキサンのうち親水基としてモノグリセリン誘導体を有するものと併用して、油中水型エマルション組成物に配合することにより、比較例２で得られたペースト状組成物に特徴的な性能をより簡単に低コストで発揮させることができる。比較例２に係るシリコーンエラストマーは既述のとおり乳化剤としては単独で立つことのできないものではあるが、油中水型エマルションの一時的な感触改良剤としては独特の効果を有することが知られている。
【０２７４】
より具体的に説明すると、比較例２に係るシリコーンエラストマーを用いて得られるエマルションは応力に対して非常に弱いため、エマルションを皮膚に塗布すると瞬時に壊れて大きな水滴を発生する性質があり、これにより一時的ではあるが非常に水々しい感触が得られる。この性質とエラストマー特有の厚みのある滑らかな使用感を両立した技術は他には無いと考えられていたが、本発明によって、より低コストで同じ効果を実現できることが明らかになった。以下、実施例を挙げてそれを説明する。
【０２７５】
［実施例１１〜１２、比較例９］
実施例２〜３、比較例２で得られたペースト状組成物を用いて、以下の手順により表６に示す組成の油中水型エマルション組成物を調製し、以下の評価基準により官能性（感触・使用感）を評価した。結果を表６に併せて示す。なお、表中、部は重量（質量）部を示す。
【０２７６】
［油中水型エマルション組成物の調製方法］
１．２００ｍｌ容器に、油剤、界面活性剤（乳化剤）、ペースト状組成物を仕込んだ。なお、比較例２のペースト状組成物は界面活性剤を兼ねている。
２．撹拌を行い、ペースト状組成物を油剤中に均一分散させた（油相乃至は油中粉体分散相Ａ）。
３．別の容器に食塩とイオン交換水とを仕込み、スパチュラで混合して溶解させた。更に、１，３−ブチレングリコールを混合して溶解させた（水相Ｂ）。
４．ホモディスパーの鋸歯を油相Ａに浸し、容器を固定したのち１０００ｒｐｍで攪拌しながら、水相Ｂをほぼ定速で約４５秒かけて油相Ａ中に注ぎ込んだ。
５．ホモディスパーの回転数を３５００ｒｐｍまで上げ、全体が均質になるよう攪拌を２分間継続した。
６．撹拌を止め、容器の内壁に付着した油分等をへらで掻き落とし、生成しているエマルションと混合した。
７．ホモディスパーの回転数３５００ｒｐｍで全体が均質になるよう３分間の攪拌を行った。
【０２７７】
［官能性評価（感触及び使用感）］
各油中水型エマルション組成物を化粧料として使用した場合の塗布初期〜塗布中、塗布後半の使用感触及び乾燥後の後肌感を評価した。ここで、全サンプルとも伸び広がり性と単純なすべりの良さ、柔らかい触感、しわ隠し効果に関しては優れたレベルにあったため、特に、塗布初期の非常に水々しい感触（エマルションが応力で破壊されることにより生じる）、塗布初期〜後半までのエラストマー特有の厚みある滑らかさやパウダリー感に着目して評価を行った。具体的には、
１．油中水型エマルション組成物を０．１０ｇ 指に取り、手の甲に載せて塗り広げた。
２．この時、塗布初期〜塗布中、塗布後半、乾燥後について、前記した使用感、塗布後の保湿感の付与、乾き際のべとつき感の少なさ等について、以下の基準により評価した。
【０２７８】
「触感：  塗布初期〜塗布中」
◎：  初期に非常に水々しい感触が得られ、エラストマー特有のパウダリーな滑らかさがある。
○：  初期に非常に水々しい感触が得られるが、やや厚みとヌルツキのあるすべり感である。
△：  水の感触が得られるが、滑らかさに厚みがあまり感じられない。
×：  若干、厚みのある滑らかさを感じるが、それ以外は普通のクリームの塗布感であり水の感触はあまり感じられない。
【０２７９】
「保湿感と肌の質感：  塗布後半」
◎：  肌なじみが良く、良好な保湿感が得られる上に肌上での油分と水分のバランスがちょうど良い。テカリが目立たず、外観上も感覚的にも自然な肌の質感が得られる。
○：  保湿感が少し感じられ、マットで自然な肌の質感に優れる。
△：  保湿感はあまり感じないが、マットで自然な肌の質感には優れる。
×：  保湿感がなく、油っぽいヌルツキ及びテカリが強い。
【０２８０】
「後肌感：  乾燥後」
○：  パウダリー感がありしかもベルベット調の特有の厚みのあるすべり感が変わらず良好に持続しており、しかもべとつき感は少ない。
△：  若干ベルベット調の厚みある滑らかさが残っているが、すべり性が低下して抵抗感が増した。
×：  べたつき感が強く、しかも全くすべり感が無い。又は油っぽいヌルツキが強い。
【０２８１】
「感触の持続性」
○：  塗布初期から塗布後半、更には乾燥後まで、エラストマー特有の優れた感触がほとんど変わらずに持続している。
△：  塗布初期から塗布後半、更に乾燥後までの間に感触の変化はあるが、許容できるレベルである。
×：  塗布初期から塗布後半、更に乾燥後までの間に大きく感触が劣化する。
【０２８２】
【表７】
0006000640.tif 000063
注 *1) ＭＤ４００ＤＲ＊１３２ＤＲ＊３２３ＤＲ＊２２５Ｍ の平均組成式で表され、国際公開第２０１１／０４９２４８号公報の実施例５に示したシロキサンデンドロン構造とアルキル基を有するグリセリン変性シリコーンである。
式中、Ｒ＊１３、Ｒ＊２２、Ｒ＊３２は下記を示す。
Ｒ＊１３＝  −Ｃ１０Ｈ２１
Ｒ＊２２＝  ―Ｃ３Ｈ６ＯＣＨ２ＣＨ（ＯＨ）ＣＨ２ＯＨ
Ｒ＊３２＝  ―Ｃ２Ｈ４Ｓｉ（ＯＳｉＭｅ３）３
【０２８３】
比較例２に係る親水性シリコーンエラストマーは、油−水共存系の安定性やエマルション粘度の維持等に対する責任を負う最も重要な位置づけの材料、すなわち乳化剤という役割を十分に果たすことはできない割りには、その製造は複雑な工程や反応溶媒の使用を必要とし、しかも高価なポリグリセリン誘導体を原料として用いる必要があることから、費用対効果の面で魅力の少ない材料であった。一方、実施例２、３に係る本発明のオルガノポリシロキサンエラストマー（親水基を含まないタイプ）は反応溶媒を必要とせず工程も比較的単純である。また、国際公開第２０１１／０４９２４８号公報において報告したシロキサンデンドロン構造を有する共変性オルガノポリシロキサンのうち親水基としてモノグリセリンを有する上記材料はワンポットで製造も可能であり、親水性原料であるグリセリンモノアリルエーテルも比較的安価に市販されていることから、エラストマータイプの材料よりもずっと低コストで製造が可能なものである。以上より、ここで見出された前記２材料の新たな組み合わせは、より経済的に油中水型エマルション組成物ないしは化粧料等の使用感を向上させる発明であり、社会への貢献が大である。
【０２８４】
なお、実施例２、３で示したような本発明のオルガノポリシロキサンエラストマー（親水基を含まないタイプ）を油相の構造化剤として利用し、同時に特願2011-286976で開示した新規液状オルガノポリシロキサン及び／又は特願2011-121095で開示した新規液状オルガノポリシロキサンを乳化剤として利用すると、実施例１で示したような本発明のオルガノポリシロキサンエラストマー（親水基を含むタイプ）を単独で使用した場合と同様の優れた効果が発揮される。前者は、構造化と乳化という２つの異なる役割を別々の材料に担わせる手法であり、後者は、１つの材料でその２つの役割を果たさせる技術である。
【０２８５】
以上示した通り、本発明のオルガノポリシロキサンエラストマーはゲル化剤、構造化剤、増粘剤、感触改良剤、保湿剤、マスキング剤（しわ隠し剤)、界面活性剤、乳化剤、皮膜剤、粉体の分散安定剤等として極めて有用であり、その性能は従来技術を超越したものである。本発明のオルガノポリシロキサンエラストマー(親水基を含有したタイプ)は、必ずしもその構造中にポリエーテル基を有さなくとも、油中水型エマルション用乳化剤として単独で立つことができ、しかもエラストマー特有の優れた使用感をもたらすことのできる材料である。従って、特に本発明のオルガノポリシロキサンエラストマーのうち親水基としてグリセリン誘導体を含有しポリオキシエチレン構造を含まない構造のものは、他のＰＥＧ構造を有する親水性シリコーン乳化剤等の非イオン性の界面活性剤と併用する必要がなく、十分な安定性を有する油中水型エマルション化粧料等を調製できるため、化粧料又は外用剤の処方全体としてＰＥＧ−ＦＲＥＥ処方（＝ポリオキシエチレン（ＰＥＧ）構造を有する化合物を含有しない処方）に改めることができる。すなわち、本発明のオルガノポリシロキサンエラストマーの使用により、化粧品業界は最終消費者向け商品の構成を全体としてＰＥＧ−ＦＲＥＥ処方に改良することができる。
【０２８６】
すなわち、本発明のオルガノポリシロキサンエラストマーの粉砕粒子は、比較例で用いた従来の親水性シリコーンエラストマーよりも遥かに多面的な利用が可能であるのみならず、外用剤又は化粧料全体の価値を大きく高めることを確認できた。
【０２８７】
更に、ここで得られた乳化物は経時や温度による異臭の発生が極めて少ないという優れた特長を有しており、外用剤又は化粧料の原料として極めて有用であることが実証された。
【０２８８】
以下、本発明に係る化粧料及び外用剤についてその処方例を示して説明するが、本発明に係る化粧料及び外用剤はこれらの処方例に記載の種類、組成に限定されるものではないことは言うまでもない。なお、処方例中、品番を示した原料は、全て東レ・ダウコーニング株式会社から市販されている製品名である。
【０２８９】
更に、以下の処方例中でポリオキシエチレン基やポリオキシエチレン部を含有する化合物が使用されている処方においては、それらを非ＰＥＧ構造の任意の代替材料に置き換えて得られる処方も、本願発明に係る化粧料・外用剤の処方例として、好適に本願発明の範囲に包含されるものである。例えば、当該処方例におけるポリエーテル変性シリコーン乃至はこれに類する原料は、シロキサンデンドロン構造を有するジグリセリン変性シリコーンやシロキサンデンドロン構造を有するキシリトール変性シリコーン、シロキサンデンドロン構造と長鎖アルキルを有するジグリセリン変性シリコーン、シロキサンデンドロン構造と長鎖アルキルを有するキシリトール変性シリコーン等によって、適宜置き換えることができ、それによって当該化粧料乃至は外用剤の使用感触や保湿効果等の向上、化粧効果の向上に更に貢献する事ができる。
【０２９０】
［処方例１］  Ｗ／Ｏ クリームファンデーション
（成分）（Ｗｔ％）
１．実施例１のペースト状組成物  ３．８
２．EL-8051 IN Silicone Organic Elastomer Blend*1)  ７．２
３．ＥＳ−５６１２  Ｆｏｒｍｕｌａｔｉｏｎ  Ａｉｄ*2)  １．０
４．ジメチルポリシロキサン（６ｃｓｔ）  ３．０
５．ジメチルポリシロキサン（２ｃｓｔ）  ４．０
６．イソヘキサデカン  ５．０
７．トリエチルヘキサノイン  ５．０
８．ジオクタン酸ネオペンチルグリコール  ２．０
９．９７０１  Ｃｏｓｍｅｔｉｃ  Ｐｏｗｄｅｒ*3)  １．５
１０．シロキサンデンドロン基を有するポリグリセリン・アルキル共変性シリコーン  ２．０
１１．シリコーン処理顔料  ５．０
１２．ペンチレングリコール  ５．０
１３．塩化ナトリウム  ０．５
１４．クエン酸ナトリウム  ０．２
１５．防腐剤  適量
１６．香料  適量
１７．精製水  ５４．８
注 *1) （ジメチコン/ビス−イソブチルＰＰＧ−２０）クロスポリマーを、ネオペンタン酸イソデシルで希釈したもの（エラストマー成分１２％）
注 *2) ポリエーテル変性シリコーン
注 *3) オルガノポリシロキサンエラストマー球状粉体（シリカ被覆タイプ）
【０２９１】
（製造方法）
Ａ：成分１〜４、６〜９を混合して均一にする。
Ｂ：成分１０、１１、５を混合する。
Ｃ：成分１２〜１５、及び１７を混合して溶解する。
Ｄ：ＣをＡに加えて乳化する。
Ｅ：成分１６、及びＢをＤに加えて混合し、均一化する。
【０２９２】
（効果）
べたつきがなく、厚みのある滑らかさでよく伸び広がり、しかも、顔料の分散性が良く、密着感に優れ、おさまりも良く、マット感のある仕上がりが得られる。
【０２９３】
［処方例２］  Ｗ／Ｏ リキッドファンデーション
（成分）（Ｗｔ％）
１．実施例１のペースト状組成物  ２．７
２．EL-8050 ID Silicone Organic Elastomer Blenｄ *4)  ５．８
３．シロキサンデンドロン基を有するポリエーテル・アルキル共変性シリコーン  ２．０
４．ジメチルポリシロキサン（６ｃｓｔ）  ６．５
５．デカメチルシクロペンタシロキサン  ２１．６
６．トリエチルヘキサノイン  ５．０
７．有機変性ベントナイト  １．２
８．ＦＡ  ４００２  ＩＤ*5)  １．５
９．シリコーン処理顔料  ５．０
１０．ジプロピレングリコール  ３．０
１１．ソルビトール（７０％水溶液）  ２．０
１２．クエン酸ナトリウム  ０．２
１３．防腐剤  適量
１４．香料  適量
１５．精製水  ４３．５
注 *4) （ジメチコン/ ビス−イソブチルＰＰＧ−２０）クロスポリマーを、イソドデカンで希釈したもの（エラストマー成分１５％）
注  *5) （アクリレーツ/メタクリル酸ポリトリメチルシロキシ）コポリマーの、イソドデカン溶液（有効成分４０％）
【０２９４】
（製造方法）
Ａ：成分１〜４、５の一部、６〜７を混合して均一にする。
Ｂ：成分１０〜１３、及び１５を混合して溶解する。
Ｃ：成分８、９、及び５の残部を混合する。
Ｄ：ＢをＡに加えて乳化する。
Ｅ：成分１４及びＣをＤに加えて混合し、均一化する。
【０２９５】
（効果）
べたつきがなく、のび広がりも軽く、しかも、顔料の分散性が良く、密着感に優れ、おさまりも良く、マット感のある仕上がりが得られ、低粘度にもかかわらず、経時的にも非常に安定である。
【０２９６】
［処方例３］  Ｗ／Ｏ 型コンパクトファンデーション
（成分）（Ｗｔ％）
１．セレシン  ５．５
２．ステアリン酸イヌリン  ２．０
３．ジオクタン酸ネオペンチルグリコール  ８．０
４．トリエチルヘキサノイン  ４．０
５．ジメチルポリシロキサン（６ｃｓｔ）  １１．５
６．イソヘキサデカン    ０．７
７．実施例１のペースト状組成物  ３．３
８．シロキサンデンドロン基を有するポリエーテル・アルキル共変性シリコーン  １．５
９．９７０２  Ｐｏｗｄｅｒ*6)  １．５
１０．シリコーン処理酸化チタン  １０．０
１１．シリコーン処理顔料  適量
１２．レシチン  ０．２
１３．モノオレイン酸ポリオキシエチレンソルビタン  ０．３
１４．ジプロピレングリコール  ８．０
１５．クエン酸ナトリウム  ０．２
１６．精製水  ４３．３
注 *6) オルガノポリシロキサンエラストマー球状粉体（マイカとの複合パウダー）
【０２９７】
（製造方法）
Ａ：成分１〜９を加熱混合して均一にする。
Ｂ：成分１０〜１４を混合して均一にする。
Ｃ：成分１５、１６を混合溶解したのち、Ｂを加えて均一にし、加温する。
Ｄ：ＣをＡに加えて乳化し、コンパクト容器に流し込む。
【０２９８】
（効果）
油剤が多いにもかかわらず油っぽさ、べたつきがなく、のび広がりも軽く、さっぱりとした使用性を持ち、しかも、密着感に優れ、おさまりも良く化粧もちに優れる。
【０２９９】
［処方例４］  Ｏ／Ｗ／Ｏ 型リキッドファンデーション
（成分）（Ｗｔ％）
１．実施例１のペースト状組成物  ５．０
２．デカン酸プロピレングリコール  ５．０
３．ミリスチン酸イソプロピル  ５．０
４．オクチルシラン処理顔料  １０．０
５．卵黄由来水素添加リン脂質  １．０
６．グリセリン  ２．０
７．１，３−ブチレングリコール  １０．０
８．防腐剤  適量
９．精製水  ５２．０
１０．9040 Silicone Elastomer Blend*7)  ２．０
１１．セチルアルコール  ５．０
１２．香料  適量
注 *7) 架橋型オルガノポリシロキサン（ジメチコンクロスポリマー）をデカメチルシクロペンタシロキサンで希釈したもの（エラストマー成分１２％）
【０３００】
（製造方法）
Ａ：成分１〜３を混合して均一化する。
Ｂ：成分４〜９を加熱混合し、均一にする。
Ｃ：成分１０〜１１加熱混合する。
Ｄ：Ｂを攪拌しながらＣを加えて乳化し、冷却する。
Ｅ：Ａを攪拌しながらＤを加えて乳化する。
【０３０１】
（効果）
のびが軽くさっぱりとして、べたつきや油感がなく、透明感があり化粧持ちが良く、温度や経時による変化も僅かであり、使用性も安定性も非常に優れている。
【０３０２】
［処方例５］  Ｗ／Ｏ メークアップ下地
（成分）（Ｗｔ％）
１．実施例１のペースト状組成物  ５．０
２．9045 Silicone Elastomer Blend *8)  ０．９
３．ＥＳ−５６１２  Ｆｏｒｍｕｌａｔｉｏｎ  Ａｉｄ *2)  ０．５
４．ジメチルポリシロキサン（６ｃｓｔ）  ６．０
５．ジメチルポリシロキサン（２０ｃｓｔ）  ２．０
６．デカメチルシクロペンタシロキサン  ３．０
７．微粒子酸化チタン／デカメチルシクロペンタシロキサン／シロキサンデンドロン基を有するポリグリセリン変性シリコーンからなる油中粉体分散物*9)  １０．０
８．疎水化シリカ  ０．１
９．ジプロピレングリコール  ５．０
１０．クエン酸ナトリウム  ０．２
１１．塩化ナトリウム  ０．５
１２．メチルセルロース（２％水溶液）  ２．５
１３．エタノール  ３．０
１４．防腐剤  適量
１５．香料  適量
１６．精製水  ６１．３
注 *8）架橋型オルガノポリシロキサン（ジメチコンクロスポリマー）をデカメチルシクロペンタシロキサンで希釈したもの（エラストマー成分１３％）
注 *2) ポリエーテル変性シリコーン
注 *9) Ｄ５と粉体と分散剤（変性シリコーン）の配合ｗｔ比は、５０：４０：８
【０３０３】
（製造方法）
Ａ：成分１〜８を加熱混合する。
Ｂ：成分９ 〜１６を混合溶解し、Ａ に加えて攪拌乳化する。
【０３０４】
（効果）
油っぽさ、べたつきがなく、のび広がりも軽く、みずみずしいさっぱりとした使用性を持ち、しかも、密着感に優れ、おさまりも良く、マット感のある仕上がりが得られる。更に紫外線カット効果のある化粧持ちの良い優れたＷ／Ｏ 型メークアップ下地である。
【０３０５】
［処方例６］  口紅
（成分）（Ｗｔ％）
１．ポリエチレンワックス  １２．０  
２．マイクロクリスタリンワックス  ４．０
３．ポリブテン  ５．０
４．ＦＡ  ４００２  ＩＤ *5)  １２．０
５．実施例１のペースト状組成物  ７．０
６．２−エチルヘキサン酸セチル  ２０．０
７．ショ糖脂肪酸エステル  ３．０
８．トリイソステアリン酸グリセリル  ３７．０
９．顔料  適量
１０．防腐剤  適量
１１．香料  適量
注  *5) （アクリレーツ/メタクリル酸ポリトリメチルシロキシ）コポリマーの、イソドデカン溶液（有効成分４０％）
【０３０６】
（製造方法）
Ａ：成分１〜８を加熱溶解し、成分９を加え均一に混合する。
Ｂ：成分１０をＡに加えて混合する。
Ｃ：Ｂに成分１１を加えて容器に充填し、口紅を得る。
【０３０７】
（効果）
のびが軽くて油っぽさや粉っぽさがない上、さっぱりとした使用感を与えると共に、耐水性や撥水性が良好で持ちも良く、安定性にも優れている。
【０３０８】
［処方例７］  パウダーファンデーション
（成分）（Ｗｔ％）
１．ワセリン  ２．５
２．スクアラン  ３．０
３．実施例１のペースト状組成物  ０．５
４．トリオクタン酸グリセリル  ２．０
５．シリコーン処理マイカ  ４０．０
６．シリコーン処理タルク  ２２．５
７．シリコーン処理酸化チタン  １０．０
８．シリコーン処理微粒子酸化チタン  ５．０
９．シリコーン処理硫酸バリウム  １０．０
１０．疎水化シリカ  ０．１
１１．顔料  適量
１２．フッ素化合物処理粉体  ２．０
１３．トレフィルＥ−５0６Ｓ*10)  ２．４
１４．防腐剤  適量
１５．香料  適量
注 *10) オルガノポリシロキサンエラストマー球状粉体｛（ジメチコン／ビニルジメチコン）クロスポリマー、エラストマー成分量１００％｝
【０３０９】
（製造方法）
Ａ：成分４〜１４を混合して、均一にする。
Ｂ：成分１〜３を均一に混合し、Ａに加えて均一にする。
Ｃ：Ｂに成分１５を添加し、金型にプレス成型してパウダーファンデーションを得る。
【０３１０】
（効果）
べたつきがなく、のび広がりも軽く、しかも、密着感に優れ、おさまりも良く、つやのある仕上がりが得られる。
【０３１１】
［処方例８］  Ｗ／Ｏ 型コンパクトファンデーション
（成分）（Ｗｔ％）
１．セレシン  ５．５
２．マイクロクリスタリンワックス  １．０
３．流動パラフィン  ３．０
４．実施例１のペースト状組成物  ９．０
５．ジカプリン酸ポリプロピレングリコール  ３．０
６．シロキサンデンドロン基を有するポリグリセリン・アルキル共変性シリコーン  １．０
７．ジメチルポリシロキサン（６ｃｓｔ）  １５．５
８．オイル処理酸化チタン  １０．０
９．顔料  適量
１０．レシチン  ０．３
１１．モノオレイン酸ポリオキシエチレンソルビタン  ０．５
１２．ジプロピレングリコール  ６．０
１３．マルトース  ２．０
１４．クエン酸ナトリウム  ０．２
１５．精製水  ４３．0
【０３１２】
（製造方法）
Ａ：成分１〜７を加熱混合する。
Ｂ：成分８〜１３を混合して均一にする。
Ｃ：成分１４〜１５を混合して溶解し、Ｂを加えて均一にし、加温する。
Ｄ：ＣをＡに加えて乳化する。
【０３１３】
（効果）
油剤が多いにもかかわらず油っぽさ、べたつきがなく、のび広がりも軽く、さっぱりとした使用性を持ち、しかも、密着感に優れ、おさまりも良く化粧もちにも優れる。
【０３１４】
［処方例９］  アイシャドウ
（成分）（Ｗｔ％）
１．セリサイト  ４０．０
２．マイカ  １０．０
３．タルク  １９．０
４．酸化チタン  １０．０
５．微粒子酸化チタン  ５．０
６．ステアリン酸マグネシウム  ３．０
７．顔料  適量
８．オクチルドデカノール  ３．０
９．ジメチルポリシロキサン（６ｃｓｔ）  ４．０
１０．メチルトリメチコン  １．５
１１．実施例１のペースト状組成物  ４．５
１２．防腐剤  適量
１３．香料  適量
【０３１５】
（製造方法）
Ａ：成分８〜１２を混合して、均一にする。
Ｂ：成分１〜７をよく混合し、更にＡを加えて均一に混合する。
Ｃ：成分１３をＢに添加する。
【０３１６】
（効果）
べたつきがなく、のび広がりも軽く、しかも、密着感に優れ、おさまりも良く、つやのある仕上がりが得られ、化粧持ちが良い。
【０３１７】
［処方例１０］  Ｗ／Ｏ 型ＵＶカットクリーム
（成分）（Ｗｔ％）
１．シリコーン処理微粒子酸化亜鉛  ２０．０
２．６７０  ＦＬＵＩＤ *11)  １２．０
３．デカメチルシクロペンタシロキサン  ２２．８
４．トリ２−エチルヘキサン酸グリセリル  ３．０
５．実施例１のペースト状組成物  ４．２
６．シロキサンデンドロン基を有するポリグリセリン・アルキル共変性シリコーン  １．０
７．シロキサンデンドロン基を有するポリエーテル・アルキル共変性シリコーン  １．０
８．メトキシ桂皮酸オクチル  ６．０
９．クエン酸ナトリウム  ０．２
１０．ジプロピレングリコール  ３．０
１１．防腐剤  適量
１２．香料  適量
１３．精製水  ２６．８
【０３１８】
注 *11) ポリプロピルシルセスキオキサンの、デカメチルシクロペンタシロキサン溶液（有効成分５０％）
【０３１９】
（製造方法）
Ａ： 成分３の一部、及び４〜８を加熱混合する。
Ｂ： 成分９〜１１、１３を混合して溶解させ、Ａ に加えて攪拌乳化する。
Ｃ： 成分１、２及び３の残部を混合分散し、Ｂに添加して均一に混合する。
Ｄ： 成分１２をＣに加えて均一にする。
【０３２０】
（効果）
のびが軽くさっぱりとして、べたつきや油性感のない自然な塗布感が得られる。塗布後には透明感と化粧持ちに優れながら肌なじみのよい保護皮膜が得られ、ＵＶカット効果も優秀である。製剤としては温度や経時による変化が少なく、使用性や安定性の面でも優れている。
【０３２１】
［処方例１１］  Ｗ／Ｏ 型ＵＶカット乳液
（成分）（Ｗｔ％）
１．ジメチルポリシロキサン（６ｃｓｔ）  ５．０
２．トリ２−エチルヘキサン酸グリセリル  ２．０
３．実施例１のペースト状組成物  ６．０
４．ＥＳ−５６１２  Ｆｏｒｍｕｌａｔｉｏｎ  Ａｉｄ *2)  １．０
５．微粒子酸化チタン／デカメチルシクロペンタシロキサン／シロキサンデンドロン基を有するポリグリセリン・アルキル変性シリコーンからなる油中粉体分散物 *12) ３０．０
６．微粒子酸化亜鉛／デカメチルシクロペンタシロキサン／シロキサンデンドロン基を有するポリグリセリン・アルキル変性シリコーンからなる油中粉体分散物 *13)  ３０．０
７．ジプロピレングリコール  ３．０
８．クエン酸ナトリウム    ０．２
９．防腐剤  適量
１０．香料  適量
１１．精製水  ２２．８
注 *2) ポリエーテル変性シリコーン
注 *12) Ｄ５と粉体と分散剤（変性シリコーン）の配合ｗｔ比は、５０：４０：１０
注 *13) Ｄ５と粉体と分散剤（変性シリコーン）の配合ｗｔ比は、３５：６０：５
【０３２２】
（製造方法）
Ａ：成分１〜４を加熱混合する。
Ｂ：成分７〜９、１１を混合溶解し、Ａに加えて攪拌乳化する。
Ｃ：成分５、６、１０をＢに加えて均一にする。
【０３２３】
（効果）
のびが軽くさっぱりとして、べたつきや油感がほとんどなく、透明感があり化粧持ちが良く、温度や経時による変化が僅かであり、使用性も安定性も非常に優れている。ＵＶカット効果にも優れる。
【０３２４】
［処方例１２］ Ｏ／Ｗ 型ＵＶカットクリーム
（成分）（Ｗｔ％）
１．9040 Silicone Elastomer Blend *7) ５．０
２．２−エチルヘキサン酸セチル  ５．０
３．実施例１のペースト状組成物  １．０
４．微粒子酸化チタン／デカメチルシクロペンタシロキサン／シロキサンデンドロン基を有するポリグリセリン・アルキル変性シリコーンからなる油中粉体分散物*12) １５．０
５．ＢＹ  ２５−３３９ *14)  １．０
６．ＳＳ−２８０２ *15)  １．０
７．ポリアクリルアミド系乳化増粘剤*16) ２．０
８．プロピレングリコール  ５．０
９．メチルセルロース（２％水溶液）  ５．０
１０．防腐剤  適量
１１．香料  適量
１２．精製水  ６０．０
注 *7) 架橋型オルガノポリシロキサン（ジメチコンクロスポリマー）をデカメチルシクロペンタシロキサンで希釈したもの（エラストマー成分１２％）
注 *12) Ｄ５と粉体と分散剤（変性シリコーン）の配合ｗｔ比は、５０：４０：１０
注 *14) ポリエーテル変性シリコーン
注 *15) ポリエーテル変性シリコーン
注 *16) ＳＥＰＩＣ社製：  ＳＥＰＩＧＥＬ  ３０５（商品名）
【０３２５】
（製造方法）
Ａ：成分５〜８及び１０、１２を混合する。
Ｂ：成分１〜３を加熱混合し、Ａ に加えて攪拌乳化する。
Ｃ：成分４をＢに加え、更に成分９、１０を加えて均一にする。
【０３２６】
（効果）
のびが軽くさっぱりとしたみずみずしい塗布感が得られる。塗布後は、肌が白くならず適度なソフトフォーカス効果とＵＶカット効果が得られ、効果の持続性も良好である。製剤としては、温度や経時による変化が僅かであり、使用性や安定性に非常に優れている。
【０３２７】
［処方例１３］ Ｗ／Ｏ／Ｗ 型クリーム
（成分）（Ｗｔ％）
１．２−エチルヘキサン酸セチル  ５．０
２．実施例１のペースト状組成物  ６．０
３．ジメチルポリシロキサン（２ｃｓｔ）  ５．０
４．ジオレイン酸メチルグルコース  １．５
５．イソヘキサデカン  ３．５
６．硫酸マグネシウム  ０．５
７．プロピレングリコール  ５．０
８．精製水  ３９．５
９．セチルアルコール  １．０
１０．ＰＥＧ−１０大豆ステロール  ２．０
１１．防腐剤  適量
１２．香料  適量
１３．精製水  ３１．０
【０３２８】
（製造方法）
Ａ：成分６〜８を混合する。
Ｂ：成分１〜５を混合し、Ａに加えて攪拌乳化する。
Ｃ：成分９〜１１及び１３を混合し、Ｂを攪拌下、添加して乳化する。
Ｄ：Ｃに成分１２を加えて均一にする。
【０３２９】
（効果）
のびが軽くさっぱりとして、べたつきや油感がなく、透明感があり化粧持ちが良く、温度や経時による変化が少なく、使用性と安定性も非常に優れたＷ／Ｏ／Ｗ 型クリームである。
【０３３０】
［処方例１４］ Ｏ／Ｗ／Ｏ 型乳液
（成分）（Ｗｔ％）
１．トリ２−エチルヘキサン酸グリセリル  １５．０
２．実施例１のペースト状組成物  ８．０
３．ショ糖モノステアレート  ３．０
４．グリセリン  ５．０
５．１，３−ブチレングリコール  ５．０
６．防腐剤  適量
７．精製水  ６０．０
８．マカデミアナッツ油  ２．０
９．セチルアルコール  ２．０
１０．香料  適量
【０３３１】
（製造方法）
Ａ：成分１〜２を均一に混合する。
Ｂ：成分３〜７を加熱混合し、均一にする。
Ｃ：成分８〜１０を加熱混合する。
Ｄ：Ｂを攪拌しながらＣを加えて乳化し、冷却する。
Ｅ：Ａを攪拌しながらＤを加えて乳化する。
【０３３２】
（効果）
塗布時には、のびが軽くさっぱりとして、べたつきや油感がほとんどない。塗布後は肌に保湿効果と透明感をもたらす。これら効果の持続性も良好である。製剤としては、温度や経時による変化が少なく、使用性と安定性にも非常に優れたＯ／Ｗ／Ｏ 型乳液である。
【０３３３】
［処方例１５］ スキンケア乳液
（成分）（Ｗｔ％）
１．ステアリン酸 1．０
２．自己乳化型モノステアリン酸グリセリン  ０．５
３．ポリオキシエチレン（１０）セチルアルコール  ０．５
４．流動パラフィン  ５．０
５．ジメチルポリシロキサン（２０ｃｓｔ）  １．０
６．コレステロール  ０．５
７．実施例１のペースト状組成物  ５．３
８．デカメチルシクロペンタシロキサン  １．７
９．セチル硫酸ナトリウム  ０．５
１０．グリセリン  ２．０
１１．カルボキシビニルポリマー  ０．２
１２．水酸化カリウム  ０．１
１３．パラベン  ０．２
１４．香料  ０．１
１５．精製水  ８１．４
【０３３４】
（製造方法）
Ａ：成分１〜８を約８０℃にて均一に混合する。
Ｂ：成分９〜１３及び１５を約８０℃にて均一に溶解する。    
Ｃ：Ｂをホモミキサーで撹拌しながら、Ａを添加して乳化し、その冷却過程の７０℃で成分１４を添加した後、室温まで冷却し撹拌を停止する。
【０３３５】
（効果）
塗布時のみずみずしく滑らかな感触、塗布後のしっとりとした仕上がり、乳液のノリと塗布後の小じわの隠ぺい性、これら効果の持続性がいずれも極めて良好である。
【０３３６】
［処方例１６］ スキンケアクリーム
（成分）（Ｗｔ％）
１．ステアリン酸  ３．０
２．親油型モノステアリン酸グリセリン  ２．０
３．サラシミツロウ  １．０
４．ポリオキシエチレン（１０）ステアリルエーテル  １．０
５．ワセリン  １．０
６．ベヘニルアルコール  ２．０
７．スクワラン  １０．０
８．実施例１のペースト状組成物  ５．３
９．イソヘキサデカン  １．７
１０．Ｎ−ステアロイル−Ｌ−グルタミン酸ナトリウム  ０．５
１１．プロピレングリコール  ３．０
１２．マルトース  １．０
１３．キサンタンガム  ０．３
１４．パラベン  ０．２
１５．香料  ０．１
１６．精製水  ６７．９
【０３３７】
（製造方法）
Ａ：成分１〜９を約８０℃にて均一に混合する。
Ｂ：成分１０〜１４及び１６を約８０℃にて均一に溶解する。
Ｃ：Ｂをホモミキサーで撹拌しながら、Ａを添加して乳化し、その冷却過程の７０℃で成分１５を添加した後、室温まで冷却し撹拌を停止する。
【０３３８】
（効果）
塗布時の感触（なめらかさ）、塗布後の仕上がり（しっとり感）に代表される官能特性、クリームのノリ、塗布後の小じわの隠ぺい性、効果の持続性がいずれも極めて良好である。
【０３３９】
［処方例１７］ ファンデーション
（成分）（Ｗｔ％）
１．シリコーン処理板状硫酸バリウム  ３８．０
２．実施例１のペースト状組成物  １０．６
３．デカメチルシクロペンタシロキサン  ３．４
４．ウレタンビーズ  ５．０
５．シリコーン処理酸化チタン  １０．０
６．シリコーン処理微粒子酸化チタン  ２．０
７．酸化鉄  ４．５
８．シリコーン処理微粒子酸化亜鉛  ５．０
９．フッ素処理セリサイト  ２０．０
１０．パーフロロポリエーテル変性シリコーン  １．３
１１．防腐剤  ０．２
【０３４０】
（製造方法）
Ａ：各成分をミキサーに仕込んで混合後、アトマイザーにて粉砕する。
Ｂ：次いで、金型を用いて金皿に打型して製品を得る。
【０３４１】
（効果）
塗布時の感触が良好であり、化粧効果の持続性、塗布後の小じわの隠ぺい性も良好である。
【０３４２】
［処方例１８］ Ｏ／Ｗ 型サンスクリーン剤
（成分）（Ｗｔ％）
１．実施例１のペースト状組成物  ５．０
２．ＳＳ−３４０８ *17)  １０．０
３．ジメチルポリシロキサン（２ｃｓｔ）  ５．０
４．オクチルメトキシシンナメート  ７．５
５．オクトクリレン  １０．０
６．防腐剤  適量
７．カルボマー（２％水溶液）  ２０．０
８．プロピレングリコール  ３．０
９．精製水  ３９．３
１０．トリエタノールアミン  ０．２
注 *17) カプリリルメチコン
【０３４３】
（製造方法）
Ａ：成分１〜６をよく混合して均一にする。
Ｂ：Ａを撹拌しながら、成分７を添加してよく混合する。  
Ｃ：成分８、９をＢに添加して十分に混合する。
Ｄ：Ｃに成分１０を添加して混合し、中和する。
【０３４４】
（効果）
塗布時にべたつきが少なく滑らかでみずみずしい塗布感が得られ、サンスクリーン効果の持続性にも優れる。
【０３４５】
［処方例１９］ パウダーアイシャドウ
（成分）（Ｗｔ％）
１．タルク  ３７．０
２．マイカ  ３０．０
３．ビスマスオキシクロライド  ５．０
４．ステアリン酸亜鉛  ３．０
５．窒化ホウ素  ５．０
６．メチルパラベン  ０．２
７．プロピルパラベン  ０．１
８．酸化鉄（赤、黄色及び黒）  １２．２
９．実施例１のペースト状組成物  ０．９
１０．デカメチルシクロペンタシロキサン  ３．１
１１．ジメチルポリシロキサン（５ｃｓｔ）  ３．５
【０３４６】
（製造方法）
Ａ：成分１〜８をよく混合して均質にする。
Ｂ：別の容器で成分９〜１１をよく混合して均一にする。
Ｃ：ＢをＡに添加してよく混合する。
Ｄ：Ｃを適当な容器入れ、プレスして成形する。
【０３４７】
（効果）
べたつきがなく、のび広がりも軽く、しかも、密着感に優れ、おさまりも良く、透明感のある仕上がりが得られ、化粧持ちが良い。
【０３４８】
［処方例２０］ 口紅
（成分）（Ｗｔ％）
１．ワセリン  ３４．３
２．鉱油  ６．０
３．キャンデリラワックス  ４．０
４．カルナバワックス  ３．０
５．マイクロクリスタリンワックス  １０．０
６．ミツロウ６．０
７．ＳＨ  ５５６  ＦＬＵＩＤ*18)  ３．０
８．イソドデカン  ２．３
９．実施例１のペースト状組成物  ０．７
１０．ひまし油  １５．７
１１．Ｄ＆Ｃ  Ｒｅｄ  Ｎｏ．７カルシウムレーキ  ６．０
１２．マイカ  ５．０
１３．酸化鉄  ４．０
注 *18) フェニルトリメチコン
【０３４９】
（製造方法）
Ａ：成分１〜６を混合し、加熱して溶解する。
Ｂ：別に、成分７〜９をよく混合して均一にする。
Ｃ：ＢをＡに添加して、よく混合する。
Ｄ：別に、成分１０、１１を混合してロールミルに通し、均質化する。
Ｅ：ＤをＣに添加してよく混合する。
Ｆ：更に成分１２、１３をＥに添加してよく混合したのち容器に充填する。
【０３５０】
（効果）
のびが軽くて油っぽさや粉っぽさがない上、さっぱりとした使用感を与えると共に、耐水性や撥水性が良好で持ちも良く、安定性にも優れている。
【０３５１】
［処方例２１］  マスカラ
（成分）（Ｗｔ％）
１．ＦＡ  ４００２  ＩＤ *5)  １９．０
２．パルミチン酸／ エチルヘキサン酸デキストリン  ８．０
３．ポリエチレンワックス  ３．５
４．ミツロウ  ６．５
５．レシチン  ０．５
６．ＳＳ−３４０８*17)  ２１．０
７．Ｃ１１−１２流動イソパラフィン  １９．０
８．実施例１のペースト状組成物  ４．０
９．酸化鉄  ５．０
１０．アエロジルＲＹ２００*18)  ３．５
１１．タルク  １０．０
注 *5) （アクリレーツ/メタクリル酸ポリトリメチルシロキシ）コポリマーの、イソドデカン溶液（有効成分４０％）
注 *17) カプリリルメチコン
注 *18) アエロジルＲＹ２００（日本アエロジル社製）：疎水化シリカ
【０３５２】
（製造方法）
Ａ：成分１〜８をよく混合し、４０℃に加温して均一な分散物とする。
Ｂ：成分９〜１１ をＡ に加えローラーにて分散する。
【０３５３】
（効果）
マスカラに適度な粘性があるため使用者にとって扱いやすく、のび広がりが軽くてべたつきや油っぽさがなく、耐水性、撥水性、耐汗性があり化粧持ちも良い。温度や経時的な変化が僅かであり安定性にも優れている。
【０３５４】
［処方例２２］  Ｏ／Ｗ クリーム
（成分）（Ｗｔ％）
１．実施例１のペースト状組成物  ２２．５
２．ＥＬ−８０５１  ＩＮ  ＳＩＬＩＣＯＮＥ  ＯＲＧＡＮＩＣ  ＥＬＡＳＴＯＭＥＲ  ＢＬＥＮＤ *25)  ６．０
３．デカメチルシクロペンタシロキサン  １０．０
４．メチルトリメチコン  ９．５
５．シロキサンデンドロン構造を有するポリグリセリン変性シリコーン  ０．９
６．１，３−ブチレングリコール  ３．０
７．（アクリル酸ヒドロキシエチル/アクリロイルジメチルタウリンNa） コポリマー含有の乳化増粘剤*19)  ０．６
８．アンモニウムアクリロイルジメチルタウリン／ＶＰコポリマー（５％水溶液）  １３．０
９．塩化ナトリウム（１％水溶液）  ８．０
１０．精製水  ２６．５
注 *19) ＳＥＰＩＣ社製：  ＳＩＭＵＬＧＥＬ  ＮＳ（商品名）
注 *25) （ジメチコン/ ビス−イソブチルＰＰＧ−２０）クロスポリマーを、ネオペンタン酸イソデシルで希釈したもの（エラストマー成分１５％）
【０３５５】
（製造方法）
Ａ：成分１〜４を均一に混合する。
Ｂ：成分５〜１０を混合する。
Ｃ：ＡをＢに加えて乳化する。
【０３５６】
（効果）
キメが細かく、のび広がりが軽くてべたつきや油っぽさがない上しっとりとしてリッチ感があり、更にみずみずしく、さっぱりとした使用感を与えると共に化粧持ちも非常に良く、温度変化や経時による変化が少なく安定性に優れている。
【０３５７】
［処方例２３］  Ｏ／Ｗ クリーム
（成分）（Ｗｔ％）
１．実施例１のペースト状組成物  ２．０
２．EL-9140 DM Slicone Elastomer Blend*20)  １５．０
３．ジメチルポリシロキサン（２ｃｓｔ）  １０．０
４．ＳＳ−３４０８*17)  ８．０
５．ジメチルポリシロキサン（６ｃｓｔ）  １０．０
６．ＳＳ−２８０４*21)  ０．７
７．プロピレングリコール３．０
８．ポリアクリルアミド系乳化増粘剤*16)  ０．８
９．キサンタンガム（２％水溶液）８．０
１０．ポリソルベート２０  ０．５
１１．防腐剤 適量
１２．香料  適量
１３．精製水  ４２．０
注 *20） 架橋型オルガノポリシロキサン（ジメチコンクロスポリマー）をジメチルポリシロキサン（１．５ｃｓｔ）で希釈したもの（エラストマー成分１４％）
注 *17) カプリリルメチコン
注 *21) ポリエーテル変性シリコーン
注 *16) ＳＥＰＩＣ社製：  ＳＥＰＩＧＥＬ  ３０５（商品名）
【０３５８】
（製造方法）
Ａ：成分１〜５を均一に混合する。
Ｂ：成分６〜１３を混合する。
Ｃ：ＡをＢに加えて乳化する。
【０３５９】
（効果）
のび広がりが軽くてべたつきや油っぽさがない上、しっとりとしてみずみずしく、さっぱりとした使用感を与えると共に化粧持ちも非常に良く、温度変化や経時による変化がなく安定性にも優れる。
【０３６０】
［処方例２４］ スティック状制汗剤
（成分）（Ｗｔ％）
１．実施例１のペースト状組成物  ４．５
２．ジメチルポリシロキサン（２ｃｓｔ）  ２２．５
３．イソヘキサデカン  ２３．０
４．ステアリルアルコール  １９．０
５．水素添加ひまし油  ３．０
６．グリセリルステアレート  １．０
７．ＰＥＧ−１００ステアレート  １．０
８．タルク  ４．０
９．アルミニウムジルコニウムクロロハイドレックス−グリシン  ２２．０
【０３６１】
（製造方法）
Ａ：成分１〜３を十分に混合し、７５℃に加熱する。
Ｂ：成分４〜７をＡに添加する。
Ｃ：成分８、９をＢに添加して混合する。
Ｄ：Ｃを５５℃に冷却して型に注ぐ。
【０３６２】
（効果）
滑らかでべたつかず、サラッとした塗布感が得られる。制汗効果の持続性も良好である。
【０３６３】
［処方例２５］ 無水ロールオン型制汗剤
（成分）（Ｗｔ％）
１．実施例１のペースト状組成物  ８．０
２．ジメチルポリシロキサン（２ｃｓｔ）  ３０．０
３．イソヘキサデカン  ３０．０
４．ＳＨ  ５５６  ＦＬＵＩＤ*22)  ５．０
５．エタノール  ２．０
６．アルミニウムジルコニウムクロロハイドレックス−グリシン  ２５．０
注 *22) フェニルトリメチコン
【０３６４】
（製造方法）
Ａ：成分１〜４をよく混合して均一にする。
Ｂ：成分５、６をＡに添加してよく混合する。
【０３６５】
（効果）
サラッとしてべたつかない塗布感でありながら、皮膚表面に厚みのある滑らかさを付与できる。制汗効果の持続性も良好である。
【０３６６】
［処方例２６］  非水制汗デオドラントスティック組成物
（成分）（Ｗｔ％）
１．ステアリルアルコール  ２５．０
２．ベヘニルアルコール  ０．５
３．硬化ヒマシ油  ４．０
４．ポリプロピレングリコール（平均分子量１０００）  ７．０
５．ＰＰＧ−１４ブチルエーテル  １．０
６．デカメチルシクロペンタシロキサン  ３３．０
７．実施例１のペースト状組成物  ４．５
８．アルミニウム・シ゛ルコニウム・テトラクロロハイト゛レート・ク゛リシン  ２５．０
【０３６７】
（製造方法）
Ａ：成分１〜３及び成分６〜７を、８０℃で加熱撹拌を行って均一な分散物とする。
Ｂ：６５℃に保ち、撹拌を行いながら成分４〜５を加えて溶解させる。
Ｃ：６５℃に保ち、成分８ を加え、よく撹拌して均一に分散させる。
Ｄ：容器に流し込み、室温で固化させる。
【０３６８】
（効果）
皮膚に塗布することにより厚みのある滑らかさが得られ、その皮膜はべたつかず適度な保湿感を有するため、快適で自然な使用感が得られる。乾燥後の白残りもほとんど見えないレベルである。制汗効果の持続性も良好である。
【０３６９】
［処方例２７］  Ｗ／Ｏ 固形制汗スティック組成物
（成分）（Ｗｔ％）
１．ジメチルポリシロキサン（２ｃｓｔ）  ２２．５
２．安息香酸Ｃ１２−１５アルキル  １２．５
３．ポリデセン  １１．３
４．実施例１のペースト状組成物  １．９
５．β−シトステロール  ２．４
６．γ−オリザノール  ２．４
７．アルミニウム・ジルコニウム・ペンタクロロハイドレート  １８．８
８．精製水  １８．８
９．グリセリン  ９．４
【０３７０】
（製造方法）
Ａ：成分１〜４を、８０℃で加熱撹拌を行って均一な分散物にする。
Ｂ：８０℃に保ち、撹拌を行いながら成分５〜６を順次加えて溶解させる。
Ｃ：別に、成分７〜９を混合し溶解させたのち、６５℃に加熱する。
Ｄ：Ｂを６５℃に保ち、撹拌しながらＣを徐添して乳化する。
Ｅ：静置して脱気した後、容器に流し込み室温で固化させる。
【０３７１】
（効果）
半透明感のある上品な外観と適度なスティック硬度を有す。なめらかでみずみずしい塗布感に優れながら、制汗効果の持続性も良好である。皮膚を効果的に保護すると共に保湿効果の持続性にも優れ、塗布後の白残りも少ない。
【０３７２】
［処方例２８］  Ｗ／Ｏ エマルション型制汗クリーム組成物
（成分）（Ｗｔ％）
１．ミネラルオイル  ２．５
２．セテアリルアルコール  ２．７
３．ステアリン酸グリセリル  ２．０
４．ＰＥＧ−２０ステアレート  １．２
５．実施例１のペースト状組成物  ５．０
６．フェノキシエタノール  ０．４
７．酸化チタン  ０．２
８．グリセリン  ６．０
９．アルミニウム-シ゛ルコニウムテトラクロルハイト゛レックスク゛リシン  １５．０
１０．精製水６５．０
【０３７３】
（製造方法）
Ａ：成分１〜６を、８０℃で加熱撹拌を行って均一な分散物とする。
Ｂ：８０℃に保ち、撹拌を行いながら成分７を加えて均一分散させる。
Ｃ：別に、成分８〜１０を混合し溶解させたのち、６５℃に加熱する。
Ｄ：Ｂを６５℃に保ち、撹拌しながらＣを徐添して乳化する。
【０３７４】
（効果）
なめらかで違和感のない自然な塗布感の得られるクリームであり、制汗及び保湿効果の即効性と持続性のバランスが良好である。皮膚に潤いを与え、弾力性を回復する。塗布後の白残りはほとんどない。
【０３７５】
［処方例２９］  油中水型エマルジョン透明制汗剤組成物  
（成分）（Ｗｔ％）
１．ジメチルポリシロキサン（２ｃｓｔ）  １０．０
２．ＳＳ−３４０８ *17)  １．０
３．ジメチルポリシロキサン（２０ｃｓｔ）  １．０
４．ジメチルポリシロキサン（５０ｃｓｔ）  １．０
５．イソプロピルパルミテート  １．０
６．実施例１のペースト状組成物  １０．０
７．プロピレングリコール  １０．０
８．モノオレイン酸ＰＯＥ（２０）ソルビタン  ０．７
９．５０％アルミニウムクロロハイドレート水溶液  ４０．０
１０．７０％ソルビトール水溶液  １３．４
１１．精製水  １１．９
１２．精製水(屈折率調製用)  適量
注 *17) カプリリルメチコン
【０３７６】
(製造方法)
Ａ：成分１〜６をよく混合し均一にする。
Ｂ：別に、成分７〜１１をよく混合して溶解させる。
Ｃ：Ａ、Ｂ相の各々の２、３滴を取り、２５℃における屈折率（ＲＩ）を測定する。
Ｄ：成分１２は、Ｂ相の屈折率値を＜０．０００１単位内でＡ相の屈折率値に合致させるため、少しずつ分割して添加する。この工程を所望の屈折率値の合致に達するまで反復する。
Ｅ：Ａ相を攪拌しながら、Ｂ相を徐添して乳化する。
【０３７７】
(効果)
半透明〜透明で見栄えがよく、外観上の変化が少ない。適度な粘度を有するため、指に取ろうとした時に、直ぐに流れ落ちることなく、容易に希望の量が取れる。塗布時には、滑らかで自然な使用感が得られ乾き際のべたつきも少なく、塗布後には白さが目立たない。
【０３７８】
［処方例３０］  非水のスティック状制汗剤組成物
（成分）（Ｗｔ％）
１．ステアリルアルコール  ２５．０
２．水添ヒマシ油  ４．０
３．ジメチルポリシロキサン（２ｃｓｔ）  ３１．０
４．ＰＰＧ−２０ブチルエーテル  ７．０
５．セスキイソステアリン酸ソルビタン  ２．０
６．実施例１のペースト状組成物  １０．０
７．Ｌ−メントール  ０．８
８．ＢＨＴ  ０．１
９．３−メチル−４−イソプロピルフェノール  ０．１
１０．焼ミョウバン  ２０．０
【０３７９】
(製造方法)
Ａ：成分１〜６を混合し、約８０℃で加熱と撹拌を行って均一な分散物とする。
Ｂ：系の凝固点より少し高い温度（約６５℃）に保ち、撹拌下に成分７〜９を加えて溶解させる。
Ｃ：系の凝固点より少し高い温度に保ち、成分１0を加え、よく撹拌して均一に分散させる。
Ｄ：容器に流し込み、室温で固化させる。
【０３８０】
(効果)
塗布時の使用感がなめらかであり、違和感なく自然で適度等ライ感が得られる。塗布後のべたつきもなく、乾燥後でも白さがほとんど目立たない。
【０３８１】
［処方例３１］  ヘアコンディショナー
（成分）（Ｗｔ％）
１．セタノール  ５．６
２．ステアリルトリモニウムクロリド  １．５
３．ベヘントリモニウムクロリド  ０．８
４．ミネラルオイル  １．０
５．デカメチルシクロペンタシロキサン  ２．０
６．ジメチルポリシロキサン（５０００ｃｓｔ）  ０．５
７．ＳＨ  ５５６  ＦＬＵＩＤ*22)  ２．０
８．実施例１のペースト状組成物  １．５
９．メチルイソチアゾリノン  ０．１
１０．ＥＤＴＡ−２Ｎａ  ０．１
１１．グリセリン  ２．０
１２．精製水  ８２．９
注 *22) フェニルトリメチコン
【０３８２】
（製造方法）
Ａ：成分１〜８をよく混合し、８０℃で加熱撹拌して均一な分散物とする。
Ｂ：別に、成分１０〜１２を８０℃で加熱して溶解する。
Ｃ：Ａを撹拌下に、Ｂを徐添して乳化する。
Ｄ：Ｃを撹拌しながら冷却し、40℃以下で成分９を添加する。
【０３８３】
(効果)
毛髪への塗布時には滑らかに伸び広がり、流水による濯ぎ時には良好な滑らかさが持続する。タオルドライ時には、毛先を含めた毛髪全体にサラッとした軽い良好なすべり感を付与できる。更に、乾燥後のコンディショニング効果（サラッとした軽い指通り感やボリューム感、パサツキを抑えた自然なつやの付与）にも優れる。
【０３８４】
［処方例３２］  シャンプー
（成分）（Ｗｔ％）
１．ＰＯＥ（２）ラウリルエーテル硫酸Ｎａ （７０％水溶液)  １７．８６
２．コカミドプロピルベタイン （３０％水溶液）  ８．３３
３．セタノール  ０．５０
４．カチオン化セルロース（２％水溶液）  ２５．００
５．カチオン化グアーガム  ０．０５
６．シ゛メチルシ゛アリルアンモニウムハライト゛とアクリルアミト゛の共重合体型カチオン性ホ゜リマー（９％水溶液）  １．６７
７．安息香酸Ｎａ  ０．３０
８．ジステアリン酸グリコール  １．００
９．実施例１のペースト状組成物／シ゛メチルホ゜リシロキサン(2cst)の1/9混合液を乳化したO/Wエマルション４．００
１０．クエン酸  ０．０５
１１．精製水  ４１．２４
【０３８５】
（製造方法）
Ａ：成分１〜３、成分７、８、１１をよく混合し、70℃に保ちながら撹拌し完全に溶解する。
Ｂ：70℃に保ちながら、Ａに成分４〜６を加え、完全に溶解する。
Ｃ：Ｂを撹拌しながら冷却し、55℃で成分９を加える。
Ｄ：更に室温まで冷却し、撹拌しながら成分１０を加える。 
【０３８６】
（効果）
起泡性が良く、クリーミーで細かく均一な泡質であり、洗髪時の感触が良好。濯ぎ後の濡れた状態でも、毛髪に適度で自然な滑らかさを与える。
【０３８７】
［処方例３３］  ヘアクリーム（セットタイプ）
（成分）（Ｗｔ％）
１．カラギーナン  １．０
２．ＰＯＥ（６０）硬化ひまし油  １．０
３．カルボキシビニルポリマー  ０．６
４．トリエタノールアミン  適量(pH = 7.5)
５．グリセリン  ２．０
６．香料  適量
７．オクチルメトキシシンナメート  ０．１
８．エタノール  ２５．０
９．精製水  ５８．３
１０．N -メタクリロイルオキシシ゛エチル-N, N -シ゛メチルアミノエチル-α-N-メチルカルホ゛キシヘ゛タイン・メタクリル酸アルキルエステル共重合体  ３．０
１１．アクリル酸アルキルコホ゜リマーTEA (30% エタノール溶液)  １．０
１２．実施例１のペースト状組成物／シ゛メチルホ゜リシロキサン(2cst)の1/9混合液を乳化したO/Wエマルション   ８．０
【０３８８】
（製造方法）
Ａ：成分９の半量、成分１〜３、成分５をよく混合し、均一に溶解させる。
Ｂ：別の容器に成分４、成分６〜８を仕込み、均一に溶解させる。
Ｃ：Ｂを撹拌しながら、成分９の残りを徐々に添加して、均一な分散液とする。
Ｄ：Ｃの分散液を撹拌しながら、成分１０、１１を徐々に添加して、均一な粘性液を得る。 
Ｅ：Ｄを撹拌しながら、成分１２を徐々に添加して、均一なクリームを得る。
【０３８９】
（効果）
塗布後、乾燥までの感触が滑らかでくし通りがよく、べたつきも少ない。乾燥後は、毛髪がゴワゴワすることなく自然な滑らかさを有し、セットの持続性にも優れている。
【０３９０】
[処方例３４］  シャンプー
（成分）（Ｗｔ％）
１．精製水  ４５．３３
２．ポリクオタニウム−１０  ０．３
３．ＥＤＴＡ−２Ｎａ  ０．１
４．グリセリン  １．５
５．ラウレス硫酸Ｎａ（２７％水溶液）  ３０．０
６．ラウレス−６カルボン酸Ｎａ（２４％水溶液）  １０．０
７．コカミドプロピルベタイン、ＮａＣｌ（３０％水溶液）  １０．０
８．ポリクオタニウム−７  ０．２７
９．防腐剤  適量
１０．香料  適量
１１．コカミドＭＥＡ  ２．０
１２．実施例１のペースト状組成物／シ゛メチルホ゜リシロキサン(2cst)の1/9混合液を乳化したO/W エマルション  ０．５
１３． クエン酸  適量
【０３９１】
（製造方法）
Ａ：成分１〜４を加温し、混合溶解する。
Ｂ：Ａで得た組成物に成分５〜７を添加して均一にする。
Ｃ：Ｂで得た組成物を冷却し、成分８〜１２を添加してよく混合し、均一にする。
Ｄ：必要に応じて成分１３を添加し、ｐＨを調製する。
【０３９２】
また、工程Ｃの後に、更に、ジメチルシリコーン、分子鎖両末端ジメチルシラノール基封鎖ジメチルポリシロキサン（ジメチコノール）、フェニル変性シリコーン、アミノ変性シリコーン、アミノポリエーテル共変性シリコーンの等の乳化物、シリコーンエラストマー粉体の水分散物、及び／又はポリエーテル変性シリコーン等の水溶性シリコーン油等を配合することで、それぞれの相乗効果が期待できる。
【０３９３】
[処方例３５］ ヘアコンディショナー
（成分）（Ｗｔ％）
１．ステアリルトモニウムクロリド  １．４４
２．セチルアルコール  ２．４
３．オクチルドデカノール  ０．５
４．エチルヘキサン酸セチル  ０．６
５．スクワラン  ０．２
６．精製水  ８９．８６
７．グリセリン  ２．０
８．防腐剤  適量
９．香料  適量
１０．実施例１のペースト状組成物／シ゛メチルホ゜リシロキサン(2cst)の1/9混合液を乳化したO/W エマルション  ３．０
１１．クエン酸  適量
【０３９４】
（製造方法）
Ａ：成分１〜５を加温し、混合溶解する。
Ｂ：成分６〜７を加温し、混合溶解する。
Ｃ：Ａで得た組成物にＢで得た組成物を添加し、乳化する。
Ｄ：Ｃで得た組成物を冷却し、成分８〜１０を添加してよく混合する。
Ｅ：必要に応じて、成分１１を添加する。
【０３９５】
また、工程Ｃの後に、更に、ジメチルシリコーン、分子鎖両末端ジメチルシラノール基封鎖ジメチルポリシロキサン（ジメチコノール）、フェニル変性シリコーン、アミノ変性シリコーン、アミノポリエーテル共変性シリコーンの等の乳化物、シリコーンエラストマー粉体の水分散物、及び／又はポリエーテル変性シリコーン等の水溶性シリコーン油等を配合することで、それぞれの相乗効果が期待できる。
【０３９６】
[処方例３６］  ヘアトリートメント  リンスタイプ
（成分）（Ｗｔ％）
１．セチルアルコール  ５．６
２．ミネラルオイル  １．０
３．ステアルトリモニウムクロリド  １．２
４．ベヘントリモニウムクロリド  ０．６４
５．デカメチルシクロペンタシロキサン  ２．０
６．ジメチコン（２ｃＳｔ）  １．０
７．ジメチコン（５，０００ｃＳｔ）  １．０
８．ＳＨ  ５５６  ＦＬＵＩＤ *22)  ２．０
９．実施例１のペースト状組成物  ０．５
１０．グリセリン  ２．０
１１．ＥＤＴＡ−２Ｎａ  ０．１
１２．精製水  ８２．７６
１３．パンテノール  ０．１
１４．トコフェロール  ０．０４
１５．リシンＨＣｌ  ０．０２
１６．グリシン  ０．０２
１７．ヒスチジン  ０．０２
１８．防腐剤  適量
１９．香料  適量
注 *22) フェニルトリメチコン
【０３９７】
（製造方法）
Ａ：成分１〜９を加温し、よく混合して溶解させ、均一な分散物とする。
Ｂ：成分１０〜１２を加温し、混合溶解する。
Ｃ：Ａで得た組成物にＢで得た組成物を添加し、乳化する。
Ｄ：Ｃで得た組成物を冷却し、成分１３〜１９を添加する。
【０３９８】
また、工程Ａにおいて、成分１〜９に加えて、更に、分子鎖両末端ジメチルシラノール基封鎖ジメチルポリシロキサン（ジメチコノール）、シリコーンワックス、アミノ変性シリコーン、長鎖アルキル・アミノ共変性シリコーン、アミノポリエーテル共変性シリコーン、ポリシリコーン−１３等を配合することで、それぞれの相乗効果が期待できる。
【０３９９】
[処方例３７］  ヘアトリートメント  リーブオンタイプ
（成分）（Ｗｔ％）
１．セチルアルコール  ４．０
２．ミネラルオイル  １．０
３．ステアルトリモニウムクロリド  １．０
４．ベヘントリモニウムクロリド  ０．２
５．デカメチルシクロペンタシロキサン  １．２
６．ジメチコン（２ｃＳｔ）  ０．６
７．ジメチコン（５，０００ｃＳｔ）  ０．６
８．ＳＨ  ５５６  ＦＬＵＩＤ *22)  １．２
９．実施例１のペースト状組成物  ０．３
１０．グリセリン  ２．０
１１．ＥＤＴＡ−２Ｎａ  ０．１
１２．精製水  ８７．６
１３．パンテノール  ０．１
１４．トコフェロール  ０．０４
１５．リシンＨＣｌ  ０．０２
１６．グリシン  ０．０２
１７．ヒスチジン  ０．０２
１８．防腐剤  適量
１９．香料  適量
注 *22) フェニルトリメチコン
【０４００】
（製造方法）
Ａ：成分１〜９を加温し、よく混合して溶解させ、均一な分散物とする。
Ｂ：成分１０〜１２を加温し、混合溶解する。
Ｃ：Ａで得た組成物にＢで得た組成物を添加し、乳化する。
Ｄ：Ｃで得た組成物を冷却し、成分１３〜１９を添加する。
【０４０１】
また、工程Ａにおいて、成分１〜９に加え、更に、分子鎖両末端ジメチルシラノール基封鎖ジメチルポリシロキサン（ジメチコノール）、シリコーンワックス、アミノ変性シリコーン、長鎖アルキル・アミノ共変性シリコーン、アミノポリエーテル共変性シリコーン, ポリシリコーン−１３等を配合することで、それぞれの相乗効果が期待できる。
【０４０２】
[処方例３８］  ヘアミスト
（成分）（Ｗｔ％）
１．精製水  ７５．７
２．ソルビトール  ０．６
３．クレアチン  ０．２
４．尿素  １．０
５．１，３−ブチレングリコール  ２．０
６．防腐剤  適量
７．エタノール  １５．０
８．ＰＣＡイソステアリン酸グリセレス−２５  ０．５
９．香料  適量
１０．ＢＹ  ２５−３３９ *14）  １．０
１１．実施例１のペースト状組成物／シ゛メチルホ゜リシロキサン(2cst)の1/9混合液を乳化したO/W エマルション  １．０
１２．シクロヘキサンジカルボン酸ビスエトキシジグリコール  ２．０
１３．塩化ヒドロキシプロピルトリモニウムデンプン  １．０
注 *14) ポリエーテル変性シリコーン
【０４０３】
（製造方法）
Ａ：成分１〜６を混合溶解する。
Ｂ：成分７〜１０を混合溶解する。
Ｃ：Ａで得た組成物にＢで得た組成部を添加し、可溶化する。
Ｄ：Ｃで得た組成物に成分１１〜１３を添加し、よく混合して均一にする。
【０４０４】
[処方例３９］  ヘアフォーム
｛原液｝
（成分）（Ｗｔ％）
１．ポリビニルピロリドン・酢酸ビニル共重合体  ５．０
２．ヒ゛ニルヒ゜ロリト゛ン・Ｎ，Ｎ−シ゛メチルアミノエチルメタクリル酸共重合体シ゛エチル硫酸塩  ０．５
３．ＳＨ  ５５６  ＦＬＵＩD *22)  ２．０
４．実施例１のペースト状組成物／シ゛メチルホ゜リシロキサン(2cst)の1/9混合液を乳化したO/W エマルション  １．０
５．エタノール  １２．０
６．防腐剤  適量
７．香料  適量
８．精製水  ７９．５
｛充填処方｝
（成分）（Ｗｔ％）
９．原液  ９５．０
１０．液化石油ガス（ＬＰＧ）  ５．０
注 *22) フェニルトリメチコン
【０４０５】
（製造方法）
Ａ：成分１〜８をよく混合し、均一な分散物とする。
Ｂ：Ａで得た組成物（原液）を容器（缶）に充填し、バルブ装着後、成分１０を充填する。
【０４０６】
[処方例４０］  ヘアスプレー
｛原液｝
（成分）（Ｗｔ％）
１．エチルアルコール  ９２．４
２．アクリル樹脂アルカノールアミン液（有効成分５０％）  ７．０
３．セチルアルコール  ０．１
４．実施例１のペースト状組成物／シ゛メチルホ゜リシロキサン(2cst)の1/9混合液を乳化したO/W エマルション  ０．５
５．香料  適量
｛充填処方｝
６．原液  ５０．０
７．ジメチルエーテル  ５０．０
【０４０７】
（製造方法）
Ａ：成分１に成分２〜５を添加し、よく混合して均一な分散物にする。
Ｂ：Ａで得た組成物をろ過する。
Ｃ：Ｂで得た組成物（原液）を容器（缶）に充填し、バルブ装着後、成分７を充填する。
【０４０８】
[処方例４１］  ヘアワックス
（成分）（Ｗｔ％）
１．コハク酸ジエチルヘキシル  １０．０
２．スクワラン  １．０
３．シア脂  １．０
４．実施例１のペースト状組成物  ２．０
５．キャンデリラロウ  ５．５
６．マイクロクリスタリンワックス  ６．０
７．カルナバロウ  ６．０
８．セテス−６  ６．０
９．セテスー１０  ６．０
１０．ステアリン酸グリセリル（ＳＥ）石鹸不純物  １．５
１１．ヒドロキシステアリン酸  ４．５
１２．精製水  ４７．５
１３．１，３−ブチレングリコール  ３．０
１４．水酸化Ｎａ  適量
１５．ＰＥＧ−９０Ｍ  適量
１６．防腐剤  適量
【０４０９】
（製造方法）
Ａ：成分１〜１１を加温溶解し、よく混合して均一な分散物にする。
Ｂ：成分１２〜１４を加温し、混合溶解する。
Ｃ：Ａで得た組成物にＢで得た組成物を添加し、乳化する。
Ｄ：Ｂで得た組成物に成分１５〜１６を、加温下に順次添加してよく混合し、均一にする。
Ｅ：Ｄを容器に充填し、放冷して固化させる。
【０４１０】
また、工程Ａにおいて、成分１〜１１に加え、更に、シリコーンワックス、アルキルシリコーンレジンワックス、ポリプロピルシルセスキオキサン、長鎖アルキル・アミノ共変性シリコーン、アミノポリエーテル共変性シリコーン、 ポリシリコーン−１３等を配合することで、それぞれの相乗効果が期待できる。
【０４１１】
[処方例４２］  ヘアクリーム
（成分）（Ｗｔ％）
１．ワセリン  ４．０
２．エチルヘキサン酸セチル３．０
３．実施例１のペースト状組成物    ２．０
４．ジメチコン（３５０ｃＳｔ）  １．０
５．ＰＥＧ−４０水添ヒマシ油  １．０
６．ポリアクリルアミド  １．０
７．精製水  ８１．９
８．グリセリン  ３．０
９．ヒドロキシエチルセルロース  ０．１
１０．エタノール  ３．０
１１．防腐剤  適量
【０４１２】
（製造方法）
Ａ：成分１〜５を加温して溶解し、よく混合して均一な分散物にする。
Ｂ：成分６〜９を加温し、よく混合して溶解する。
Ｃ：Ａで得た組成物を、Ｂで得た組成物に添加して乳化する。
Ｄ：Ｃで得た組成物に、成分１０〜１１を順次添加してよく混合し、均一化する。
【０４１３】
また、工程Ａにおいて、成分１〜５に加え、更に、ジメチルシリコーン、分子鎖両末端ジメチルシラノール基封鎖ジメチルポリシロキサン（ジメチコノール）、シリコーンワックス、フェニル変性シリコーン、アミノ変性シリコーン、長鎖アルキル・アミノ共変性シリコーン、アミノポリエーテル共変性シリコーン、ポリシリコーン−１３等を配合することで、それぞれの相乗効果が期待できる。
【０４１４】
[処方例４３］  ヘアローション
（成分）（Ｗｔ％）
１．カルボマー  ０．４
２．ヒドロキシエチルセルロース  ０．１
３．ＰＥＧ−６  １．５
４．精製水  ８８．２
５．エタノール  ３．５
６．ＰＥＧ−４０水添ヒマシ油  ０．５
７．トリラウレス−４リン酸  ０．１
８．エチルヘキサン酸セチル  ２．０
９．実施例１のペースト状組成物／シ゛メチルホ゜リシロキサン(2cst)の1/9混合液を乳化したO/Wエマルション  １．２
１０．ＦＺ−４１５０ *23）  ２．５
１１．防腐剤  適量
１２．水酸化Ｎａ  適量
注 *23）ジメチコンをポリエーテル変性シリコーンにより乳化したО／Ｗエマルション（有効成分３０％）
【０４１５】
（製造方法）
Ａ： 成分１〜４を加温し、混合溶解する。
Ｂ： 成分５〜７を加温し、混合溶解する。
Ｃ： Ａ で得た組成物にＢ で得た組成物を添加し、乳化する。
Ｄ： Ｃ で得た組成物に成分８〜１２を添加してよく混合し、均一化する。
【０４１６】
また、工程Ｄにおいて、成分８〜１２に加え、更に、ジメチルシリコーン、分子鎖両末端ジメチルシラノール基封鎖ジメチルポリシロキサン（ジメチコノール）、フェニル変性シリコーン、アミノ変性シリコーン、アミノポリエーテル共変性シリコーンの等の乳化物、シリコーンエラストマー粉体の水分散物、ポリエーテル変性シリコーン等の水溶性シリコーン油等を配合することで、それぞれの相乗効果が期待できる。
【０４１７】
[処方例４４］  ヘアオイル
（成分）（Ｗｔ％）
１．ＢＹ１１−００３ *24）  ６７．０
２．実施例１のペースト状組成物  ３．０
３．ジメチコン（３５０ｃＳｔ）  ２．０
４．デカメチルシクロペンタシロキサン  ２８．０
５．香料  適量
注 24）ジメチコンガムのデカメチルシクロペンタシロキサン溶液（ジメチコンガム成分１０％）
【０４１８】
（製造方法）
Ａ：成分１〜４を適宜加温し、よく混合して均一な分散物とする。
Ｂ：Ａに成分５を添加し、よく混合して均一化する。
【０４１９】
また、工程Ａにおいて、成分１〜４に加え、更に、分子鎖両末端ジメチルシラノール基封鎖ジメチルポリシロキサン（ジメチコノール）、シリコーンワックス、フェニル変性シリコーン、アミノ変性シリコーン、長鎖アルキル・アミノ共変性シリコーン、アミノポリエーテル共変性シリコーン、ポリシリコーン−１３等を配合することで、それぞれの相乗効果が期待できる。
【０４２０】
[処方例４５］  ヘアカラー  酸化タイプ
｛第１剤｝
（成分）（Ｗｔ％）
１．ステアレス−２  ３．０
２．ステアレス−２１  ２．０
３．ＰＰＧ−１５  ステアリル  ５．０
４．セトステアリルアルコール  ４．０
５．ベヘニルアルコール  ２．０
６．実施例１のペースト状組成物  ２．０
７．塩化ベヘニルトリメチルアンモニウム  ０．８
８．精製水  ６９．４
９．ＥＤＴＡ−２Ｎａ  ０．５
１０．無水亜硫酸Ｎａ  ０．５
１１．アスコルビン酸Ｎａ  ０．１
１２．１，３−ブチレングリコール  ３．０
１３．パラフェニレンジアミン  ０．２５
１４．パラアミノフェノール  ０．１
１５．メタアミノフェノール  ０．０５
１６．ポリクオタニウム−３９  ０．３
１７．炭酸水素アンモニウム  ２．０
１８．強アンモニア水  ５．０
【０４２１】
（製造方法）
Ａ：成分１〜７を加温して溶解し、よく混合して均一な分散物とする。
Ｂ：成分８〜１５を加温して、混合溶解する。
Ｃ：Ｂで得た組成物にＡで得た組成物を添加し、乳化する。
Ｄ：Ｃで得た組成物に成分１６〜１８を順次添加して混合し、均一にする。
【０４２２】
｛第２剤｝
（成分）（Ｗｔ％）
１．セトステアリルアルコール  ４．５
２．ラウリル硫酸Ｎａ  ０．５
３．防腐剤  適量
４．エチドロン酸  ０．１
５．リン酸水素２Ｎａ  ０．３
６．精製水  ７７．４６
７．過酸化水素水（３５％水溶液）  １７．１４
８．リン酸  適量
【０４２３】
（製造方法）
Ｅ：成分１を加温溶解する。
Ｆ：成分２〜６を加温し、混合溶解する。
Ｇ：Ｆで得た組成物にＥで得た成分を添加し、乳化する。
Ｈ：Gで得た組成物を冷却し、成分７と必要に応じて成分８を添加し、よく混合して均一化する。
【０４２４】
[処方例４６］  ヘアマニキュア
（成分）（Ｗｔ％）
１．黒色４０１号  ０．４
２．紫色４０１号  ０．１
３．橙色２０５号  ０．３
４．ベンジルアルコール  ５．０
５．クエン酸  ０．５
６．ヒドロキシエチルセルロース  ２．０
７．塩化ステアリルトリメチルアンモニウム  ０．５
８．ＰＥＧ−４０水添ヒマシ油  ０．５
９．実施例１のペースト状組成物／シ゛メチルホ゜リシロキサン(2cst)の1/9混合液を乳化したO/Wエマルション  １．０
１０．エタノール  １０．０
１１．防腐剤  適量
１２．香料  適量
１３．精製水  ７９．７
１４．クエン酸ナトリウム  適 量
【０４２５】
（製造方法）
Ａ：成分１〜１３をよく混合し、溶解する。
Ｂ：Ａで得た組成物に成分１４を加えて、ｐＨを調整する。
【０４２６】
[処方例４７］  パーマ
｛第１剤｝
（成分）（Ｗｔ％）
１．ＥＤＴＡ−２Ｎａ  ０．１
２．エチドロン酸  ０．１
３．防腐剤  適量
４．精製水  ８１．２
５．ＰＥＧ−４０水添ヒマシ油  ０．６
６．香料  ０．３
７．チオグリコール酸アンモニウム（５０％水溶液）  １３．０
８．強アンモニア水  １．０
９．モノエタノールアミン  １．２
１０．炭酸水素アンモニウム  ２．０
１１．実施例１のペースト状組成物／シ゛メチルホ゜リシロキサン(2cst)の1/9混合液を乳化したO/Wエマルション  ０．５
１２． リン酸  適量
【０４２７】
（製造方法）
Ａ：成分１〜４を適宜加温し、混合溶解する。
Ｂ：成分５〜６を加温し、混合溶解する。
Ｃ：Ｂで得た組成物に成分７〜１１を順次添加し、よく混合して均一にする。
Ｄ：Ｃで得た組成物に、必要に応じて成分１２を添加し、混合する。
【０４２８】
｛第２剤｝
（成分）（Ｗｔ％）
１．ポリクオタニウム−１０  ０．４
２．ＥＤＴＡ−２Ｎａ  ０．１
３．防腐剤  適量
４．リン酸二水素Ｎａ  ０．０５
５．リン酸水素二Ｎａ  ０．５
６．精製水  ９０．９５
７．臭素酸Ｎａ  ８．０
８．ｐＨ調整剤  適量
【０４２９】
（製造手順）
Ｅ：成分１〜６を適宜加温し、混合溶解する。
Ｆ：Ｅ で得た組成物に成分７を添加する。必要に応じて成分８を添加する。